(57)【要約】      （修正有）【課題】超薄型の液晶を使わない超微量ネオンガスとアルゴンガス入りの竹灰入りグラスファイバービニールテレビパネルを提供する。【解決手段】半プラスチッククリスタル硝子パネル３６と、アルゴンガス入りプラスチックビニールパネル３７と、デジタル映像波走査回路配線竹灰入りグラスフアイバーシートパネル（ノーマル映像波走査回路配線竹灰入りグラスフアイバーシートパネル有り）３８と、映像回路燃焼防止窒素ガス入りビニールナイロン粒子入りグラスフアイバービニールシートパネル３９と、雑草灰入り窒素内蔵ビニール粒子入りプラスチックパネル４０とを備える。映像の映る部分のアルゴンガス入りプラスチックビニールパネル３７に対して、映像回路プラス配線２３と、映像回路マイナス配線２４を取り付けたテレビ画像新作液晶パネル２５を備える。【選択図】図６
0003203105.tif 000002
【実用新案登録請求の範囲】
【請求項１】
本考案の、超薄型テレビパネル構造は、全面にガラス基板が最初の位置に成り、二番目にアルゴンガスと超微量ネオンガス入りの液晶パネルと絶対に異なるプラスチックビニール超薄パネルの位置に成り、三番目に映像配線を貼り付ける竹灰入りグラスフアイバーパネルの位置に成り、四番目に燃焼防止対策の竹灰入りフロンガスと窒素ガス入りビニール粒子入りグラスフアイバーパネルの位置に成り、五番目に竹灰入りプラスチック軽量パネルをテレビの外枠構造とした映像回路と音声回路と電気コードを取り付けた超薄型の液晶を使わない微量ネオンガスとアルゴンガス入りの竹灰入りグラスフアイバービニールテレビパネル。
【考案の詳細な説明】
【技術分野】
【０００１】
本考案のアルゴンガスと微量のネオンガスの混合ガス入りの画像パネルの其々の透明プラスチックパネルを始め、透明ナイロンパネル及び透明テトロンパネル及び透明ビニールパネル及び透明シリコンパネル及び透明ダイオードパネル及び透明グラスフアイバーパネル及び透明合成プラスチックビニールパネル及び透明合成ナイロンビニールパネル及び透明合成テトロンビニールパネル及び透明合成シリコンビニールパネル及び透明合成ダイオードビニールパネル及び透明合成グラスフアイバービニールパネル及び透明合成プラスチックシリコンパネル及び透明合成シリコンナイロンパネル及び透明合成シリコンテトロンパネル及び透明合成シリコンダイオードパネル及び透明合成グラスフアイバーシリコンパネル及び透明アクリルプラスチックパネルを始め、透明アクリルナイロンパネル及び透明アクリルテトロンパネル及び透明アクリルビニールパネル及び透明アクリルシリコンパネル及び透明ダイオードパネル及び透明アクリルグラスフアイバーパネル及び透明合成プラスチックビニールパネル及び透明合成アクリルナイロンビニールパネル及び透明合成アクリルテトロンビニールパネル及び透明合成アクリルシリコンビニールパネル及び透明合成アクリルダイオードビニールパネル及び透明合成アクリルグラスフアイバービニールパネル及び透明合成アクリルプラスチックシリコンパネル及び透明合成アクリルシリコンナイロンパネル及び透明合成アクリルシリコンテトロンパネル及び透明合成アクリルシリコンダイオードパネル及び透明合成アクリルグラスフアイバーシリコンパネル等の複数透明石油系混合素材をパネル状にした其々の透明板パネル素材に成り、これら複数のパネル材に対してアルゴンガスと画像の色を鮮明にする為に微量のネオンガスをアルゴンガスにネオンガスを混合して入れる事に依って画像が白くぼやけず画像がくっきり3Ｄの様に画像がくっきりする為、映像の立体感が良くわかる事に成る。
映像配線として、ノーマル波に於いては、プラス映像配線とマイナス映像配線を映像画像パネルに取り付け、アンテナ送受信カメラ等の内蔵の高出力ダイオードＣＣＤパネル画像データー及びアンテナ送受信可能なビデオカメラ等の高出力ダイオードＣＣＤパネル画像データーをプラス映像波とマイナス映像波にＣＣＤ配線として区別して分けて送信した高出力カメラの映像波データーをテレビ側の映像受信装置で受信してテレビ映像画像パネルにノーマル波システムとデジタル変換画像システム又は、デジタル波をノーマル画像変換した画像データーをこれら本考案のアルゴンガスと微量のネオンガスの混合ガス入りの透明パネル其々に超小型偏向ヨークを使用して写し出す事の出来るアルゴンガスと微量のネオンガスの混合ガス入りの透明石油系画像パネル装置の既に特許公報公開作品の踏み入ったテレビの部分装置の特許権切れに対して異なったテレビ技術に対しての付け足し技術説明。
２０１４年１月９日ＰＭ２０時４６分ペンを置く栃木県の墫野ニヤン。
２０１４年１２月１３日ＡＭ９時３２分追加書きの栃木県真岡市の墫野和夫。
【背景技術】
【０００２】
本考案の、液晶デスプレイ画像システムパネル及びＣＲＴデスプレイ画像パネル及び有機ＥＬ画像パネルが有るが、液晶パネルは偏光板及びガラス基板及びカラーフィルタ及び配向膜及び液晶層及び配向膜及びガラス基板及び偏光板及びバックライトの構造が液晶テレビに成り、液晶層にノーマル画像波の映像とデジタル画像波の映像を写し出す技術に成るが、大型液晶テレビでは、液晶の筋を消す事が出来ない為、ハイビジョン特許権切れ技術のハイビジョン技術でも液晶画像パネルの筋を消す事が出来なかったが、ＣＲＴデスプレイ画像パネル俗にブラウン管テレビでは、世界で一番美しいハイビジョンテレビ画像が写し出す事が可能だったが、特許権が切れて著作権料金のみの低価格ハイビジョンテレビでは、企業収益が少なく成る為、段々ブラウン管ハイビジョンテレビ作らなく成ったのが現状の様で有る。
【０００３】
更に、有機ＥＬテレビも、特許権が何処の企業か特許権番号明示も無いままで有り、商品パンフレット及び新聞広告の書き込み及びテレビ広告に対しても特許権番号の明示が無く、日本の電気協会全社で特許権番号明示無しで商品を似たり寄ったりの価格で販売していたのも事実で有り、有機ＥＬ電池素子テレビ及び有機ＥＬ充電池素子テレビの特許権者が誰なのか分からず仕舞いで有る。
其の為、確かに電気消費は多いがハイビジョンテレビを凌ぐ画像鮮明度は、ブラウン管テレビと同じレベルに成り、ハイビジョンカメラを使ったハイビジョン映像に対しても映像の鮮明度は２０１４年騒がれている４Ｋテレビの画像鮮明度より、遥かに２００２年の有機ＥＬテレビの画像映像の鮮明度の方が上に成るが、実際に過去のプラウ官ハイビジョンテレビと有機ＥＬ電池素子テレビとアルゴンガス入りの微量ネオンガス入りの液晶パネル及びビニールパネル他のパネルテレビの実際に店頭に並べての比較は店頭側では行って居ないのも現状で有る為、日本全国の国民はとかく時の流れに騙され易いのも現状の様で有る。
【０００４】
尚且つ、ブラウン管テレビよりも画像の鮮明度が落ちるのが二回目の特許権の特許権料金が安い現在では、再び特許権切れの著作権料金の液晶テレビで有り、デジタル映像波方式の一つの欠点のカラーフィルム写真の様に一枚のＣＣＤパネル画像データーでも美しい画像が軽水素トリチウム電子ガスをダイオードＣＣＤパネル入れる技術よって受光素子のダイオードの電子量を大幅に増やす事によってダイオードＣＣＤパネルの受光画像の原色をより正確に受光認識記録出来る技術が可能に成った為、デジタル方式が不必要に成った事実で有る。
但し、デジタル方式を使用する場合、画像２０分割の高出力受光素子画像に成り、企業側が俗に言う２０画素で充分な分割技術に成り、超大型テレビでも画像の４０から６０程度の画像分割技術で良いのも事実に成り、テレビ製造費に対して無駄な金を使って高額なテレビ料金請求の実態で有る。
画像パネル自体が、最初の特許権が済んで下り、ハイビジョンテレビ画像の最初の特許権が済んで居るため、ブラウン管テレビのハイビジョンテレビ依り、画像が鮮明で無ければ特許権として、特許庁が認めてもブラウン管ハイビジョンテレビの最高特許権請求は不可能に成る理由として、一度特許権に対して特許権年数を済ませた特許権テレビに対して、同一の特許権料金の請求額ならば、一般庶民の賃金も、企業社員賃金も４Ｋテレビ販売されている時代に対してブラウン管ハイビジョンテレビ時代の世間の庶民給料が現在バブルの二倍以上の賃金支払いでなければ成らない。
そして、現在の５０型クラステレビで４０万と言われて入るがアルバイト及びパート者の給料も、本来は現時点の２０１４年では庶民全体の給料が上がって無ければ成らないのも事実としなければブラウン管特許権切れの二回目の液晶テレビ特許権切れの値段説明を国の官庁が決めなければテレビ値段に対してテレビ技術権利料金を明確に説明しなければ成らない不平等が治らず、金の有る者だけが金集め出来る不平等社会の商品の値段の公開の法律説明の出来ない事態で有る。
従って、現在の世相マスコミ事実とは、国の職権で賃金最低賃金の取り決めは出来ても税金収集が大きく左右する海外輸出商品の電気製品などの過去の特許権そして、特許権切れ及び特許権切れからの二回目の特許権などに対しての商品の値段として、国民資産に対しての値段の取り決めを国が行わないで企業が行うと経費計算が優先して国の資産と国民資産だけが減る事実に対して弱者以外お金をたくさん貰って居る者は黙り続ける世相社会の様で有る。
【０００５】
著者説明としては、５０型ハイビジョンテレビの値段は、１０万以下がブラウン管特許権切れと二回目の特許権切れの液晶のハイビジョンテレビ値段に相応しいのは、建設業界賃金は、バブル時代から三分の二の給料に新聞求人公開賃金の事実説明に成る為、賃金が三分の一以下に下がっている為、特許権料金の特許権切れ料金に対して三分の一下げた著作権料金が正確な５０型ハイビジョンテレビの値段に成る。
更に、デジタル画素数を増やしても限界が有り、ブラウン管テレビの様に画像パネル全体が美しいハイビジョン画像は、デジタル画像技術のみだけでは不可能に成り、企業側の名目としは画素数を増やしただけでテレビ価格を特許権行使状態で上げて居る様だが映像送受信技術ではノーマル波の映像音声波の送受信特許権が済んだ為、デジタル放送に企業側がノーマル波の特許権切れテレビ商品に対して名目をデジタルテレビに変えて商品にデジタル技術料金として商品に上乗せ出来ない庶民全体の賃金が企業の全世界の資産に相当し合い異なっては成らない理由に企業側の資産が湧いて増えたのでは無く庶民の資産をかき集めて作った財産としか言えない明白な事実と一時しのぎの消費税を上げても国の全額借金返済には程遠い事実。
更に、理由が映像を写すカメラのレンズの明るさの特許権を持つハイビジョン撮影技術放送会社と最近公開技術として知られているカメラＣＣＤダイオードパネルに軽水素トリチウム電子ガスを入れる事によって、ダイオードの光り感知が明るく成る為、テレビ局側ではハイビジョン放送技術特許権料金及び、ハイビジョン放送技術特許権側にハイビジョン放送技術著作権料金を支払って放送して居る事に成る。
この他、液晶パネル画像では、特許権所有放送局のハイビジョン技術を全て完了したと言えないのがブラウン管ガステレビの画像と有機ＥＬ画像テレビの様には画像の鮮明度を同等尚且つ同一の画像の美しさにたどり付けない事実と同一の画像の美しさに出来ない画像デジタル方式の欠点とハイビジョンカメラで全て撮影出来ない限り通常カメラダイオードＣＣＤ画像に成り、画像の解像度をブラウン管テレビと同じく出来ないデジタル特有の欠点だがゲーム画像テレビの様に画像変化プログラムシステムを組み込んだデジタルテレビは、システム表現に面白さは有るがノーマル画像の画像コマ数を増やす技術と方法と手段が異なるが、請求されるデジタル技術料金は国民は一円も払わなくて良いのが普通の電波の特許権切れの考え方に成る。
この場合は、ノーマル波からデジタル波に放送局すなわち企業側株式会社の放送局のデジタル波の放送送受信装置の機器の料金は全体の料金を考えてもノーマル波のデジタル波変換装置部品代金は実に安い料金の為、国民負担に成らないが事実だけで無く需要にたいして、下がる電化製品が本来事実で無ければ正しく無いのが国民の守られる財産の最低生活の範囲の事に対して、実際に日本国の借金１０００兆円を支払って借金ゼロまでの答えを出せない時は、国民を騙した事実に成る。
理由として、日本企業が、海外に資産を持ち出して海外営業した場合は日本国の借金がゼロならば、企業側が日本国に海外所得税を払わなくて良い理由に成るが、
日本国の借金が増えると海外所得税を日本国に支払う制度を作らなかった為に成る。
従って、日本国の企業全社が倒産しても、海外進出企業だけ、生き残る制度には、特許権番号の商品明示義務無で商品販売が出来る制度自体に税金回収を出来なくしている事実と資本に対して、お金を増やし易くして居る事実と日本国を実際に守る考え型が居たならば日本国は永遠に滅びないが、滅ぼした場合は日本国の愛国心は絶対無くお金に心を奪われた民族として世界史の歴史年表に永遠に刻まれ書き残る事実の永遠の一人歩きに成る。
そして、現在は世界全ての企業株資産及び、土地その他の資産公開が出来ない上、更に、請求出来ない為か、マスコミ公開は今まで一切日本国内では公開された事が無いのも事実に成り、商品自体はアメリカで売られて居る同じ携帯電話等は日本国で販売されている価格より、数万円違うのも事実で有るのに特許権番号の明記した商品は見た事が無いのも特許法の特許番号の明示に対しても違法な二回目の特許権技術料金の世界市場に於いての不正請求テレビ技術料金の店側と作る側との申し合わせ行為が続いて居るのも現状で有るテレビ付の携帯電話事実説明。
【０００６】
更に、特許権切れ商品に対して本来、日本のテレビ特許権保持者が資本主義を主張するならば、日本国の国税の法人税の国側の税収を多くするならば、ブラウン管テレビの特許権が切れても、テレビの著作権が最初の特許権者に残る為、液晶テレビの特許権が切れた場合は液晶の販売価格は、絶対にブラウン管テレビの販売価格より、上が無く例えば、液晶テレビが特許権切れでも尚且つ販売を、続ける事にする成る事になると特許権番号明示して特許権年数に対しての商品の部分それぞれの特許権年数値段説明が必要に成るのは必至で有る。
従って、消費者が騙されて大金を支払ってしまう事は例え、日本の有名電気企業でも一度国民から商品の値段として戴いた金額を返す事が無く、国民の署名及び商品を買った人が集まって裁判しなければお金は国民全体に返りません。
尚且つ、液晶テレビが特許権切れに成った時点で、日本のテレビ特許権切れ会社一社が、再び安い料金で販売が出来るのが本筋に成り、ビデオ付きカメラの特許権者及ビデオテレビの特許権者及びカーナビゲイションの特許権者一人一人とテレビ特許権切れ者と契約販売をするのが、特許権切れの著作権行使の普通常識に成り、テレビ付きビデオ及びテレビ付き携帯電話及びテレビ付きカメラ及びテレビ付きビデオ及びテレビ付きインターネットテレビなど様々な著作権を有する特許権者と最初の特許権切れのテレビ販売会社の日本企業との販売が静かに低価格戦争に成る。
従って、バブルを過ぎた低下価格賃金に相応しい商品価格で本来販売に成るはずで有り、現在としての事実ならば庶民は納得出来るが、現在の様に複数の日本電気企業が、同一のテレビを販売している事に対して、新技術特許権に対して、最初のテレビ特許権切れ者に対し個人または、電気企業でも１００パーセント利益に対して企業取り決めなど、もしくは日本国の官庁の取り決めの商品に対して特許権もしくは実用新案に対して、利益の94パーセントを、テレビの特許権切れのテレビ著作権者側に支払うのが個人の特許権者と企業側の特許権者に対する平等な取り扱いに成る。
この他、4Ｋテレビを日本企業4社が同時に作って販売する行為自体が日本国内のテレビ製造販売数を減らして海外製造販売を増やす行為に成り、法人税を少なく国に納める企業側の談合行為にしか成らないが、特許権切れ商品の消費者省の高い電気商品の値段説明を説明出来ない企業及び特許権番号の明示出来ない新聞広告会社及び特許権番号説明の出来ないテレビ局の宣伝放送部に変わって、特許切れ電気商品に対する値段説明と責任を消費者省が、特許切れ電気商品に対する値段説明に対しての放送局を一社作るか等によって国民一人一人の手持財産が少なく成ったり多く成ったり擦る。
従って、消費者庁宛の電話料金を全てゼロ円にする対策が必要なのは騙される消費者国民は、賃金が上がっての電気製品の値上げは説明が付くが給料を下げての電気製品の値段の据え置き又は値上げは不当な商品の値上げに成る。
従って、官庁の不当な商品の値上げの監視体制に問題が有り、同じ商品を複数の会社が作る自体が不正競争防止法に触れて居るのは間違い無い事で有り、知的所有財産法の特許権の料金請求の監視に当たっても、商品及びパンフレットに書き込みが無い事自体が、商品を買う側を騙す事が容易に出来る企業手段だけで有ってほしい特許法の特許権料金の内訳説明の明示義務と罰則と罰金を国民裁判で決める事に成る。
従って、国政調査方式で決める事によって、法人税の税収を少なくする企業側の知能犯罪に対する弱者一人一人の声が取り入れられる国政調査方式の罰金罰則を決めるのが長年騙され続ける消費者が知能犯罪者全員に対して、騙した金額に対する罰則を決める事の出来る時代を迎えてこそ世界に一つしか無かった最初のテレビ日本技術の意地をテレビ特許権企業が示して、特許権とは特許権料金に成り、最初の特許権者は永遠の著作権保持者に成り、ノーベル賞に匹敵する値及び金銭の評価が有って当然なのをもう少し気が付いて戴きたい低賃金時代突入の消費者の疑問とする官庁及び知的裁判所の取り扱いと完全な特許番号明示義務公開説明を望む消費者に成る。
２０１４年1月1３日ＰＭ２２時ペンを置く栃木県中西建設
【０００７】
更に、特許権切れのブラウン管テレビと特許権放送局のハイビジョンテレビに於いて、この当時として最高レベルの高画質を作り出したカラーテレビハイビジョンに成り、放送局側も液晶の最初ではカラーハイビジョン政策をしなかった経緯が有り、4Ｋ液晶ハイビジョンはブラウン管ハイビジョンより、画質が劣り、二回目のハイビジョン特許権請求に成るが、企業側がブラウン管テレビのハイビジョンテレビ放送の画質より悪いハイビジョンテレビ説明は、放送局側のハイビジョン放送に対してだけハイビジョン放送を楽しめるテレビに成る。
他の放送は、ハイビジョン用のテレビカメラを使用していない為、他の放送局は、ハイビジョン用撮影テレビカメラを使用して居ない為、ハイビジョン画像が楽しめないのも事実に成り、テレビ局全体がハイビジョン放送に成らないのが正しいのは、ハイビジョン放送権の技術料金をハイビジョン放送局以外は、ハイビジョン放送権の技術料金をハイビジョン放送局に支払わなければハイビジョン放送は他の放送局では放送出来ない事実に成り、映画及びアニメイションに対しても、ハイビジョン放送で無い為、ハイビジョン放送を見る事が出来ない事に成り、つまり特許権放送ハイビジョンを見る為にハイビジョンの特許権切れつまり、ハイビジョン放送局にハイビジョンテレビの５０型テレビの特許権切れの著作権料金に対して消費者庁を通じて、特許権切れのハイビジョン特許権局のハイビジョンテレビ回路システムの特許権切れの技術値段説明を聞く事に成る。
液晶本体価格は特許権切作品によって著作権料金契約のみに成りニ回目の特許権に対しては特許権料金が最初の特許権料金の金額幅だけ精求出来無いのが事実で有る。
２０１４年１月１６日ＰＭ２１時ペンを置く栃木県中西建設
【０００８】
テレビは従って、確かにその昔、昭和３０年代の日本の特許権作品で有り、テレビ放送技術に対するビデオカメラも、その昔の昭和３０年代の日本の特許権技術に成り、この他、その昔の昭和戦後時代の特許権作品で有り、原子力発電技術は資本主義国家の三本柱だったのも事実だが特許権及び世界特許権の２５年は、既に過ぎて、テレビ技術では、液晶層パネルを使った二回目の特許権請求料金は、思っていたより、高価な技術料金をハイビジョン画像技術では、液晶層使用技術の為、画像にむらが出来てブラウン管技術と有機ＥＬ画像パネル技術より、画像鮮明度の落ちるデジタル方式が有り、ノーマル方式でも、カメラで写す側のＣＣＤパネルの光画像の光度の明るさが、受信画像の明るさの明暗を分ける事に成り、特許権ハイビジョン局の画像送受信技術では、カメラレンズの明るい透明度の有る特許権技術では、風景画像事態を明るく写す事が出来る技術によってハイビジョン放送が成立する事に成る。
但し、ハイビジョン放送と同じ映像を別のハイビジョン以外の技術で放送する場合はハイビジョン放送の名前使用が出来ないのも事実に成り、ハイビジョン放送に近い画像でも、ハイビジョン放送技術料金の請求が出来ないのが事実に成る。
つまり、通常放送に対して画像が美しい技術評価は、既に最初の特許権評価に当たらないだけ、ハイビジョン技術は世界トップクラスの誰が見ても当然の技術に成る為、最初の特許権ハイビジョン局のハイビジョン放送局を超える技術として、ハイビジョン画像をテレビパネル無の空間にハイビジョンを投影した場合は、特許権の企業売買益は、数千兆円なのかもしれ無い。
従って、そればかりか一社が独占して事業が出来る事に成り、他社は大型テレビパネルを使った事業しか出来ないのも事実。
従って、4Ｋテレビのハイビジョン同一カメラレンズの撮影技術説明がテレビ局を通じて莫大な放送権料金の売買事実公開放送されなければ嘘のハイビジョンシステムに成り、他のカメラの撮影風景を明るく撮る技術説明をパンフレット等に特許権番号付で乗せる若しくは、説明書類に特許権番号付で乗せるかインターネットに特許権番号付で乗せるかして、ハイビジョン放送局のハイビジョン特許権切れの著作権契約書付でなければ不正競争防止法の不正に作る商品に成る。
【０００９】
独占禁止法説明
独占禁止法とは、特許権切れに対しての日本国内での商品販売に於いて、海外特許権作品及び海外特許権切れ作品を日本国内での販売に対して、他の国の者の特許権作品及び他の国の者の特許権切れ作品を契約販売の日本国に於いて独占して販売出来ない事に成り、但し、特許権者本人に対しては特許権国の特許権所有者が、日本国で特許権行使と特許権切れの特許権切れ商品の独占販売は独占禁止法に当たらないのがおそらく個人の財産所有権の常識に成る。
従って、テレビは、日本国の特許権に成り、他の国ではテレビに関する技術を所有する者と他の国のテレビに関する技術の特許権者とのテレビ製造販売契約と日本国では、一つのテレビ業者の海外販売が常識に成るのだが特許権番号明示などをしない為、日本国から海外に販売するテレビは、通常は一社に成り、日本国の税務署では法人税を確実に徴収出来るが複数の企業でテレビを作って販売する場合は法人税の経費がダブル為、国税の法人税収入は不足する事に成る。
通常は、不正競争防止法に対して、国が勧告出来る制度を設ける為には特許権番号の商品明示義務に成り、庶民の密告連絡によって、国は、本来税収不足の為、企業に対して、日本国の所得の持ち出しに対しての本国に納める税金及び海外国で支払う法人税が日本国の祖国税金と同一等の国際上の取り決めが必要に成り、おそらく現在は、海外に於いては、特許権切れの著作権行使を日本企業が行使している場合はテレビ及びビデオ販売は一社に成り、同一作品の商品を複数の企業会社で販売する販売益は、税金回収を困難にしている要因と不当に商品を値上げする談合して商品の値段を据え置いたり、上げたりする企業理由を日本国のみならず他国も認めるままにしている為、やがていつの日かお金の過去の付けが国民に回る事に成る。
但し、テレビの販売権を他社に売り渡すと億円の上の兆円の上の京円もしくはその上の垓円に成るがテレビ全体の特許権と半永久の特許権切れの著作権料金の契約に成り、高額な企業契約は、通常日本国内では実例公開の事実が存在しないのは裁判資料として国民が個人の賠償に対しての上限として使用する為、示談説明の報道説明として企業側と裁判所側でも不思議と事実公開を避けて来ているのも事実に成る新聞等の示談交渉事実に対して新聞の片隅で示談しているとの書き込みで終わる事実説明に成る。
世界の人口数は、インターネット公開数値では、６９億人に成り、テレビ一台が仮に１０万円として×６９００００００００人分として６９０００００００００００００円つまり６９０兆円に成り、テレビの寿命が１０年計算すると２０年計算によって１３８０兆円のテレビだけの２０年間のおおよその企業販売額としてテレビ１０万円計算に成る。
従って、日本の商品は、世界で一番値段が高いと言われる理由に対して、アメリカで販売するスマートホーン無テレビ付の値段のアメリカ国の販売値段と日本国の販売値段を、インターネット公開及びテレビ公開及び新聞公開が必要に成り、テレビが４０万円ならば１３８０兆円×４倍に成り、５５２０兆円の企業販売に成り、４０年販売として１京１０４０兆円の計算に成り、あくまでも日本国から海外向け販売に成る企業の販売取得金額だが、特許権切れの著作権料金明示通達販売する事に成り、企業利益が下がる反面に対して、国民の生活賃金は安く済むのが現状で有り、特許権明示していない商品を高く国民が買わされる場合は国民全体の所得水準を上げた上で、テレビの特許権切れ商品の販売価格を、企業と店側が決める事を国が認める場合は企業の法人税を現在より、数段上げなければ商品の時給自足に対応出来ない為、国の借金が増える現象に成る。
従って、海外の日本企業の土地資産及び株資産を公開して、日本国内からの日本円の持ち出しと商品に関わる個人の知的所有財産の日本の特許公開作品と著作権作品に対しての介入の有無を消費者がはっきり明白に判る必要性が重く成る。
つまり、特許公開作品に対する特許権で無くても特許に対しての著作権賠償が成立する為に成り、この場合は海外販売商品に対しても、日本国内の特許公開に対する著作権賠償が成立し、全額国税賠償の場合は、特許権の２０年賠償の世界全ての販売賠償の全額全ての日本国の個人が求めた賠償金の支払いに成り、日本国側は税収が多い程良い為、国税全額としては納得するはずで有る。
従って、裁判を掛けた個人に対しては裁判に係った費用のみの請求に成り、著作権横領の犯罪としては特開の特許権に成って無い特開の著作権技術横領を黙認させない対応策に成る。
【００１０】
テレビの画面映像を美しく見せる技術として、ハイビジョン技術と有機EL画像技術が有り、いずれもノーマル波でもデジタル波を超えた美しい画像技術に成る。
この場合に対して、ノーマル波はラジオ回路音声波の海外エジソン特許権に成るがテレビの映像波ノーマル技術は日本のテレビ発明特許権者に成り、デジタル波は二回目の特許権に成る為、新規性が無い為、特許権料金が低く抑えた映像波技術に成り、音声波はデジタル波でも同じ効果にしかならない。
デジタル波を例えば、テレビパネルで２０００画素数使用したならば、テレビ映像波を作り出すカメラのＣＣＤパネルは必ず全てが２０００画素数のＣＣＤパネルを使用したカメラのＣＣＤパネルにしか成らないがカメラＣＣＤパネル事態を２０００画素パネル配線に出来ないのが現状に成り、消費者はこの点でも企業側のデジタル画像パネル配線技術説明の技術上乗せ料金支払いは少なくて済むのだが大金の５０型４０万円以上の企業側と店側の価格表示談合が現在までバブル料金として引き揚げられ携帯電話の略９万円はバブル当時に無い携帯電話料金を店側で説明しているのも事実に成る。
企業側では、バブル真最中の企業が大手を振って生活している現状に成り、庶民の賃金が下がると同時に、携帯電話等の送信料金及びインターネット料金及び携帯電話等の本体料金を下げるのが通常の責務に成り、不当な電気商品の値上げと国の不当な商品の値上げに対して介入無しの無法宣言販売の手助けを国側が行う事実、つまり、商品の値段を決めない事によって、企業収入を増やす国の企業利益のみを増やす手法に騙され続けている現在で有る。
【００１１】
テレビ画像の秘密として、アルゴンガスの入って無い液晶パネルとカラーフィルタ技術のみでは液晶画像パネルの最初の時期の映りを確認して見ていた者が判る通り白っぽく画像がくっきりしないだけで無くガスブラウン管テレビに追いつけない色合いのカラーフィルタとバックライトの画像パネルの色の表現と度合に成り、ノーマル波をデジタル波に変えただけでは、現在の液晶テレビの画像の色彩度合までにはデジタル回路のみでは無理に成る。
従って、ビデオカメラからテレビ側に送られて来る映像波の色表現をカメラ撮影時と同じ色彩光度色にしなければ成らない為、映像回路のダイオード映像回路に対して色のダイオード回路の種類だけ、色調整が可能に成り、青色ダイオード回路及び赤色ダイオード回路等のダイオード回路のダイオードに軽水素トリチウム電子ガスを入れる技術によって、ダイオード回路のダイオード色の電子スピード反応を早くする日本企業に絶対に無い技術に成り、ダイオード回路のダイオードに充電池素子等を入れる技術の他ダイオード回路のダイオードにアルゴンガスと少量のネオンガスを入れる技術によって、カメラ及びビデオカメラから送られて来た画像処理を早くしたり、色合いを良くしたり出来る技術説明に成るが企業側で、映像回路の特許権明示が無い為、一国民は調べるだけで莫大な料金が必要に成る為、特許法の不公平差がここでも目立つ状態で有る。
【００１２】
テレビ画像が磁波の強い地域でも乱れない秘密説明として、通常の映像波のノーマル波通信と現在のデジタル波通信どちらでもマグマ磁波の地下の上を映像波及び音声波が通るとノーマル波通信電波が不規則に曲がる現象が起こりデジタル波通信波に於いても同じくデジタル波通信波が不規則に曲げられる現象を起こす為、アンテナの設置場所の移動等が余儀なくされるのが今までの電波障害で有ったのも事実に成る。
この場合の対策技術として、ダイオード映像回路チップに圧電素子磁石体粒子と軽水素トリチウム電子ガスを入れる技術の他、既に公開してある電気中の熱電気抵抗のみを取り除く装置の圧電素子４電子磁気分割装置を回路に組み込む事によって映像波の磁波による映像波の乱れを防いで居る他社に絶対無い電波の磁気磁界整正装置の技術説明に成る。
この場合、特許権番号の明示が無い日本の電気企業使用の回路エンジンは、調べた事が無いが圧電素子磁石体パネル使用のおそれが有るテレビ回路説明部分説明と軽水素トリチウム電子ガス入り充電池素子入り炭素パネル及び、若干効果の少ない水素と充電池素子入り炭素パネル技術が有り、この他として炭素パネルに充電池素子とアルゴンガス等を炭素パネルに内蔵擦ると乱れた映像波を電池素子電池極界の電池極界効果を使って映像波の全自動修正出来る技術説明に成る。
【００１３】
テレビ回路の電気熱溜まりを防ぐ圧電素子４電子磁気分割装置はテレビ回路の電気消費を抑える事が出来て、テレビ回路に流れる電気に対して通常電気中に対して電気熱電気を取り除いた電気抵抗の無い電気を流す事が出来る為、映像回路と音声回路が最高技術の熱だまり現象を無くした技術レベルまで技術が上がる為、映像が美しく成り、音声雑音が少なくなる技術説明。
【００１４】
テレビインターネットに付いて、例えば、携帯インターネット契約済みの庶民がテレビを購入してテレビインターネット契約をした場合インターネット会社側では、ダブルのインターネット料金を取得出来る事に成り、インターネットのダブル請求に成り、尚且つ、携帯電話のインターネット契約とタブレットのインターネット契約とテレビのインターネット契約の三つのインターネット契約を結ばされるケースでは、トリプルインターネット契約に成り、同じインターネットしか見られないインターネット契約を二つまたは三つの契約は、完全に違法と言えるのだが国の官庁消費者庁の者でも未だダンマリを貫く姿勢だが、建設業界等の賃金は、全国的に下がる一方なのにインターネットとは既に、日本の電話会社が元を取って黒字経営でも４０００円から６０００円近くのインターネット料金を日本の電話会社側または他社が料金収集している事実に成り、２０１４年の低賃金社会の世界では考えられない違法行為を官庁のダンマリと共に見過ごされる事実で有る。
なぜなら、置き電話時代月額使用料金は電話代金が一万円の事が有ったのか、事実を見ればわかるのだが子供達は親に置電話の月額使用の代替の料金を聞く事で驚くと言える程バブル時代が過ぎて、低所得時代が始まっている現在テレビ付携帯電話がおそらく特許権明示が無い為、特許権請求商品に当たらない為
携帯電話料金も下がる一方に成り、修理費なども建設機械等の修理費など家電修理代金も一気に下がるのが低所得時代の平等な賃金の有り方に成る。
この他、一軒家の海外輸入一軒家が企業を通した場合１５００万円と言われて居る家を都道府県市町村区が直接海外住宅の購入販売をしなければ低所得者に対しての一軒家を持つ事が段々難しく成り、金の有る者だけが資産を経費として、土地財産を増やし続けるとやがて、同一似た作品の家の会社の潰しあいが始まって国が亡び企業の海外資産の持ち出しに依る日本離れ企業移民現象が起こって国が平等な税金回収出来ないままに終えるのが資本主義のお金主義の現状で有る。
【００１５】
テレビの全自動の無休憩水中撮影の為の全自動作動の水中ロボットインプット撮影システムと山岳ヘリコプターを複数使った昼夜の全自動無休憩水中撮影はスクリュー無線波を使用した数字ナンバーの前と後ろに複数絵文字を取り付けた送受信手段を使った全自動の自然界の昼夜撮影に成り、日本のテレビ業界及び海外のテレビ業界にも絶対に無いテレビ送受信システム技術に成り、未来に向けての日本の弱者庶民一人一人の財団で行う自然界の実況映像システム事業計画に成る。
【００１６】
携帯電話の画像パネルを使った近距離無線機能の付いた二つの送受信装置を内蔵した携帯電話装置は家庭と他の全ての水道モーター仕切弁の携帯無線波による遠隔リモコン操作方式及びガスモーター仕切り弁の遠隔リモコン操作方式及び風呂の全自動浮遊モーターステンレス風呂桶洗浄装置と全自動モーター給水と風呂焚きの遠隔リモコン操作方式とビデオの携帯電話の録画予約と録画スイッチ入力の遠隔操作方式と自動車の室内の冷暖房の遠隔リモコン操作方式と一軒家等の防犯システムのライトカメラの遠隔操作方式と全自動記録システムと全自動ロボット警備に対しての著作権と特許公開に成り、自動車の全自動車庫入れは、既に特許公開済みで有り、現在社会で他国のスマートホーンの画像付携帯電話を使用した車の車庫入れなど遠隔操作のオール電化システムに対しても、商品を作る成ら事に成るならば特許権明示が必要に成り、いずれもライトカメラ及び物体との正確な距離を測るカメラ以外の全自動装置が必要視されるのも間違い無い。
この他、暗がりでも物体確認出来るレントゲン放射線内蔵パネル積載カメラ及びサモー放射線パネル内蔵カメラによって、暗がりの物体と人の有無の確認出来るカメラによって、スマートホーン自体の全自動走行内蔵の自動車の作動スイッチと設定スイッチの携帯電話からの全自動自動車の遠隔インプット操作がどんな状態に於いても全自動自動車の車庫入れが可能に成る事実説明で有り、著作権上携帯電話の遠隔操作の特許権番号明示の無い場合は、不正競争防止違反の特許明示が無いまま商品を作る事が出来てインターネットを使用して販売の広告をした事実に対しても、罰則罰金の支払いに対して国税の場合は国税庁が調査して全て回収出来る国税回収システムを作るべきで有る。
従って、都道府県市町村区税支払いの場合は、都道府県市町村区の税務課職員が調査して税金回収出来る現在の、国税不足分と道府県市町村区税不足分を回収出来る一つの案件に対して、特許権番号の商品の明示義務が絶対条件に成り、特許権番号の明示していない商品の販売の停止のみ成らず商品の購入と商品の宣伝等の禁止まで出来る日本国の１０００兆円近い借金全額返済の知恵の一つの知的所有財産法の案件の一例に成る。
事実上、確かに日本国民の貯金額は、１０００兆円として誰かの密告で報道されているが企業の海外持ち出しの知的所有財産を使った全ての資産と資金と預貯金と株の等価価格資産と目減り分の損益資産の公開をしないのになぜ、誰が国民の預貯金資産の総額報道を行って、税金対策及び銀行資産の活用などの報道を行う事自体が不平等で有り、企業一社が全世界で販売すると７０億人対応の其々の商品値段に成る為、億額超えに対して兆額を超え京額の位の総資産企業の存在も有り得る総資産家の永遠公開が無ければ全ての海外国の海外有識者との談合及び海外国の上層部との談合に成る為、最後は反乱と戦いで終わる事なら資本主義とは永遠の戦いを意味する戦いで資本主義に関連した者だけを守る考え方に成る。
従って、著者及び考案者は知的所有財産の戦争反対者と明言し自給自足自立社会を目指す考え方の知的所有財産保持の永遠の弱者全ての生活権主張と努力による財団社会維持の国民すべてがいくつかの農林魚商の集合体の知的所有財産としての資本主義主張の集団の法人の考え方に成り、テレビも一つの時代の財産で有るが特許権は海外では直ぐに特許権にはしてくれ無かったが過去の昭和時代の世界実例に成り、特許権が三回目ではテレビの最初の特許権者のテレビ会社設立に及ぶ世界電気販売会社が現在もトップの世界企業として存在して居る事を願いたい気持ちに成る庶民一個人が特許権無では日本国の１０００兆円を超える借金全額返済は無理に等しいのが事実。
従って、国民の税金のみでは国の全額借金の１０００円の借金を絶対に払えない様にした国の借金で有り、国民の生活意欲を付いた税金を回収出来づらくしたりしたのも事実に成る。
従って、複数の会社が特許権の有する同一商品の販売をして来た不正競争事実と国が不正競争または不思議とは考えなかった同一商品の複数会社の販売事実で有る。
其の為、知的所有裁判官は著作権に於いて世界著作権に対しての特許提出の価値観を、現在まで沢山の会社で作ると国税の収入が増えると考えていた知能裁判官しかいなかったが事実確定の様で有る。
従って、裁判員制度によって、民間の誰が選ばれ、今後裁判をもし行った場合の知的所有裁判官の判断は全世界に日本の先進国の全世界の特許加盟国の特許権説明の事実報道されなければ永遠の平和と安定とは人が人で無く成る事実に対して永遠とは金で無い答えを見て見たい知的所有財産に関して著作弱者の自立社会説明する弱者一人一人の生活権を永遠に守りたい夢を見る大和の国の地水風火林の生と共に生きる者の知的所有財産の本当の姿を探す者。
【００１７】
この他、全自動ロボットの中に内蔵する人及び動物及び草木及び機械の形状と色の識別を全自動認識確認作動する為の全自動ロボットの特許権性の濃い形状全自動認識システム回路内蔵の人及び動物及び草木及び機械の形状を全自動認識出来る磁気データー内蔵画像パネル技術が有るが全てが異なるリモコン作動の人型ロボットの表に付けて画像に対して、人が見る為の装置とは異なる為、別のロボットの体内に人及び動物及び草木及び機械の形状を全自動認識出来る磁気装置を内蔵するロボットだけが確認する為の画像パネル技術説明に成り、著作権上異なる画像パネル技術に成り、画像パネル装置と人及び動物及び草木及び機械の形状を全自動認識が出来るＣＣＤダイオードパネルカメラの色別と物体の形状データーを照らし合わせて全自動認識出来る装置の違い説明を出来る装置に成る。
但し、テレビ等のロボットに付けて見るロボットテレビ著作権と特許権は最初の特許提出者の著作権の優先権とは、テレビパネルを他の商品に付ける機能の特許権に成り、特許権料金請求のテレビ機能を他の商品に付ける特許請求権は薄い事に成る。
この様に、実際にロボットにテレビパネルを付けた商品は外に有るかを調べると漫画などの著作権の介入論争に成り、いずれにしても国民に特許権料金を請求する事を国が罰則と税金回収の対処しない事自体が弱者一人一人の請求権は人で有っても人で無いのが事実だが人の生活権の請求権より電気製品の高すぎる商品値段の方が法律上人を守るより、商品値段を守る方が事実で有ると理解しなければ成らない。
従って、現在は本当に商品値段公開している日本企業の商品の値段が世界で一番高い事実に対しての無法状態を国連が忠告しないと擦るならば、全世界の企業と日本企業の談合は事実に成り、この次は海外からの自由化として、家の半額以下と自動車の半額以下と家電製品の半額以下と貴金属の半額以下の商品の自由化説明に成り、この事を否定する事実とは、海外への日本企業進出に中っての契約書の全ての公開に成り、海外全てが日本国国民を批判するならば、証拠としての海外進出の日本企業の海外国の企業との契約書をテレビ放送及びインターネットで公開しなければ成らない。
そして、其の上で国連の話し合いが成立するのは、誰が見ても理解出来る国益と世界国安定社会を求める場合は、全世界企業の所有する資産の未来永劫説明が全世界の企業に無ければ、この時点で全ての国は例え貴族でも滅んだとしか言えないのが人の説明より、金だけが裁判に掛けられないで一人歩きする事実に成る。
従って、誰が考えても、知的所有財産の所有者を明確にすると同時にどれだけ利益を得て、どれだけ個人資産に出来て、どれだけ海外国に個人資産を持てる事実に対しての税金介入出来る説明と税金を掛けないで済む事実説明を知的所有財産法に明記して、特許番号の強制的に表示する印刷物を付けて販売する事実に対して印字と印刷書き込みをしなければ重加算税より、重い税金を国民の署名の名の元で決めなければ成ら無い。
従って、誰かが１０００兆円の国の全額借金返済を考え無ければ成らない。
【先行技術文献】
【特許文献】
【００１８】
【特許文献１】特開２０１４―００８０６２号の農業用地熱暖房パネル。公序良俗違反のため不掲載とする。
【００１９】
【特許文献２】特開２０１３―２４２８８２号の国会議員が必ず読んで借金返済対策を決めなければ成らない国と都道府県市町村区の全額借金返済の為の著作権５０００図未満の公開文書図と著作権編集機著作権原本。（企業と国及び都道府県市町村が特許権で無い企業の特許提出によって著作権編集機著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の新技術の著作権物技術。
【００２０】
【特許文献３】特開２０１３―２３４５７１号の未来の別の美瑛街に出来る世界遺産を目指す為の永遠に壊さないクリスタルダイヤガラスビルに伴う修身介護システムの著作権原本。
【００２１】
【特許文献４】特開２０１３―２０９７９２号の６５歳を過ぎてから使用する溶鉱炉及び陶器の火焼きに使用する耐熱エアー服と陶器ガラスの材料説明の著作権原本。
【００２２】
【特許文献５】特開２０１３―１７８８５３号の日本の弱者一人一人の財団設立後の日本の弱者一人一人の財団商品に貼られる全自動インターネット管理社会のカラー異種異形バーコードシステム。
【００２３】
【特許文献６】特開２０１３―１２７１４５号の国の全額借金返済と都道府県市町村区の全額借金返済の為の知的所有財産の稲の茎笹の茎ナイロン合成の固形窒素糸と果物粉末色を使用した冷却糸。（企業と国及び都道府県市町村が特許権で無い企業の特許提出によって稲の茎笹の茎ナイロン合成の固形窒素糸と果物粉末色を使用した冷却糸商品を、作って企業利益を、上げると国の機関でも知的所有財産の技術横領の利益を得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００２４】
【特許文献７】特開２０１３―１０２６８８号の国の全額借金返済と都道府県市町村区の全額借金返済の為の多機能電気トラクターの著作権原本。
【００２５】
【特許文献８】特開２０１３―０９４０５７号の国の全額借金返済と都道府県市町村区の全額借金返済の為の世界最速の超電導リニアーモーターカーシステム全体の著作権発明原本。（企業と国及び都道府県市町村が特許権で無い企業の特許提出によって世界最速の超電導リニアーモーターカーシステムの知的所有財産の技術を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【００２６】
【特許文献９】特開２０１３―０９３８９６号の国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が国と都道府県市町村区と世界特許権無しで家電製品に軽水素トリチウム電子ガスの回路技術の勝手使用によって知的所有財産の技術横領共謀で国も都道府県市町村区も著作権盗作によって罰せられます。）。
【００２７】
【特許文献１０】特開２０１３―０９１５７０号の国の全額借金返済と都道府県市町村区の全額借金返済の為の知的所有財産の携帯電話及び携帯無線装置による非常停止非常制御操作出来るエレベーター磁極切り換えインバータ制御レールモーター装置の著作権原本。
【００２８】
【特許文献１１】特開２０１３―０９１３２３号の国の全額借金返済と都道府県市町村区の全額借金返済の為の知的所有財産の偽造防止紙幣硬貨原本。（企業と国及び都道府県市町村が特許権で無い企業の特許提出によって偽造防止紙幣硬貨の商品を作って企業利益を上げると国の機関でも知的所有財産の技術横領の利益を得る方の横領の共謀罪に成ります。）。あくまでも国益１００パーセントと都道府県市町村区益１００パーセントを目的とした国と都道府県市町村区の借金全額返済の為の先著作権技術文書図主張の知的所有財産の著作権に成る。
【００２９】
【特許文献１２】特開２０１３―０９０９４８号の地方経営の医療施設の技術向上と国の全額借金返済と都道府県市町村区の全額借金返済の為の知的所有財産の圧電素子陽電子静電気及び圧電素子陰電子静電気細胞蘇生リバビリテイション装置著作権原本。（北海道知事著作権郵便物受理書付）
【００３０】
【特許文献１３】特開２０１３―０８３２６８号の地方の売電利益を上げる為と海外水力と火力と原子力発電の高出力ダイナモの増量発電技術の海外売電契約の国と都道府県市町村の全額借金返済の為の決定的な電力不足を補う為の一般に知られて入る半永久の水力ダムの高出力ダイナモ積載の増幅発電型の半永久型の水循環増幅発電システム。
【００３１】
【特許文献１４】特開２０１３―０８２４４８号の国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を上げると国の機関でも知的所有財産の技術横領の利益を得る方の横領の共謀罪に成ります。）。あくまでも国益１００パーセントと都道府県市町村区益１００パーセントを目的とした国と都道府県市町村区の借金全額返済の為の先著作権技術文書図主張の知的所有財産の著作権原本。
【００３２】
【特許文献１５】特開２０１３―０７８６５６号の地方経営の工場の国の全額借金返済と都道府県市町村区の全額借金返済の為の無知的所有財産のスピーカー振動ゴミ取り機能付き掃除機著作権原本。
【００３３】
【特許文献１６】特開２０１３―０７７５７６号の国の全額借金返済と都道府県市町村区の全額借金返済の為の知的所有財産のバッテリー再復活充電バッテリー装置の著作権原本。（企業と国及び都道府県市町村が特許権で無い企業の特許提出によってバッテリー再復活充電バッテリー装置の商品を、作って企業利益を上げると国の機関でも知的所有財産の技術横領の利益を得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００３４】
【特許文献１７】特開２０１３―０７０６１８号の国の全額借金返済と都道府県市町村区の全額借金返済の為の世界最速ウルトラスーパーコンピューター装置の著作権原本と著作権追加原本。（企業と国及び都道府県市町村が特許権で無い企業の特許提出によって世界最速ウルトラスーパーコンピューター装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の先著作権技術主張の知的所有財産の著作権に成る。
【００３５】
【特許文献１８】特開２０１３―０６７６５４号の国の全額借金返済と都道府県市町村区の全額借金返済の為の知的所有財産の夏専用の果物香料入り冷却ファンドクリームと冬専用の果物香料入りの暖房ファンドクリームの著作権原本。（企業と国及び都道府県市町村が特許権で無い企業の特許提出によって夏専用の果物香料入り冷却ファンドクリームと冬専用の果物香料入りの暖房ファンドクリームの著作権原本商品を作って企業利益を、上げると国の機関でも知的所有財産の技術横領の利益を得る方の横領の共謀罪に成ります。）。あくまでも国益１００パーセントと都道府県市町村区益１００パーセントを目的とした国と都道府県市町村区の借金全額返済の為の先著作権技術文書図主張の知的所有財産の著作権に成る。
【００３６】
【特許文献１９】特開２０１２―２３６６０６号の国の全額借金返済と都道府県市町村区の全額借金返済の為の知的所有財産の多機能電気観光船著作権原本。
【００３７】
【特許文献２０】特開２０１２―２３６６０５号の国の全額借金返済と都道府県市町村区の全額借金返済の為の知的所有財産の多機能電気モータープロペラ飛行機原本。
【００３８】
【特許文献２１】特開２０１２―２１０７０３号の国の全額借金返済と都道府県市町村区の全額借金返済の為の多機能インプット全自動ロボットの著作権原本。
【００３９】
【特許文献２２】特開２０１２―１８７００１号のテレビ局の目と有識者の目と大学教授の目と共に国民の電気エネルギー危機の再チェックと試作が必要と思われる電力不足危機対応の対策案の為に公開する国の危機の全額借金返済の為の新２連振子型機械式無害無給油無休憩発電機。（半永久連続作動発電機。）。
【００４０】
【特許文献２３】特開２０１２―１７００６３号の国の全額借金返済と都道府県市町村区の全額借金返済の為の知的所有財産の圧電素子補助急速充電携帯電話著作権原本。
【００４１】
【特許文献２４】特開２０１２―１６６９５１号の国の全額借金返済と都道府県市町村区の全額借金返済の為の知的所有財産の生ゴミ真空装置粉末処理車著作権原本。
【００４２】
【特許文献２５】特開２０１２―１４０５８４号の国の全額借金返済と都道府県市町村区の全額借金返済の為の炭素固形フロン冷蔵庫著作権原本。
【００４３】
【特許文献２６】特開２０１２―１２０４４０号の国の全額借金返済と都道府県市町村区の全額借金返済の為の多機能電気自動車著作権原本。
【００４４】
【特許文献２７】特開２０１２―１１６７２７号の国の全額借金返済と都道府県市町村区の全額借金返済の為の知的所有財産の最速スクリュー水電気消防装置著作権原本。
【００４５】
【特許文献２８】特開２０１２―１０８１４０号の国の全額借金返済と都道府県市町村区の全額借金返済の為の知的所有財産の化石燃料一切必要としないレントゲンカメラ放射線飛散防止パネル装置著作権原本。
【００４６】
【特許文献２９】特開２０１２―１０１７９０号の国の全額借金返済と都道府県市町村区の全額借金返済の為の知的所有財産のワンタッチ全自動エアー浮輪著作権原本。
【００４７】
【特許文献３０】特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）。
【００４８】
【特許文献３１】特開２０１２―０９７５５９号の国の全額借金返済と都道府県市町村区の全額借金返済の為の知的所有財産の化石燃料一切必要としない高速瞬間気化処理除雪車著作権原本。
【００４９】
【特許文献３２】特開２０１２―０９７５５８号の国の全額借金返済と都道府県市町村区の全額借金返済の為の知的所有財産の固形窒素プラスチックグラスフアイバーパネル著作権原本。
【００５０】
【特許文献３３】特開２０１２―０９４５４８号の国の全額借金返済と都道府県市町村区の全額借金返済の為の知的所有財産の光りフアイバーブラウン官テレビ著作権原本。
【００５１】
【特許文献３４】特開２０１２―０７７６０７号の国の全額借金返済と都道府県市町村区の全額借金返済の為の知的所有財産のヘドロ処理運搬車装置の著作権原本コメント２００８年８月２４日ＰＭ２０時２２分３３秒ヘドロ処理運搬車の図面を漸く書き終え再び書き始める美馬牛カンキチ。
【００５２】
【特許文献３５】特開２０１２―０５６５５８号のパワーアップハイブリッド車。
【００５３】
【特許文献３６】特開２０１２―０５２７８８号の国の全額借金返済と都道府県市町村区の全額借金返済の為の知的所有財産の化石燃料を一切必要としない電気ストーブ著作権原本。
【００５４】
【特許文献３７】特開２０１２―０１１２１１号の国の全額借金返済と都道府県市町村区の全額借金返済の為の全自動最速電気洗濯乾燥機著作権原本。
【００５５】
【特許文献３８】特開２０１１―２３３２２８号の多機能ビデオ著作権原本。
【００５６】
【特許文献３９】特開２０１１―２１５１４８号の電子熱核燃料原石核融合発電と放射能廃棄物処理方法。
【００５７】
【特許文献４０】特開２０１１―２０９２９０号の多目的カーナビゲイション著作権原本と都道府県市町村区と国の全額借金返済と弱者自立社会を目指す為の２００１年からの道民財産著作権原本。
【００５８】
【特許文献４１】特開２０１１―２０５８９５号の多機能情報冷暖房無休憩発電機（原子力事故及び地震事故対応型。）。（無害無給油の無休憩の半永久全自動作動発電機型。）。
【００５９】
【特許文献４２】特開２０１１―２０５６７５号の多機能携帯電話装置原本。
【００６０】
【特許文献４３】特開２０１１―２０２４９８号の一戸建て免震装置著作権原本及び国の全額借金返済と都道府県市町村区の全額借金返済と弱者自立と救済の著作権技術説明の２００１年からの道民財産著作権。
【００６１】
【特許文献４４】特開２０１１―１５５２６７号の超軽量高出力発電人工衛星。
【００６２】
【特許文献４５】特開２０１１―１０５３０７号の未来的電気自動車。
【００６３】
【特許文献４６】特開２０１１―０６４０６０号の日本の弱者国民救済の地震対応型の多機能発電ハウスシステム。
【００６４】
【特許文献４７】特開２０１１―０６０２９４号の発電タッチパソコン発電タッチパソコン。
【００６５】
【特許文献４８】特開２０１０―１７１９４３号の多機能新技術携帯電話。
【００６６】
【特許文献４９】特開２０１０―１６５３５５号の国の９００兆円越えの借金全額返済の為の世界最新の公共事業対策装置。
【００６７】
【特許文献５０】特開２００６―２５４６９７号の全レールモーター制御無害無給油発電機を使用した電気自動車。
【００６８】
【特許文献５１】特開２００４―３０４９９３号の一度に複数の電気配線と複数の電気コイルを持ち得て焼けないで力のあるモーターのあり方。
【００６９】
【特許文献５２】特開２００４―３０４９９２号公報の圧電素子３電子磁気分割装置の電気から熱抵抗電気を減らして電気を長持ちさせて電気製品に無理をかけない電気装置の有り方（別名圧電素子４電子磁気分割装置。）。
【００７０】
【特許文献５３】特開２００４―１３５４８０号の自動充電池。
【００７１】
【特許文献５４】特開２００３―３２８９２５号の真空装置と機械式発電機を使った水だけの発電機。
【００７２】
【特許文献５５】登録実用新案第３１６８０４３号高出力発電７連結以上モーター。
【００７３】
【特許文献５６】登録実用新案第３１４５９６３号省エネルギー水気化高出力水発電機（別名高出力水発電機。）。
【００７４】
【特許文献５７】登録実用新案第３１１４４９１号二連結以上モーター。
【考案の概要】
【考案が解決しようとする課題】
【００７５】
初めに、テレビの特許権は海外で直ぐに成らなかったのが中学校時代に聞いていた海外特許庁がテレビ技術に対して、映写機事実が存在した事実によって、特許性技術に対して構造違いに対しての特許権判断が映像波を遠くの場所から送る技術に関して認められなかった事実に成る。
従って、映像をカメラで写した動画映像を電波に乗せて送る技術に対しては、ラジオ及び無線装置は存在したが、動画の送受信技術に於いて昭和３０年代既に日本の一部個人が開発した技術の説明は義務教育時代名前も知らなかったのも事実で有り、教科書にも出て来なかった名前の事に対して特許権番号は余り重大で無かったばかりか、誰が先に発明した事実すら日本の上の者の考え方だった事実が平成の現代まで知る機会すら無かったのも現状の事実に成る。
言わば、電気の神様的存在だったのか、名前も知らされず、出身地が何処で等、何もかも天と地の差なのか余り、知られては生けない人だっただけで無く、現在の日本企業の神様的存在の人が、何故、教科書の有名人の著名人として世界企業名誉人及び国民名誉人として、何故紹介されて居なかったのか不自然過ぎなのも日本の奇妙な出来事のベストスリーのトップに成る出来事に成る。
従って、永遠に使用されるテレビの映像波送受信装置の特許権はブラウン管装置では、既に特許権年数分だけ、特許権の利益償却を行い、二回目の液晶パネルテレビも特許権年数の２５年を償却したと言えそうで有る。
此処では、実際のテレビ開発者の手元にお金が入った大金によって、日本各社の企業を支える元会社なのかは不明で有る。
従って、問題はテレビの特許権の特許権切れの著作権者が不明確の為、特許権切れが一回を過ぎると最初の特許権者の特許権切れに対して、テレビの著作権契約が必要に成り、液晶テレビの二回目の特許権切れに対しては、新しいテレビパネル技術出現と共に最初のテレビ特許権の特許権切れの著作権者とテレビの著作権契約を行う事によって、既に事業を行って販売している場合販売数契約と販売国の事業テレビ販売契約が必要に成り、其の事によって、新型テレビの製造販売輸出が出来る事に成る。
更に、今までの液晶テレビの製造販売は日本の複数の会社が海外で殆ど作って販売している為、テレビに係る経費とテレビを海外で作って販売すると日本国には一円の国税の税金も入らない事に成り、日本の政治経済が混迷する為、二度目のテレビの特許権切れに対して、三度目の特許権は、液晶テレビの特許権切れの値段以上高く販売出来ないのが事実に成る。
既にテレビと言う特許権財産は二度の特許権年数を経過して居る為、特許権の高額請求が不可能に成る。
従って、政治経済の混迷とは、この様に数回の特許切れ商品では値段を企業側で勝手に上げる事は不正に商品の値段の申し合わせの取り決めに成り、国民資産を企業側が勝手に取り決めて、国民資産を削り取る企業談合による騙して資産を取る行為に成る。
従って、テレビの値段を高価のままにすると税金回収が不足に成り、間接税などの廃止に拠る消費税にしたため、国が完全にしなければ成らない事とは、著者以外の国民一人一人を個人会社にして、海外国に海外国従業員を雇った会社を国民一人一人の分全世界に作るのが、間接税廃止及び国営会社を無くす事は、次に変わりの同等の物を用意しなければ成らないのは誰でも判る事実で有るが、これでも騙す者が絶えなければインターネットの国民の話し合いの元で知的所有財産をお金を掛けず全世界に提出出来る日本国へ意義申し立ての署名活動をスムーズムに進める為のラジオインターネット社会など、パソコンインターネット社会と一番安く済むテレビ局出演の国へ直接署名数を集めて訴える手段が企業談合に対して効果的な訴える方法に成る。
従って、テレビ自体が日本国民社会の生活必需品に成り、一軒に二台以上のテレビパネルが有る時代でも有り、日本企業それぞれが日本の１０００兆円の借金以上の海外テレビ関連資産は既に持って居ると考えるが日本国内の家電製品等全ての商品が海外の国及び他国より、商品全てに対して一番高い商品の料金設定の上だとマスコミでは報道して居る事実に成る。
それに、追随して労働賃金が下がる一方の為、税収も少なく成るのが日本国の現状に成り、電気製品及び自動車等の全ての商品に対して、料金の取り決めは企業側と販売店の申し合わせで決めて居る為、特許権切れの商品に対して特許権明示の無い商品に対して特許権料金そのままの商品値段を支払わされて居るのも事実に対しての２０１４年の現状に成り、特許権切れか特許権内の商品の明示が出来て無い為、特許権切れ商品に対しても、割高料金を支払わされて居るのが現状の様で有る。
この事を低迷する日本社会と言い、税金を支払う側の国民側にお金が無いまたは無くなった状態の事を言う。
其の為、税金の取り用が無いと言う説明に成る。
従って、給料も上がらないのも商品の特許権明示だけで無く同一商品を数社で作って販売する不正競争防止法違反行為と不当な料金を持って販売する行為が後を絶たない為、特許権番号の明示義務と重加算税の上の高額重加算税賠償の取り決めを逸早く行いＴＴＰの貿易自由化では、海外の安い商品が税金抜きで入るが特許権番号無の商品販売では、誰の特許権の著作権物かが不明の為、税金が実際に莫大なお金を育てる知的所有財産の本当の所有者名を公開しない事によって、本来支払うべき知的所有財産所有者にお金を払わなくて良い判断にする為の国の官庁の考え方で有り、知的所有財産裁判官の仕事を増やす事で裁判官人員の雇い入れを活発にする事で大学卒の就職率を高くして居る現状だとマスコミ各社と新聞各社は表明と言う立場説明をして居る。
即ち、同一作品を複数の会社で販売を日本国の官庁が認めて居る現状にしか成らない為、責任は全て国の官庁が１００パーセント以上の未知数の位の責任取に成るのは言うまでも無い。
いずれにしても日本企業が国と進めて居るＴＴＰの貿易自由化によって、商品の不当な値段が明白に成る時代とは、海外の販売価格と日本の販売価格差の明示義務が必要と考えられる事に成る。
従って、日本企業が潰れるのも間違い無いと言えるのは海外輸入品を大量で契約して日本で販売する会社が存在擦ると小さな貿易会社は真っ先に潰れるのも本当の様で有り、消費税のみが日本国に入るが商品の本当の値段は誰が教えるのか国は判断せず見過ごすままなのかも不明確に成り、国がＴＴＰの貿易自由化を推進して居る事実で有る事とは日本企業が海外全ての国に既に進出して事業を行って居るのが事実で有る様で有る。
それどころか日本国へ一円も利益に成らない日本の海外外資系企業の海外利益が莫大に膨れ上がっている為、日本の国内へ少しでも海外国では海外の自国の商品を日本に売って外貨を稼ぐ考えでも、商品によっては同一商品に対して１０分の1程の値段の格差を本当に日本国内で海外国の販売会社が販売するのかしないかの事の判断事実によって、日本国民は外資系日本企業によって、重加算税以上の負担を日本国民にもし負担を負わせる事実ならば、この場合誰が弱者と生まれて来る者の保障をするのかは日本国側の回答の公開が必要視される事に成る。
つまり、海外国の商品は、事実上数段日本国より、安い料金だが日本国内で販売した場合本当に安く販売される事実なのかは不明確で有る。
従って、どの様にして海外国の本当の値段表示を説明出来るかはインターネットの大使館の商品値段確認と大使館側の値段説明が必要と考える事実とは低所得者の生活が益々悪化した場合の賠償を国が賠償保障するか明白にしなければ、これから益々税収不足の時代に対しての海外の外資系企業の海外国での無法状態の付けを国民にそのまま重く乗せるならば、お金の税金の有り方と外資系企業をあくまでも日本企業と位置付けるならば日本国の法人税４０パーセントを海外国の海外国税に対しても日本国の最高責任者の意思によって、海外国の税金を日本国並みに支払ってこそＴＴＰ自由化の意味そして、その意味こそが海外国での日本国には一円も成らない外資系企業の本利益が膨れ上がって海外国が手を余して、日本国庶民に負担を迫る様だが、本当に現在の日本企業が携帯電話のアメリカ販売価格と日本販売価格差の不当な利益説明の罰則を先に決めないＴＴＰは、政治家が今後の同一商品に対して、海外国と日本国の販売価格差を政治家の資産で保障すると明記しているのかが不明確の為、騙されてからでは益々、日本の弱者国民の負担は大きく成る知的所有財産の平等な価格の販売に対しての疑問とＴＴＰ契約内容に対して、日本国民に対しても、政治家の捺印が必要としか書けないどの様にして海外国の値段を日本国民に対して説明するかが海外国とのＴＴＰ自由貿易の本当の利益の意味に成る。
但しＴＴＰ自由貿易に対して、日本国内の販売会社が損益を伴った場合日本国の日本国内の販売会社への賠償が成立するがここまでの説明の上で、最初からＴＴＰ自由貿易に対して、消費税のみが国益に成るが、海外製品を最初から海外の値段で販売する事と嘘の販売をした場合、海外国の日本販売会社に対しても、違反した場合の銃加算税以上の罰則と罰金を政治家が先に決めない限り、飲酒運転が今まで、無く成らなかった事と同じ事に成る。
但し、海外国の電化製品に対して日本国製品の半額以下だとか保証期間に対して日本国企業が一年に対して最高７年などの保障とか自動車に対しても日本製自動車の半額なども中国製自動車及び韓国製自動車なら有り得るだけで無く保証も２５万キロメートル保障などの取り決め契約などが必要とされる事実とは、自動車会社の特許権明示の無い自動車は、日本の生活水準が下がる事実に対して、自動車の値段が上がるだけで下げる事をしなかった事実に成る。
現在の、自動車に対して、国益とは燃料の税金と自動車に係る重量税等の自動車税に成り、企業の海外進出を後押しする為、日本国では日本国から販売する商品のみには法人税をかけたが海外で製造販売している自動車等に対しては海外国の法人税まかせに成るが海外国で製造販売する事を企業側が日本国と日本国国民に対して、契約と捺印はしていなかったが、例えば日本庶民と都道府県市町村区が共同出資して海外国での無給油電気自動車の販売の後押しを国が進んで行って居ない事実に対して完全無視の不平等な実態に対してはＴＴＰ自由貿易の海外国との価格差を鮮明に出来ない場合等の罰則は一円刻みの罰則がここに有る事が間接税を無くして消費税導入した現在、ＴＴＰ自由貿易に対しては一円刻みの罰則として、国税変換などが明記されない限り、日本の庶民と都道府県市町村区で作る他の日本自動車企業では、一台も作れない電気自動車等の海外国輸出計画書が出来ない限り、日本企業の資産だけが増え続け、日本の庶民と都道府県市町村区の海外輸出の無給油電気自動車等の販売しない限り、日本国民を日本企業は絶対に今まで守ってはくれなかった事実の日本国の１０００兆円を超える借金の事実の姿がすべてを物語って居るハイブリット自動車物語はこのまま続く事に成る。
政治家が海外の日本企業に対して、すなわち外資系企業に対して、法人税保護と間接税撤廃保護した為、世界トップ企業に成った為、日本国に対して、企業資産が膨れ上がった事実に対して、日本国民に対して、見舞い金に対しての過去の当時のオレンジと米自由化に始まって牛肉自由化の事実に成る。
次に安く成るのは、洋服なのか自動車なのか石油なのか恐らくマスコミと新聞ラジオが喧嘩の糸口を作って逃げ去る今回の手法何かが起こる前兆現象に成る。
そして、果たして、外資系日本企業では日本国の１０００兆円借金など糸も簡単に払うのか不明確に成り、但し、ＴＴＰが成立した場合は石油ガス石炭なども、課税無の意味に成るが法人税を下げても上げても、安い商品に押される為、商品の特許権番号の明示義務と商品の値段管理と値段監視を国が行わない限り、高い商品を永遠に騙されて買わされる時代が来ては成らないと言える。
本考案者はテレビ自体が日本国内で、特許権値段が二回の特許権年数を償却しても続くテレビの値段をそもそも、国が理由説明書を基づく企業と販売会社にまかせる事は、日本国の借金１０００兆円を、一夜にして支払って見せるからの取り決めを国と企業側と販売会社側の取り決めが有るから、海外個人資産公開と海外会社資産公開を行わない取り決めを行って居る状態で有る。
従って、事実とは絶対に払えない日本国の１０００兆円近い借金の支払い方を既に取り決めて有ったがどうやら事実の事とは違う様で有る。
日本国の借金が１０００兆円超えに成り、仕事を作り、現在の二倍以上の賃金を支払って、国の借金返済の為の企業の考え方でも有れば少しだけ変わる事も有り得るのだが、国民では払えない国の借金事実が、既に企業側と日本の政治家と日本の官庁の取り決め事で入札など、あらゆる面で弱者苛めを行って来た事実に成り、
取るだけ給料を戴く考え方も官庁に成り、東京都の土地の値段が上がると困るのは、東京の全ての区に成り、この場合の対策として、東京都のはずれに、東京都の通勤の町を作るか、現在の土地の地下マンション化を進めて、地上部想定の屋根部分等の屋上の農地利用に成り、地下マンションの為、地震に対しては地上マンションより長く住めるだけで無くコンクリートマンションの劣化に対しても、太陽劣化の無い分長くマンションに住める事に成り、通常コンクリートマンションが１００年としたらそれより長く持つだけで無く地震対応にも効果が有る。
事実の上で本当の政治家の狙いと日本国官庁の狙いと取り決めとも言える事実もこの世の破産と言う法律が有る説明だが当初から、国の借金返済に対しては、何も考えてなかったそればかりで無く国の財産で有った国鉄及び電話会社及び郵便局など、日本国として、海外進出は日本の政治家達は嫌いの様で有り、その代り、個人企業体にすると海外進出が出来る考え方が好きな様で有る。
其の為、今後は海外国への農業移住及び漁業移住及び林業移住先として、イギリス及びフランス及び北アメリカのイギリスの農業株とイギリスの農業株とイギリスの林業株とフランス農業株とフランス漁業株とフランス林業株そして、北アメリカの農業株と北アメリカの漁業株と北アメリカの林業株を日本国が買い取り、日本国の農業者を海外に住ませて、ＴＴＰに対して、永遠対応で、今回の農業及び漁業及び林業のＴＴＰは、解決するが、他の商品に対するＴＴＰの自動車及び建設機械及び電気製品及び衣類及び家なども、半額以下もしくは、三分の一以下の海外商品輸入体制の場合、絶対に壊れない海外自動車の輸入と絶対に壊れない海外建設機械及び絶対に壊れない海外電気製品及び絶対に擦り減らない海外衣類などの、ＴＰＰは絶対に魅力的で有る。
これ以外の考え方は、無いのが農業及び漁業及び林業に成り、邪馬台国の時代前から自給自足で有り、誰も、駄目とは決して言わなかった事実に成り、知的所有財産法以前の、当たり前の考え方に成る。
属に言う、ＴＴＰとは海外介入に成ると、海外の国の法律介入に成る為、海外賠償例として、海外の企業賠償等の例に基づく、日本国の鉄道及び携帯電話及等の海外運営の自由化に伴う個人資産の格上げ事実だとすると、個人資産の格上げチャンスは農業及び漁業及び林業に存在しなければ成らない。
つまり、鉄道の元々の資産が日本国の資産で有り、日本国の資産活用は国民全員平等に成る為で有る。
更に、携帯電話会社の資産が日本国の資産で有った為、一部の人間の賃金引上げの為の国営化ならば不平等に成る加速増すだけで有る為、実際に、農業経営者の黒字経営者は、１０パーセント以下説明が農業だけで食べて行けない現状など、物事を新しくする為には弱者を無くす事を終えたなら、日本国民全員が黒字に成る為、それからなら税金を平等に取る考え方が簡単に成るのだが政治家及び国の官庁及び大学及び有識者及びテレビ局報道者及び新聞報道者及び海外移住者など、誰一人、簡単な理由で有る低所得者から税金を一円も取らないで給料の高い大学及び官庁及びテレビ局員及び新聞職員から税金を高く取る事で、家の値段を高くしないで済んだり、自動車の値段を高くしないで済んだり、家電製品の値段を高くしないで済む方法が高給取り、官庁など裁判官を含めた給料の税金を取らなかった為、企業側取り決めの商品の値段に対して、バブルを含めて上がるだけ上げる事が出来た企業説明に成る。
然しながら、年間一億円の裁判官給料及び銀行の上層部及び株屋の給料及び大手企業社長の給料を実質は税金を過去の80パーセントに戻すと、大体現在の不平等が有り過ぎる時代が長すぎるとこの様なお金持ちと金の無い者の差が激しい現象が興る。    
実際に、海外に流れた日本円を取り返す事が法律で出来なければ海外の海外国籍所有の日本の会社企業の海外特許提出の日本公開しない時は二重に利益を上げ続ける各国の企業に対しての特別な税金対処を国連に求めるしか無い為、国民署名を取り、政治家の名の元によって国連提出によって、企業同士の談合廃止を加速させて日本国で有れば同一テレビ販売の禁止によって、一つの企業の利益を増やして国税を増やす手段など行わない限り、日本国の全額借金返済が出来ない理由の一つに成る。
従って、建設機械なども特許権所有までとして、同じ機械作りの廃止によって、会社所得を上げる事で国税の支払いを多くする対策にしない限り、永遠の借金地獄とは、お金持ちとは海外に分散して会社を作って、経費説明を行えば生まれた子供でも弁護士を付けるとゼロ歳から社長に成れる理由説明に成る。
従って、現在はテレビを日本国で数十社近く作って居るとしたら大変な事をテレビの発明者は考えて居た事に成り、例え世界有数の発明者でも許す分けには行かないのが国の破産に成り、おそらく世界のテレビ関連会社の数だけ、最初のテレビ発明者の就職先が有るのは良い事だがお金の分散化術によって、日本国は税収不足と言う事に成る。
つまり、道路を作ったり、河を直したり、介護用のビルを建てるお金が入って来ない現状は税金の取り方が判らない者が会社を作ったりするからだと他の者から言われても仕方の無い現状まで持って来ただけで無く、今回のバブルの勝ち逃げ者の裁きは一切追及及び調査の打ちきりが海外国の日本企業資産の持ち株資産などの等価の日本円説明をした時は世界でトップ及び二番の企業だと日本の報道局から言われた時代に対して、海外国の株資産は京の位もしくは其の上の位の海外株所有事実を公開すると日本国での国民の署名集めによる海外資産公開訴訟など、５万円で済む裁判費用だが本当に日本国の借金全額を無くす事を速く望むならば５万円で済む裁判費用による海外国の日本会社の株の所得数による海外資金の金額は何も知らない人は腰を抜かす為、テレビ局の禁句そして、新聞社の禁句及びラジオ局の禁句はインターネット時代が始まって、何時の時代まで日本国の上層部は低所得者国民を騙し続ける事が出来るかが今後の税金回収対処としてどの様にするかが問題点に成り、特許番号公開無はズルイ利益者の言い分に成る。
外資系の日本企業を日本国民に対して日本国が破産した場合は訴えた場合は法的に外資系の日本企業を訴える事は出来ないばかりか見舞金も出ないのが通常に成り、例えば、過去の原子力船に対して、睦船を作る時に当時の企業系大学個人の原子力発電技術特許に対して国の年間予算のおそらく３年分を支払ったと去れて入る。
今回の東北沖地震の原子力災害時でも一円も出さなかった事実に成るのはテレビマスコミで判って居る通りに成り、おそらくアメリカの売電益所かイギリス及びフランスの全世界の売電益で世界のトップそして、二番目までの資産家に成って居たのが現状で有り、因みに一番はアラブ共和国の石油王が世界資産トップのはずで有る。
従って、いくら日本国が金を出しても、日本国庶民に対して、一円の利益還元が無い事実が明白に成り、アメリカの三倍賠償の特許事件でビック５の車会社の潰れた株を買い取ったのが日本の原子力株及び売電益を得ていた日本の外資系に成り、戦後はアメリカに負けていた日本がアメリカの有識者を抑える経済力に匹敵する力を得たのが原子力売電利益資産に成り、車の知的所有裁判等などで潰れかけたアメリカの大手会社の株買い取りによって、もう一つの日本それがアメリカ合衆国に成り、石油の枯渇そして、現在の天然ガス採掘残ったのが広い大地の農業資源に成り、米の自由化とオレンジの自由化して、牛肉の自由化など、本来は電気会社対して日本上陸が建て前だったがアメリカと言えばエジソンだが電気会社の大手進出がなぜ行われず農業だけアメリカが進出して来たのかは未だ理由が判らない事実に成る。
この様に、テレビなどは、全世界に販売されて、日本国利益がどれだけ、有ったかは未定だが、結局テレビの特許権が日本国に有った為、海外国の電気製品が、例えば、世界大手のイギリスの電気メーカー及びフランスの電気メーカー及びアメリカの電気メーカーなどの、大手は一度も日本に来た事が無い、これは特許権の有ったテレビの契約に於いて、他の海外国は、液晶パネルを除いて作る事が出来なかったが、車の特許権は現在のハイブリットとエンジン部分のセラミック技術に成り、当初は、車の特許権はアメリカに有った為、車関係の海外国が日本に入って来た事実に成り、そればかりか、海外のアメリカ進出の醤油及び味噌及びマヨネーズなどの食料品に対しては、本来農業関係者以外の経営する農産物に輸出に成り、ＴＴＰ事件では、日本の商品を海外国が輸入し過ぎるから日本へ海外の物を税金抜きで販売させて下さいの説明の様で有る。
従って、１０分の１価格の自動車及び１０分の１価格の家は確かに魅力的に成り、アルゼンチンブラジルの中で特にブラジルの自動車の逆輸入は、日本の車の１０分の１この他として中国製の車の逆輸入も安く成る。
この様な、場合は自動車会社技術者以外の技術者が、中国自動車と提携技術販売及び韓国自動車と提携技術販売及びブラジルの自動車会社と提携技術販売に成ると、日本の各自動車会社は漸く車の値段を下げる事に成り、人権費を下げる事で他の商品の値段を下げる事に成る為、日本の人権費が海外人件費より、安く成る日も近い。
この他、家等の技術では中国製の家及び韓国製の家の改造によって、日本の海外国の輸入の家より、安く出来る方法に成り、海外の中国の大学と提携して現在の１５００万の家の三分の一の値段位まで下げる事が出来る家の開発などが急がれる。
現在の、家は、最低で１５００万に成り、最低でも、三分の一以下の競争の家で対抗しなければ、現在の給料所得者層では、家を買えない状態までに成って居る。
この様にテレビの特許権が切れた現在はテレビを世界トップレベルの販売会社の半値以下で販売出来る会社を作る事で、日本の電気会社の電気製品が世界で一番高いが従業員の給料は、世界トップレベルの給料二倍以上に成るが実際にその様な事は無いのも事実に成る。
従って、日本各社の電気製品の値段を下げる理由から、低価格テレビの販売が出来る状況を揃えなければ成らない。
其の事によって、電気製品が三分の一の値段に成る事で世界の電気製品需要に拍車を掛ける事が出来る。
従って、政治家とマスコミ有識者に説明させて事実公開させなければ、お金の取得逃げ得は有っては成らない事実に対しての法律の整備をしないのも日本の製品は全て世界特許権だから、政治家とマスコミ有識者がこの様な時代と世相しか作れなかったと言えるのは農業及び漁業及び林業経営者などに自動車や電気製品及び原子力は、全て日本の世界特許権製品としかメイドインジャパンの文字だけで日本の特許権だと信じ込んで居るのも間違い無い。
日本国民の生活権に伴う国の破綻と海外の外資系企業の日本国への出戻り変換成るかの完全明記がもうそろそろ知的所有財産法に明記しない限り、日本の金が海外に持ち出されるだけに成り、一円の徳にも成らない。
日本国の１０００円を超える借金に対しての増える借金に対して、ストップ出来ない限りだけで無く、国が新たに、外資系の日本企業向けの日本国内に神社を設立する事を日本国民全員一同で約束すると言えるが内容はこれから国民一人一人の案を集約して外資系企業に対しての神社としての神を設ける存在を明記する事を神に誓いたい。
弱者国民が支払う国の借金の全額を既に超えて居る為、国の破綻まちに成り、今後、尚一相税金の取られ方に注意が必要に成る。
【課題を解決するための手段】
【００７６】
従って、本考案のテレビパネルの製造販売に対してはテレビの最初の特許権者と製造販売輸出を行う事によって、国税の法人税を多く国に納める事を目的として、家電販売に対しては全国の小さな家電販売店の再生を行い誰でも修理出来る家電回路パーツボックス組立型テレビによって、半永久の部品交換型修理の家電製品販売システムを構築する事によって低賃金社会でも家が持てて電気自動車が持てて自給自足が出来る地下農林漁業の構築を持って液晶テレビより、構造の簡単なテレビパネルの著作権を主体とした低価格特許権料金販売時代の先駆けを目指す事に成る。
２０１４年１月２６日ｐｍ２２時２０分栃木県でペンを置く。
【００７７】
第２の課題解決の対策案として本考案の、テレビ画像パネルは液晶パネルの画像のカラーの色を作り出す構造として、カラーフィルタが無ければ液晶と言えないだけでなく液晶パネルは厚みが有る分重く成り、嵩ばり液晶の筋ライン部分が画像を美しく見せられない欠点に成る為、液晶パネルの液晶層の繋ぎ部分の合わせ目を無くす為に液晶層にアルゴンガスと微量のネオンガスを液晶層に入れる最新著作権年月日証明原本公開による特許の提出による技術公開に対しての再度の説明に成る。
従って、液晶パネルの４０型以上のカラーテレビに対してハイビジョン画像テレビの説明は、特許権放送局以外の放送局のハイビジョン放送明記としては間違っている説明に成る。
つまり、５０型のハイビジョンテレビの値段が４０万円以上はガスブラウン管ハイビジョンテレビの値段価格に成り、放送局全社がハイビジョン放送権を得た為、全ての放送がハイビジョン放送の為、液晶カラーテレビの値段表示を４０万円に出来ない理由が日本国民の給料が下がっていた者達全員への賃金保障をして更に、今後、日本国１０００兆円の借金を誰がどの様に返還するのかを商品パンフレットの書き込み及び新聞説明と放送局の文字放送説明と文字放送特許権番号公開が完全実施されなければ買う側の損益に成り、テレビの無料保証を７年等の明記が国民の資産状況によって必要視されるのは騙されてからでは遅いからで有る。
この場合は電気商品の無料保証年数を増やして、電気商品の値段を据え置きにする方法とか家電製品に拠る家事の場合は、電気製品会社持ちに成ると言えるのは家電製品の利益が多すぎるからで有り、自動車なども自動車の販売会社が自動車保険全額負担に成り、この様な場合は企業の車会社全社で保険会社を作る対策とか家電会社の家の火災保険を電気メーカー全社で作る対策が必要視される。
従って、株式の株への利益投入より保険会社を作って低価格家電と低価格自動車販売に拍車を掛けたい。
尚且つ、特許権放送局のハイビジョン販売権までは、企業に売り渡さずハイビジョン特許権行使とハイビジョン著作権行使によって永遠のハイビジョンカラーテレビ製造販売会社の独占会社の地位を築く事の出来る資本主義国家のしきたりに従って無事にハイビジョン製造工場設置と日本国の民間企業を色濃くした海外ハイビジョンテレビと海外ハイビジョンカメラの販売会社が無事に段取り良く設立が出来る事とハイビジョン放送権の契約書に全日本国企業に独占販売を日本国ハイビジョン特許権会社に認める捺印契約書のインターネットの公開実施とマスコミ公開実施を待つと共に安全に依り且つ有意義に進める事を願う。
この場合は、特許権を持たない電気企業が販売権を安く売って暮れを迫るのが現状に成るが国益が減る為、この様な事は無くしたい。
【００７８】
第３の課題解決の対策案として本考案の、液晶パネルの液晶層内の液晶電子移動を素早くする為には、液晶層に水素ガスそして水素ガスより効果的な電子集合体の軽水素トリチウム電子ガスを液体液晶と混合撹拌させた合成液晶を高出力液晶パネルまたは高出力液晶層とも言い液晶層の液晶電子が増える事に成り、おそらく画像としての映像のチラつきが少なく成ると考えられる。
【００７９】
第４の課題解決の対策案として本考案の、液晶パネルの液晶層にアルゴンガスと微量のネオンガスを混合撹拌して入れる事で液晶層の液晶層の合わせ目の正方形桝の枠目が画像を見づらくして居た部分にアルゴンガスと微量のネオンガスが入る為、テレビ画像の繋がりが良く成る技術説明で有る。
更に、テレビカメラ受信画像の取り込み装置と知られているダイオードＣＣＤ画像受光パネルの構造を４分割ノーマルＣＣＤ画像受光パネル構造に変えた４分割デジタルＣＣＤ画像受光パネルに成り、従って、一枚のダイオードＣＣＤ画像受光パネルでも良い事に成る。
従って、デジタル波配線の場合の液晶層の映像配線を４分割×プラス配線一本マイナス配線一本の８本のデジタル画像配線とノーマル波配線の場合は、液晶層の映像配線を４分割×プラス配線一本マイナス配線一本の８本のデジタル画像配線で充分な理由説明としては、ＣＣＤ画像受光パネルにアルゴンガスと軽水素トリチウム電子ガスを入れたＣＣＤ画像受光ダイオードパネルは、光の光源レンズ画像の光データーを明るく捉えてダイオード電子を増やす事によって、レンズ光源の光をより忠実に電子レベルとして捉える為、受光して光ダイオード認識を忠実に正確に行い光電子波のデジタル波による送信波変換して送る為、他の日本メーカーは、デジタルＣＣＤ画像受光パネルとして何百画素数の説明をしているがＣＣＤ画像受信パネルに対してデジタル画像配線にしてもＣＣＤ画像自体が通常ダイオードのみでは明るく成らない為、テレビ画像映像は綺麗に見えない事に成る。
更に、テレビカメラ電気配線の映像回路配線のダイオード映像回路のダイオード映像回路チップそれぞれにアルゴンガスと超微量のネオンガスの混合ガスを色の度合と色の濃さを決める複数のそれぞれのダイオードにアルゴンガスとネオンガスの混合ガスを入れる事によって色の臨場感を際立たす効果をもたらし、アルゴンガスとネオンガスの混合ガスに調整量の軽水素トリチウム電子ガスの三種類の混合ガスを入れた映像回路のダイオードチップでは色認識が素早く成る為、画面のチラつきが無くなり、更に、圧電素子映像回路チップを使用積載する事によって画像のゆがみを無くしたガステレビに成る。
ハイビジョンカメラのカメラのレンズの透明度による明るいレンズを使用したテレビ画像よりも、映像が煌めく程明るく成らないデジタル配線のみのノーマルテレビ配線の特許権切れに対して２回目のデジタル配線の特許権に対しては特許権料金の足し増しは不当の値段の取り決めに成り、デジタル配線変えただけでは映像は、美しく明るく成らない為、画像パネルのシリコンウエハーに対して軽水素トリチウム電子ガス入りのシリコンウエハーまたはアルゴンガス入りのシリコンウエハーまたは軽水素トリチウム電子ガスとアルゴンガス入りのシリコンウエハーは送られて来た映像波の明るく出来る特性に成り、シリコンウエハーの代わりに、プラスチック及びビニール及びプラスチックビニール及びダイオード及びビニールダイオード及びグラスフアィバー及びグラスフアィバービニール及びグラスファイバープラスチック及びグラスファイバーダイオード及びグラスファイバーシリコン及びグラスファイバーナイロン及び各組合せを変えた合成パネルにアルゴンガスとネオンガスを微量に入れた映像パネル技術と二枚ガラスの間に液体プラスチックにアルゴンガスと微量なネオンガスを入れた映像ガス入りシートを二枚ガラスの間に挟み込んだ形状の画像パネル事情に成り透明パネルにアルゴンガスと微量なネオンガスを入れたテレビ画像パネルは、透明に成るならば何でもアルゴンガスを入れる事で映る事に成る。
従って、シリコンウエハーの薄膜トランジスタに対してもテレビ局側から送られて来た映像をより正確に接写しなければテレビの画像は美しく見せる事が段々困難に成る為、シリコンウエハーの薄膜トランジスタではシリコンウエハーに軽水素トリチウム電子ガスとアルゴンガスの混合ガスを使用するのがベストに成り、軽水素トリチウム電子ガスだけだと明るさが特徴に成り、アルゴンガスのみの場合は、白っぽく成る為、超微量のネオンガスをアルゴンガスに入れる事で色合いがくっきりして来る事に成る。
【００８０】
第５の課題解決の対策案として本考案の、画像パネルに対して木材灰入りのプラスチックパネル表面にアルゴンガスと微量のネオンガス入りの液体プラスチックシートを貼った画像パネルに映像波配線のプラス配線とマイナス配線をとりつけただけでも映像が映り、水平偏向コイルと垂直偏向コイルは、映像波と言う電波の特性上二つの水平偏向コイルと垂直偏向コイルが必要に成り、一つの映像に成った映像波プラス配線と映像波マイナス配線に映像波プラス波とマイナス波を流す事で画像が映るテレビ画像システムの変わらぬ画像システム構造に成る。
この他、画像パネルの画像を見易くする為に木材灰入りのプラスチックパネル表面を白くする為、カラーホワイトペンキによって白く軽いプラスチック画像パネルも技術的に可能に成る。
【００８１】
第６の課題解決の対策案として本考案の、テレビ映像回路の水平偏向コイルの通常コイルを高出力銅筒管コイルにする事によって電気消費を抑えたテレビ回路の水平偏向コイルに成り、垂直偏向コイルの通常コイルに対しても高出力銅筒管コイル配線を使用したコイルを使った低電気消費映像波システムの偏向ヨークシステムに成る。
２０１４年１月２８日火曜日ｐｍ２１時４５分栃木県でペンを置く。
【００８２】
第７の課題解決の対策案として本考案の、ＴＦＴ薄膜トランジスタの構造としてアモルファスシリコン膜は、電気スピードスイッチに対して新技術を投入した高出力アモルファスシリコン膜は軽水素トリチウム電子ガス入りアモルファスシリコン膜に成り、アモルファスシリコン膜のアモルファスシリコン電子を増幅する為に軽水素トリチウム電子ガスの純度１００の軽水素トリチウム電子ガスはプルトニウム重水素が１パーセントも入って無い科学的に遠心分離機を用いて作り出した電子集合体ガスに成り、可燃性ガスに成り、水素リチウムバッテリー事故が有ったが報道では水素リチウムの燃焼事故に成って居るがプラス電極とマイナス電極を分けない軽水素トリチウム電子ガス使用バッテリーの場合は水素を使用したリチウムバッテリーより、数十倍燃焼時間の着火が早くなる。
更に、アモルファスシリコンに軽水素を入れると電気熱吸収発電体にも成り、アモルファスシリコンのアモルファスシリコン電子が軽水素トリチウム電子ガス効果によって、アモスフアル電子活動つまり、電子の行き来が活発に成り、スイッチ操作の動作が速く成る。
２０１３年１月２９日ｐｍ２１時３８分栃木県でペンを置く
【００８３】
第８の課題解決の対策案として本考案のＴＦＴ薄膜トランジスタの構造としてドット電極のコンデンサーは、通常はアルミニウム鉛合金コンデンサー配線及び銅アルミニウム鉛合金コンデンサー配線それぞれは、回路基板平面上にコイル形状としてジグザグコイル配線を形成している構造に成り、電気を貯める為、銅アルミニウム鉛合金配線と極細銅線入りの軽水素トリチウム電子ガス入り圧電素子磁石体配線を交互に繋げたコンデンサー配線等の特殊コンデンサー配線などをＴＦＴ薄膜のトランジスタ構造としドレイン電極とゲート電極と絶縁膜を構造としたＴＦＴ薄膜トランジスタパネル構造。
【００８４】
第９の課題解決の対策案として本考案の、ＴＦＴ液晶パネルの駆動方式では数多くのＴＦＴ薄膜トランジスタを使用しているが本考案の四つわり画像パネルのＴＦＴ薄膜トランジスタパネルを取り付けた画像パネルまたは、八つわりのＴＦＴ薄膜トランジスタパネルでも、画像の明るさ色合いの臨場感は、ビデオテレビカメラ及びビデオカメラのレンズの明るさとＣＣＤパネルの受光素子の光の電子変換度合のスピードによる為、ＣＣＤパネルのダイオードをデジタルパネルの超過密分割配線にしてもダイオードのみの受光素子の光電気変換がダイオードのみの古いＣＣＤパネルでは、画像変換が遅く成り、画像自体をハイビジョンカメラの様にレンズの明るさが事成る為、画像を美しく明るく表現出来ないのも事実。
【００８５】
第１０の課題解決の対策案として本考案の画像パネルは、４つわりのＴＦＴ薄膜トランジスタパネルにアルゴンガスと微量のネオンガスを入れたダイオードパネルまたは、アルゴンガスと微量のネオンガスを入れた透明プラスチックパネルまたは、アルゴンガスと微量のネオンガスを入れた透明プラスチックダイオードパネルとアルゴンガスと微量のネオンガスを入れたシリコンダイオードパネルとアルゴンガスと微量のネオンガスを入れたシリコンプラスチックダイオードパネルとアルゴンガスと微量のネオンガスを入れたビニールパネルとアルゴンガスと微量のネオンガスを入れたビニールシリコンプラスチックダイオードパネルとアルゴンガスと微量のネオンガスを入れたグラスファイバーパネルとアルゴンガスと微量のネオンガスを入れたグラスファイバービニールシリコンプラスチックダイオードパネルなどの合成透明パネルは、アルゴンガスと微量のネオンガスが予め入っている為、画像スイッチ回路のＴＦＴ薄膜トランジスタパネルを４つわりの場合は、ＴＦＴ薄膜トランジスタパネルを４個必要とし、八つわりの場合は八つの画像スイッチ回路のＴＦＴ薄膜トランジスタパネルを八つ必要とし、テレビ後方に明かりを逃がさない構造の光遮断シートまたは蛍光用の光反射パネルを取り付ける構造にしたテレビパネルで有る。
従って、３５型位ではプラスとマイナスの映像配線取り込みパネルを直接画像パネルに取り付けるだけで通常画像パネルはアルゴンガスの明るさと微量のネオンガスの明るさによって画像が通常通り映る事に成るアルゴンガスと微量のネオンガスを合成固形パネルにしたガスブラウン管テレビまたは液晶テレビまたは有機ＥＬカラーテレビの画像パネル構造に成り、ブラウン管テレビと大きく変わった点がアルゴンガスを長持ちさせる為の気体パネルから固形パネルに変えた点とデジタル画像にも対応出来る固形アルゴン微量ネオン混合ガス固形パネル使用技術は、液晶パネルの様なカラーフィルタを使用せず簡単に説明すると液晶パネルにアルゴンガスと微量のネオン混合ガス入りの画像パネルにプラス画像配線とマイナス画像配線をとり付け、ブラウン管技術の蛍光パネルの光反射ガラス板または光反射のアルミニウム板に鏡素子を塗った光反射板を取り付けた光画像が正面にだけ映像光が逃げる構造のテレビ構造に成り、この場合液晶層つまりアルゴンガスと微量のネオンガスの入っている液晶層に電圧を掛けなくてもテレビ画像パネルとして画像が映る仕組みに成る。
【００８６】
第１１の課題解決の対策案として本考案の、画像パネルのアルゴンガスと微量のネオンガスの入っている透明石油系混合パネルは、バックライトとサイドライトは必要としなくてもテレビが映るのは、ブラウン管テレビの蛍光板は、鏡素子を曲型のガラスブラウン管の半割りの内面に塗りガラスを熱溶着で接着して、ガラスブラウン管に対してアルゴンガスの入れ口を取り付けアルゴンガス栓構造にして熱でガラスのアルゴンガス封入口を熱切断した構造がおそらくブラウン管のライトを作る作業工程に似ているライト工程に成る。
従って、バックライトサイドライトのＬＥＤライトは、通常の暗いＬＥＤライトのダイオード部分に軽水素トリチウム電子ガスと微量の窒素ガスを混合合成した電子量の多いダイオードＬＥＤライト玉方式と通常の暗いＬＥＤライトのダイオード部分に軽水素トリチウム電子ガスとアルゴンガスを入れた方式のライト玉と通常の暗いＬＥＤライトのダイオード部分に軽水素トリチウム電子ガスとアルゴンガスと窒素入りダイオードシートを貼りつけたタイプ等は、通常のＬＥＤライト玉より、明るく発光するのも特徴の一つに成る。
然しながら、あくまでも液晶画像パネルのバックライト及びサイドライトのＬＥＤライトの光度量を増やす特許公開技術の追加説明。
２０１４年１月３０日ＰＭ２１時３９分栃木県でペンを置く。
【００８７】
第１２の課題解決の対策案として本考案の、テレビパネルに取り付ける凸レンズはアクリルガラスレンズを使用した透明レンズに成り、透明度の高い割れづらいレンズに成り、パソコンレンズ及びカメラレンズ及びビデオレンズ等の使用用途に成り、ガラスレンズより割高に成る為、おそらく５００円から１０００円程度の割高だと推定している。
言わば、ハイビジョン本家のハイビジョンレンズに迫りたい技術説明。
【００８８】
第１３の課題解決の対策案として本考案のテレビ放送用のテレビカメラレンズは、おそらくハイビジョン特許権放送局のハイビジョンカメラレンズのアクリル樹脂透過シートを突ガラスレンズに貼りつける事で通常レンズより、光の集光度を増したレンズ説明に成り、軽水素トリチウム電子ガスを入れたアクリルシートは他社に無い技術に成り、特許請求技術に成り、日本放送局の始まりがいちばん最初のハイビジョン特許権放送局に成る事実の為、日本語の固有名詞の英文字三文字を特許庁審査官の言い分に従って別説明とし、世界の歴史年表事実用語に成る英文字三文字の会社名のハイビジョンの言葉を多用している事に成る。
従って、ハイビジョンカメラレンズ技術を超えたウルトラスーパーハイビジョンつまり、最初にハイビジョンテレビを作った放送局のテレビカメラレンズを超えたカメラレンズ説明したとして、世界で一番明るいガラスを使ったアクリル樹脂ガラスに軽水素トリチウム電子ガスを入れた技術シートをカメラの凸レンズに貼る技術は英文字三文字の会社名のハイビジョン特許権放送局より、明るい放送に成るが、著作権本考案者はハイビジョンより、ウルトラスーパーナチュラルライトテレビの長い名称を使用と共にハイビジョンを超えたテレビ放送システムの簡単な著作権説明に成り、高出力ＣＣＤダイオードパネルは、通常ＣＣＤのダイオードのみの構造と異なるＣＣＤダイオード内のダイオード光受光電子量を増やさない限り、ウルトラスーパーナチュラルライトテレビの名称に成らない不適当なテレビ放送技術に成る。
つまり、ダイオード内のシリコンダイオードの電子量を増やす特許技術が一番効果の有る軽水素トリチウム電子ガスを通常ＣＣＤのダイオードの中に混合撹拌内蔵したパネルに対して軽水素トリチウム電ガスの漏れ防止対策として薄い通常のシリコンダイオードを被せた構造のＣＣＤダイオード受光パネル技術は、既に特許公開済みの作品に成る。
従って、各テレビ局のハイビジョン放送権を取得したとしても、永遠に作って使用出来ない日本の貧困層の資産が日本のトップ資産に並ぶまで絶対に作れないウルトラスーパーナチュラルライトテレビのテレビカメラレンズの軽水素トリチウム電子ガス入りのアクリルシートもしくは、軽水素トリチウム電子ガス入りのアクリルシートをガラス凸レンズの厚みだけ重ねて凸レンズ状にカットした超光吸収の凸レンズだが太陽熱発火のおそれが多分に有る為、カメラモーターレンズカバーと光の受光度合を全自動光感知型のカメラのレンズモーターカバーの全自動の光遮断型のカメラレンズ構造説明に成るハイビジョン特許権放送局より明るいテレビ放送が水中及び陸上及び夜間及び宇宙空間全自動撮影のウルトラスーパーナチュラルライトテレビの別の会社放送局は庶民の反応が良い悪い普通に対しても、テレビ局放送内容事態も、弱者国民主体の放送局作りが優先しなければ、他の放送局と完全な違いを明白にする事を全世界の自然が永遠に残す事を思ってくれる人々が増える事を願う著作権考案及び発明者の自然と共に生きる意義説明に成るウルトラスーパーナチュラルライトテレビ放送技術。
更に、アクリル樹脂ガラスの真空容器に軽水素トリチウム電子ガスを入れて混合撹拌した軽水素トリチウム電子ガス入りのアクリル樹脂ガラスに成り、軽水素トリチウム電子特徴の光電子集合ガス素子の特徴を生かしてアクリル樹脂ガラスに混合合成した光を吸収出来るガラス板を使ったレンズは、現在のハイビジョン本家本元を超える明るいガラスレンズ説明に成る。
８Ｋを超えるレンズ説明として軽水素トリチウム電子ガスの量をアクリル樹脂ガラスレンズに混合合成内蔵をする軽水素トリチウム電子ガスの量によって、自然界の水蒸気ガスに含まれている気化水素ガス中の軽水素トリチウム電子ガスの量に対して自然界を超えたレベルの量だけ、アクリル樹脂ガラスに入れた場合、自然界を超えたレベルの太陽光の光電子吸収が可能に成り、軽水素トリチウム電子ガスの電子に対して、熱電子吸収体だけで無く光熱電子吸収体にも成る事実の為、自然界では、水素と言えば水蒸気に成り、重水素プルトニウム水素と軽水素トリチウム電子ガス水素の水蒸気状態が空気中に取り巻く事実とも言えるが全てレンズ説明の明るいレンズ説明に成って居ないアクリルガラスレンズを超えた軽水素トリチウム電子ガスを使った世界の技術の中の不思議の中の軽水素トリチウム電子ガス入りのアクリル樹脂プラスチックレンズと軽水素トリチウム電子ガス入りのアクリル樹脂レンズ説明と軽水素トリチウム電子ガス入りのアクリル樹脂ガラスレンズの一つの明るい映像を表現する為の著作権文献説明に成る。
従って、本などに乗せた本の販売を禁止するハイビジョン技術の上に成るウルトラスーパーナチュラルライトテレビのテレビカメラのカメラレンズ技術と受光素子のＣＣＤダイオードに軽水素トリチウム電子ガス入りの受光素子のＣＣＤダイオードパネル説明に成る。
つまり、８Ｋハイビジョンのカメラレンズ説明に対してのガラスレンズに対して、アクリル樹脂レンズに水素を入れた技術説明の場合は、水素中の重水素プルトニウムガスの重水素が、光吸収をしない光反射物質に成り、問題点とされる為、軽水素トリチウム電子ガスの方に光電子が吸収される特性を示す為、著作権文献説明上本考案者が軽水素トリチウム電子ガスの著作権上の使用者の第一番目の優先権主張者に成る為、アクリル樹脂ガラスに軽水素トリチウム電子ガス入りのレンズの特許つまり、凸レンズの特許ばかりか大レンズ及び魚眼レンズ及び魚眼凸レンズの合わせレンズに至ってまでの特許及び大レズ魚眼レンズの特許及びデザイン上更なる説明として、凸レンズの光の当たる部分に対して、つまり片側のレンズ表面を六角面の表面若しくは八角面及び十二角面及び十五角面及び二十一角面等の凸レンズの片側の光が当たる部分を多角形状にした凸レンズの片側表面のデザイン説明に成る。
従って、魚眼レンズ及び大レンズ及び魚眼凸レンズの合わせレンズの表面に対して、魚眼レンズの半レンズを取り付けた光吸収レンズも、著作権上考えられる光吸収レンズ説明に成る水素ガスでは不可能な光吸収度を世界最高レベルまで引き上げた軽水素トリチウム電子ガス特有の軽水素トリチウム電子の光と熱吸収の特性を使ったテレビカメラの技術説明に成る。
従って、８Ｋハイビジョンのカメラレンズ構造説明対してハイビジョン特許権放送会社の８Ｋハイビジョンのカメラレンズ構造説明技術公開著作権特許説明を待つ事と企業側の８Ｋハイビジョンカメラレンズ説明を待つ事に成り、レンズをさらに明るくするかＣＣＤダイオードパネルの光認識確認をより自然画像と同じ受光処理を行い正確に画像データー送信出来るかがハイビジョン放送の一番大事な自然光のカメラＣＣＤ受光素子の構造とカメラレンズの明るさ技術が問題点で有り、心臓部に成る。
そして、デジタル回路配線を現在の、３３００万画素が最高ならば、それの上のデジタル波特許権料金の無い画素数として、３３００万画素以上がＣＣＤのパネル配線の商品作成の為の商品を作る物質使用量の公開説明に成り、ブラウン管ガステレビのハイビジョン放送表現画像に複数の未知数の画素数は、いつに成ったら一枚の画像を表現出来るかハイビジョンの神様にブラウン管ガスハイビジョン特許権テレビと液晶ハイビジョン二回目の特許権テレビのどちらが、本当の特許権なのか、ハイビジョンの神様に採決をいただきハイビジョンの命名の有り方を誰が使えて作れて販売出来るのかを公開の国民の場でハイビジョンの神様に聞く事にしか成ら無い。
更に、ＣＣＤダイオードに軽水素トリチウム電子ガスを入れたカメラは、太陽の直射撮影を続けると軽水素トリチウム電子ガス入りダイオードＣＣＤパネルが可燃性の為、デジタルカメラ及びノーマルカメラでも、煙が出て燃焼すると言えるがＣＣＤダイオードパネルの説明上軽水素トリチウム電子ガスが入って無いカメラレンズ使用のダイオードＣＣＤパネルは凸レンズの接写パネル位置に於いて、煙が出ないが少しパネルが熱く成っても煙が出なくて燃え無い事に成るのが事実説明と考えられる。
更に、デジタルカメラの使用注意事項に窓の近くなど、カメラレンズを太陽の方向に向けるとカメラが燃焼して、火事に成るおそれが有りますから、カメラ使用に注意して下さいの注意書きがデジタルカメラの注意書き説明書に記載されてなくて、デジタルカメラによって、火災事故及び家の全焼及び一部火災事故に対して、火災保険が入って無くてもハイビジョンカメラ及びデジタルカメラに軽水素トリチウム電子ガス入りのカメラレンズ接着シート使用作品と画像イメージセンサーに対してのＣＣＤセンサーの軽水素トリチウム電子ガス入りのＣＣＤパネル成る事に成るならばカメラレンズを太陽光に向けた場合は火が付いて火災する事も有りえるから注意する必要が有り、太陽の接写は可能に成るテレビパネルを見るに当たって大丈夫な状態で有るがカメラ機械本体の燃焼事故のおそれが有る。
つまり、ダイオードに水素ガスもしくは軽水素トリチウム電子ガスを入れる技術は本考案者の特許公開技術でも有るが著作権者本人は、製造販売までは、絶対にしていなくて、企業契約も行って居なくて、企業からの契約連絡の事実も無いのが２０１４年２月２日ｐｍ１４時３２分の現在の事実説明。
つまり、太陽光接写時間禁止ブザーまたは携帯電話等への火災警告の事前連絡送受信装置付きのカメラ技術説明として参考書きして置く事に成る。
但し、デジタルカメラ等の燃焼事故の賠償に当たっては、通常賠償に対しての日本国の知的裁判の公開賠償として、実際にスーパーコンピューターの日本企業の不正競争の勝手に作って販売した時の通常賠償額の上の賠償額つまり、特許年数の３倍賠償はアメリカのバーコードの財団とアメリカのビックスリーの裁判判決は日本のハイビジョン特許権放送会社が、公開している事実だがスーパーコンピューターの賠償額は、さすがの日本のハイビジョン特許権放送会社では、日本企業と示談説明としか公開上では知り得る事の出来ない賠償額の特許年数に対して何倍だったかは知り得る事の出来ない事実に成り、但し、間違ってもデジタルカメラとビデオカメラの燃焼事故に対しては永遠追及しない限り、日本国の１０００兆円を超える借金返済など出来ない理由に成る。
従って、デジタルカメラとビデオカメラの庶民の財産が間違って燃えた場合の賠償は通常賠償額以上の賠償額をデジタルカメラとビデオカメラを買った庶民が請求出来る金額説明に対して、企業側の弁護士に騙されない様に注意する事と間違ってもデジタルカメラとビデオカメラが燃えては成らない事実だと言い切れる。
【００８９】
第１４の課題解決の対策案として本考案の、テレビの現在製造されてない特許権切れのブラウン管テレビは過去にテレビの特許権を持って製造し販売した会社は、現在は、日本企業で作って無いブラウン管カラーテレビを特許庁説明の特許切れ商品が誰ども低価格で製造出来る説明に成るとまたは成立している事実ならば、中国と日本の低所得者生活維持の会等を作って世界の低所得者貧困層向けの特許権切れの商品を日本の特許庁が言っていた通り誰でも作れる事の確認を改めて日本の官庁の特許庁と経済産業省の確認と許可を得て３７型位のテレビを１万円以下で海外国と相談の上で作って販売する事が成立するならば最低賃金と生活と作業技能能力賃金を下げない対策としてあくまでも低賃金層の賃金保障対策として数千円と数百円から数十円そして数円までの利益還元しか出来ないのが一万円以下の値段設定の特許権切れのテレビの販売権の著作権が日本国に有るならば勝手に作る事が出来る様で有る。
従って、テレビの発明者個人がテレビの著作権を国に譲渡していない場合はテレビ著作権の個人本人または遺族と契約しない限り、作る事が出来無いのが個人の知的所有財産の著作権の著作権者死後５０年の間に、例えばテレビの著作権者本人がテレビの特許権とテレビの海外販売権に対してテレビの特許権者は企業説明商品全額利益の特許権者は０，６パーセントの順利益に成り、残りは９４パーセントが企業の本利益にマスコミ報道の事実では間違いなさそうだがテレビの最初から現在までの全世界のテレビ特許料金の俗に言う０，６パーセント利益取得と全世界のテレビの製造販売に対して著作権料金を幾らと設定は、特許権の特許部品の量と内容によって、過去に企業側がテレビの特許権者に対して、特許権として０，６パーセントしか払って無い場合、特許権内容によって、１００パーセント賠償の場合は一円も払わなくて全て特許権者側の部品を使った場合の特許権の依存度に成る。
従って、現在どの様なテレビ特許権者と企業側の特許権契約が行われていたかは今まで何一つわからず仕舞いの複数のテレビ販売会社が日本の公開の場に出て来た事自体が違法行為だったのだが企業側がテレビ特許権者側にどの様な配慮を行った事実マスコミ発表すら無い事実に成る。
この場合、日本国の特許権者と企業契約に成るが恐らく、あとからの不足分の金額請求裁判が成り立つ為、１００パーセント特許権部品使用テレビがテレビの特許権者に支払ってなければお金は永遠に生き続ける為、特許権に対しての利益変換裁判は永遠に続くのだが賠償請求額の額に応じて裁判費用を積まなければ現在に於いて裁判は出来ない状態だがテレビの特許権者の名前をここに明記出来ないのは特許庁審査官に削除または別名に変えて、表現しなさいに成るため好評出来ないが本当のテレビ発明の特許権者の名前を２０１４年２月４日夜まで、インターネットで検索しない限り、名前すら判らず仕舞いに成る。
従って、どうやらどの様な企業の特許権契約と特許権切れの著作権契約を行っていたのか財団として明記されているが資産は、特許権１００パーセントの場合、５０パーセントの折半に成り、お金が特許権者側に入ってから自分会社を作ってテレビ販売した為、複数のテレビ会社が現在、事実として日本の公開の場に残って居ると推定され二回目の液晶の特許権が切れた現在はテレビの販売権は最初の特許権者がテレビの販売権の主権者の為、液晶のテレビの著作権料金の回収と不当な金額で販売していた場合に対して、国税変換は特許権無でも出来るが国税賠償額が多い為、テレビの特許権切れの著作権者に対して、テレビの特許権切れの著作権の販売権を売ってくれと迫るのが日本の電気企業の言い分に成る。
従って、公開示談が無いと成ると数千兆円の示談金を企業側が現在用意するのも糸も簡単な事で有ってもテレビの特許権切れ裁判が今後は新しいテレビ技術者と続くため数千兆円の示談金の事実はおそらく無いまま企業側はテレビの特許権の賠償裁判とテレビの特許権切れの著作権賠償裁判と著作権の海外のテレビ販売権とビデオ販売権の変換の裁判を行うはずだが賠償請求裁判は個人が正確な得るべき特許権料金を企業側がテレビの特許権者側に支払っていると特許権切れの著作権の海外販売益の賠償額が最初のテレビの特許権者側に正確に支払って居たかが焦点の結論の答えの金額を受け取っていたかが問題点に成るがおそらく証拠が企業側利益の証拠が無くらない限り、永遠に等価が払われる事実に成る。
この文章を書いた理由に特許権番号の明記された日本商品を探すのに苦労する時代で有り、確かに原子力海外売電益を使って、海外株の半数以上を買い取って今現在も海外企業株の買い取りを日本企業が行って居るのだが商品の知的所有財産技術の優先国で無いお金主義の提出主義国の言い分に対して、今後は農民と漁民と商人を引き取った日本の商品全ての財団が必要視されるのは企業側の金主義の資本主義に対抗もしくは同じレベルの大企業を日本国に財団として作らなければ成らない事実に成る。
従って、日本の弱者一人一人の財団に対して、高額所得者が絶対に入れない財団を作らない限り、自動車の値段の半分の値下げ家の値段の半分の値下げを実際に行って、食料品等の値段を下げるなどして、お金の国内つまり海外での円の価値観より、日本国内での円の価値観を大幅に上げない限り、低所得者の生活依存度が下がる為、仕事が無いとの悪循環に成る。
然しながら特許権番号の商品の明示義務の裁判を国に興さない限り、日本国は変わらなかったのならば滅びの道を止める対策を日本の国民一人一人の署名を持った国税変換裁判は絶対にこの世から消す事の出来ない事実に成り、人間としてやって置かなければ大和の国の誓いは永遠にお金が人を守る事で無かった事を子供達に気が付いてもらいたい為、真に恥ずかしい日本国に売る資源が無く自国でやりくりするのが手一杯の時代が続いていた反面世界のお金だけが一人歩きし始め言葉までも自己表示させてしまった金に言葉を喋る事の能力を付けてしまったが決して、国税の神が国税変換裁判を認めてくれるのは企業化だけが人間で無かった事の確認をもう少し知的所有財産の企業に対しての国税返還は借金ゼロの数字までは永遠に日本国民弱者全員の勝ちに成る。
それ以上の賠償額の裁判所の判断はお金にも神様が居る事をもう少し考えて頂きたく文章にしましたが日本国が証拠を永遠保存するかいなかは別として、日本国の１０００兆円全額借金返済が出来ない政治家と日本国官庁に対しては生まれ来る子供達に説明して語り続ける事によって魔法の様な借金全てを払える知的所有財産の出現が公開の場で明らかになった時は人が守られるのかお金が守られるのか、検めて生きて居る者がその時魔法の様な知的所有財産権の所有者は弱者一人一人にしか無く、企業の所有する財産で無い事を永遠の１０００兆円を超える日本国の借金返済が完了しない限り、弱者は永遠に借金と言う税金の名の元で支払続ける事に成る。
そして、日本の国の全額借金返済が完了しても再び借金苦が来た場合知的所有財産の魔法の神がこの世に存在は、つまり、知的財産の活用の有り方によっては戦争をしないで平穏に暮らして行ける事を知り得る者達の使いの神が再びこの世の永遠の再生の神として守られる事を願うばかりで有る。
そして、特許権番号等の明示が無くても再び、新しい4Ｋテレビなどの製造販売に対して何処の国の誰の知的所有財産の特許権なのか不明の事実成り、決めての特許権明示の事実が無い為、誰に特許権料金を支払いまたは特許権切れの著作作権料金を支払っているのか不明確の為、知的所有財産の特許に対してまたは実用新案に対してまたは著作権に対して特許権登録などを得ても製造販売に一番大切な特許切れの著作権契約と著作権の海外販売契約が出来ない状態を日本の特許庁と経済産業省が、不明の行為を持って特許権番号と特許権者名をわかりづらくしている事実に成る。
従って、特許権切れの著作権契約が正当な知的所有財産の契約に当たる為、他のテレビとビデオの販売を、実際に行っている会社で有っても特許切れの著作権者が明確に成らなければ商品の製造販売に対して、一度特許権を遂行して特許年数を特許権料金の収納と共に消化した場合特許権切れの著作権は、再び最初の特許権切れ者が特許権を得ても商品の値段の釣上げが不可能に成り、他の特許権でも著作権登録無では勝手に作った場合は不正競争防止法違反に成るのが正当な裁判の成り行きに成りそうで有る。
更に、テレビの製造販売所得に対して、他人の特許権または著作権登録に成って無い知的所有財産技術を勝手に使っているのかが商品に特許権番号を明記しない為、特許権者と特許権切れの所有者が不明確の為、低所得者国民が不当な金額を企業と販売会社からテレビの特許技術量として請求されているのが事実に成り、この場合は三回目の特許権行使行う事によって特許権番号の公開と商品特許権番号を明示しなければ他人の知的所有財産技術の権利上では特開の著作権の勝手使用は個人の賠償額は世界で一番安い国に成る。
したがって、海外全ての製造販売不当利益の国税変換をテレビの勝手の特開著作権技術の勝手に使用する事による賠償金全ての国税返還として、一個人が回収すべき公開技術の著作物の著作権及び勝手使用の事実確認が出来ない事を国の機関の経済産業省特許庁が容認している為、特許明示の無い商品に対して不当の値段つまり、特許権切れが明白の商品に対して、国の機関の消費者省が、特許切れ商品に対して、日本の全国の最低賃金の取り決めを行わず不当な金額の事実の確認を黙認に於いて、最低賃金者が、家を手に入れて子供を何人作れて通常の電気家電生活を送り、観光旅行がとれだけ出来るかなど酒がどれだけ飲めるか又は、たばこがどれだけ吸えるかなど最低生活とは夏場の熱い時期はクーラー無しなのか、冬の寒い時期は暖房装置にどれだけ金が掛かるかなど消費者庁が最低賃金者及びアルバイト及びパート者及び日雇い労務者及び季節労務者等の低賃金者が特許明示の無い商品の正確な値段が判らないまま買う事に成ると個人家庭の所有財産が減って仕舞う事に成り、特許明示が実際に有ると特許の著作権裁判及び特許裁判をし易く低料金で調べたり出来る事に成る。
更に、実用新案の日本国内２０年の特許の商品利益の裁判と２０年の実用新案の商品利益を知的所有財産の裁判所で争って国税返還の訴状の場合は、特許切れ商品を使った特許横領または実用新案横領は、商品利益全額国税返還として納める事が出来る説明が特許権切れ等の著作権をテレビの特許権切れの著作権を所有して居ない場合は全額国税返還だと言える事に成る。
この他、賠償裁判に於いては、個人賠償の場合の特許の場合は、国税が何パーセントで個人の手元に残るのが、幾らに成るかわ未定で有る。
但し、日本国の特許庁及び経済産業省が一個人の発明者が日本国の全額借金返済をインターネット等で個人の意思を明白にしている場合海外等の無料の特許提出をしてなかった場合たとえ国の特許庁と経済産業省が海外特許提出を認めない場合、日本の一個人の特許公開作品に対して、著作権登録する事によって、全世界に著作権の特許技術の優先権主張つまり、アメリカ特許庁と同盟国の日本国の意思に基づいて著作権の特許技術の優先権主張がアメリカ国同様に同盟国と同じ著作権の特許公開の特許の知的所有財産技術の著作権横領が明白に成ると全世界の特許販売２０年賠償または販売した全ての金額を特許の著作権者本人の意思によって日本国税として国税庁に知的所有財産の著作権特許技術横領金として商品全ての金額を不当な利益として納める事が出来る。
但し、特許の著作権横領の常習犯ならば、国税として、特許年数の１００倍以上の１０００倍でも企業の資産全てを国税賠償のみならず無期懲役刑の１０００年１００００年１億年等の無期懲役刑を請求出来るが一円も、特開の著作権者には入らないが企業裁判官または企業弁護士を通じて示談金が京円の位及び垓円の位の賠償金額でも、本考案者は、国税返還と国税賠償を永遠に選択する事をこの文面を使用して、国の１０００兆円の返済計画の著作権財産の盗作のみならず特許の勝手使用の製造販売に対しては日本国の頂点の者がたとえ許しても考案者つまり、この文面で著作物の年月日証明確定の著作権登録まちの著作物の特許の勝手使用を絶対に訴える事をここに記す。
然しながら、個人の特許公開作品に対して、特許切れ作品を使用した他人特許介入作品の商品に対しては全額特許返還に成り、特許権商品に対して一部特許の著作権横領の場合は商品全体の販売金額の割合に応じて国税返還が成立するが横領に対して無期懲役刑は変わらない事の説明だと熟知していただきたい事実説明成り、全世界の販売に対しても特許の著作権横領としても国税で納めてから個人の賠償に対しては日本国内の知的裁判の賠償額が手本に成る為、手元に残るのが幾らに成るかは未定成り、この場合本考案者で無い特許の著作権横領をされた者の賠償金説明になるが日本国の事実としては正直言って安い賠償額設定なのは、企業保護の観点からおそらく余り変わらないのも事実に成るようで有る。
但し、商品全てが完全な特許権に成る可能性が有る場合は特開の著作権賠償は、国税賠償の場合は満額賠償に成り、特許権として見做す裁判官に会えるかうんとは、現在の日本の経済状態と個人の資産状態を考える事の出来る裁判官に巡りあわなければ成らない事と商品に対して全て特許権若しくは世界にひとつしか無い著作権登録の特開としてインターネット公開した方が事実の公開をする事によって、著作権者自身を自らが自らを守る手段でなければ特許法の金の主義の特許の先提出者には勝てないばかりか資本主義を優先する国の人は人を育てる主義に無視される事無い様に注意しなければ自分で考えた財産で日本国を滅ぼす事も資本主義社会では常識のルールに成り、全ての人が資本主義の金の神に負けない様に注意して生きて行かなければ成らない。
つまり、あくまでも特許権切れが誰でも作れて販売出来る国の回答ならば都道府県市町村区では、自給自足に対して知的所有財産の試作品保護を明白にして自給自足社会の成立出来る社会作りが必要に成る。
なぜなら、特許権切れの商品は誰でも出来るとの表現及び考え方は、物々交換の時代を経て特許権切れ時代に成るが、著作権の特許切れの著作権契約が必要視される。
其の為、生活に必要な特許権切れ財産の著作権契約が揃って無い為、特許権切れ等の作品だけでは、生活維持も不可能な過去の特許権遺産のリサイクル再生をしても、生活維持が不可能に成る為で有る。
其の為、都道府県市町村区では知的所有財産の施策試験を行って、未来に使用出来る知的使用財産の掘り起こして探してでも調べて施策実施と未来に向けての自給自足社会の自立社会を、低所得賃金の保護と一日も早い国の全額借金返済を必要とし、再生循環社会の確立と輸入ゼロ社会と輸出ゼロ社会を目指した財団特有の海外国の自給自足社会と低価格設定の国際低所得財団会議によって、輸出品目の値段の取り決めと商品の料金の払い方等の話し合いも必要に成る時代とは資源が永遠に枯渇しない訳で無い事実確認に基づく資源の埋蔵量の限度量の見直し等も必要に成る。
更に、多くて増え続ける税金を国民全員に対して減らす事が望ましい事で有り、知的所有財産法の書かれて無い部分に対して国が書けないと分かった現在は、知的所有財産法の書かれて無い部分の明白な知的所有財産全ての番号記載の請求を何度も官庁に言い続けたが未だ無理との国の回答としか言えない事実。
更に、対策として、官庁と国民全員の国民投票での取り決めによって、国民の最低賃金生活者が知的所有財産の特許権に成る発明の保護に対して無料の特許提出の保護と試作品の無料作成と無料閲覧を可能にする事によって、不正競争防止法違反者を少なくして、不正競争防止法違反と特許明示と五か所以上の海外の無料特許提出と特許権と特許番号の明示義務の罰則の強化と罰金の大幅な値上げの取り決めによって低所得者の自立社会の確立に成る。
更に、国が1000兆円の借金をして、企業の海外資産の未公開事実に対して、資産公開を企業に迫れば名誉棄損罪で門前払いに成り、あくまでも海外資産未公開による特許切れが誰でも作れるかの事実の完全説明と特許権番号の明示を行わない事が国税の収入不足を促進して、企業の海外利益だけを増やす事に成り、日本国には一円も外資系企業の資産に対しての海外での不正競争防止法に対しての特許の著作権登録の特許技術の横領の税収としてか入らない事実。
更に、海外資産の未公開によって日本国が１０００兆円の借金苦の事実に対して国の全額借金の自分から払えない事実の浮き彫りに対して、現在の状況で言える国の借金全額返済に対しての個人の知的所有財産の保護によってしか大金などは作れて生まれて来ない事実を国民一人一人が熟知して戴きたい。
そして、国税庁などが経済産業省と特許庁相手に特許の著作権の勝手使用に対して、国税返還裁判を起こしてから国の国税庁が特許の著作権登録による特許違反に対しての賠償金設定額を決めて、逸早い特許の著作権に対する特許権に係る費用を捻出する為の知的所有財産の裁判をお金の無い者でも国の弁護士の代筆の特許提出から成る特許権確定による国の進める知的所有財産保護に基づく会社作りなどもインターネットの商品登録の買って見たい特許権作品紹介等の手法によって、国税の法人税回収の段取りを進めなければ国税収入が減ると考えられる。
従って、特許の著作権登録もしくは実用新案登録もしくは特許権取得に於いて、勝手に作られた商品の国税の賠償請求裁判を起こさせ易くしなければ商品に対しての特許番号の明示義務と賠償金の重加算税以上の法律を作らさなければ日本国の借金ゼロ社会は永遠に帰って来ない事実で有り、個人資産を増やす手段の糸口さえ見えない事に成る。
また、国が税収不足で滅んだ場合でも、果たして資本主義国家として、海外に逃げた金の回収成立を誰が認めて次に日本国の全額借金返済の答えを誰が話すのか不明確な不思議な現在社会に成る。
従って、知的所有財産の横領罰則に対して軽すぎて国が滅んで当然と言ってしまう事に成り、知的所有財産法の罰則と罰金の明確な明示した知的所有財産の法律の改正をしない事実に対して、テレビマスコミ及びラジオマスコミが日本全国の国民対して国民議案と署名活動を行いテレビマスコミとラジオマスコミと新聞社マスコミとマスコミの高所得者が、簡単に行える事実と民営化に成った黒字の郵便局の国民議案郵便物の取り扱いのゼロ円扱いを行う裁判等を国におこしてこそ日本のマスコミそして、世界のマスコミに成りえると思わざる商品の特許明示義務化と商品の特許切れ商品の正確な値段の公表等を、マスコミ全社が行わない事実も、日本国民の不利益に成り、国税を納めづらくしている事実に成る知的所有財産法の企業に有利で有って、個人に対してきつい知的所有財産法の全てを書かないで不明確にしている事実。
２０１４年２月３日００時１０分栃木県でペンを置く。
【００９０】
第１５の課題解決の対策案として本考案の、テレビのブラウン管ガステレビを更に薄くした場合はステンレス薄板の画像電子誘導体板とガラスの間を１ミリメートルから２ミリメートルの空間に、アルゴンガスと反射板が鏡で無い分超微量のネオンガスを入れていた画像パネルに対して水平偏向コイル映像波と垂直コイル映像波に対して、画像パネルの横側に画像電子銃と水平偏向コイルと垂直コイルを設けた画像電子銃をステンレス板に流した偏向ヨーク画像をアルゴンガスと超微量ネオン混合ガスに映す仕組みの簡単な薄型のガステレビ画像パネル説明に成り、液晶パネルの特許権切れに伴ってブラウン管ガステレビの超薄型ガステレビ構造に成る。
この他、複数の分割画像電子銃を使った大型ガス薄型テレビ等の技術も有り、デジタル波をノーマル変換したノーマル対応の大型ガス薄型テレビ説明。
従って、現在はデジタル波の送信技術に成って居るがノーマル波はデジタル波の電波影響を考え無ければ成らない為、地上波のテレビ波ノーマル波は電波が込み合う為、考え無ければ成らない。
２０１４年２月４日Ｐｍ２１時３６分栃木県でペンを置く。
２０１４年１２月２９日Ｐｍ１４時４９分栃木県真岡市中西建設で書き始める。
【考案の効果】
【００９１】
上述の様に、本考案のアルゴンガスと超微量ネオンガスをプラスチックビニールダイオードパネルに入れた画像パネルにする事で、画像パネル自体を世界で一番薄くした画像パネルと竹灰入りプラスチックの世界最軽量プラスチック合成パネルとデジタル画素数の数を極端に減らした２０画素数画像回路配線パネルを使った世界特許権切れ、二度目の世界安定低価格テレビパネルを作ると同時に、知的所有財産を使った財団経営の未来的農業漁業林業一体型中小工企業体システムに於いて、日本のテレビの先発明者一社との永遠の著作権契約と共に日本国が税金を回収し易い会社体系にする為の世界特許権の三度目の書き換え財産と共に既に特許権の権利金を最初のテレビ以上に回収した企業と日本国官庁の考え方に対して、正反対の現在の最低賃金社会に合わせた低価格テレビとそれに伴った付属品装置のビデオ及びゲーム及び自然インターネット即ちナチュラルインターネット及び宇宙探索インターネット即ちスペースサーチロボットインターネット及び動物インターネット即ちアニマルインターネット及びロボット王国インターネット社会の設立に伴う自給自足社会の第一歩前進する効果を全国に発信する為の知的所有財産の特許請求公開に基づくテレビパネルの世界著作権技術。
【００９２】
更に、本考案のテレビパネルのカバーガラス体は、二枚合わせガラスの中にアクリルシートを内蔵させた世界で一番明るいガラスカバーを取り付けたテレビ画像パネルと緊急時ライトに出来るテレビシステムと高出力２連振り子型機械式発電機の半永久発電機技術と共に熱劣化問題とダイナモ端子交換問題の解決の為に、世界に向けて発信出来る無休油無休憩発電機積載のテレビ技術。
【００９３】
そして、本考案のテレビに流れる電気は通常電気と異なる通常電気中の熱抵抗電気のみを取り除く装置の圧電素子４電子磁気分割装置を使った通常電気中の熱抵抗電気のみを取り除く装置を２００２年から２００３年に掛けての作品の効果によって、世界で最も少ない電気量で、テレビを見て楽しむ事の出来る電気の節約を実施出来る効果と共に、限られた資源の天然ウランと海水ウランの使用を止める役割と同時に天然ウランの産業廃棄物処理費と永久保証と海水ウランの取り過ぎによる海面温度の上昇と地温上昇を喰い止める為の電気抵抗ゼロ電気社会の構築と世界平和と安全を祈願する為の圧電素子４電子磁気分割装置のテレビ付属技術。
【００９４】
この他、テレビの録画再生装置の世界最軽量装置としての、多層式軽量竹灰入り硝子微粒子使用積載の圧電素子磁石体粒子を使った録音録画装置の他は、卵型空洞付き両面ＣＤ内蔵型のＭＤに成り、現在は、日本独特の録画録音装置の原点素材が無く、現在開発中の充電池チップ配列パネルを使った録画録音装置は入力システム装置が大きく成り過ぎる欠点を抱えた技術に成る。
今後、更なる開発と新素材開発が益々必要視される技術分野の事実を抱えた日本独自のテレビの録画装置の開発をしなければ成らない事を宣言しなければ成らない事態と共に新分野の放射線イオンチップと静電イオンチップ粒子を使った録画再生ボックス等の開発を２０１４年１２月２９日ＰＭ１６時５７分の静電両極膜内蔵軽量イオンチップ粒子使用の録画再生装置が完成しても、低価格ＣＤの値段との下げ合い競争と漸く始まる多層式カードの特許権料金が余り下がらない現状への対策が今始まろうとして居る。
そして、実際いつの日か最低賃金と攣りあう全企業財産の総合資産の全世界所有財産の持てる資産の最高額と資産公開に伴う国の全世界の日本資産の増え続ける資産と言うお金の契約書を綴った紙と言う名の金の処理方法を今後は弱者の位全ての話を自立に対しての自給自足社会設立を拒む者の洗い出しの為の特許番号の商品公開義務法の設立が求められる。
そして、第一歩前進へ向かう自給自足自立社会の話合えるインターネット社会そして、お金を掛けずに進める自給自足インターネット社会に基づく日本国民全てが、１０００兆円超えの全額国の借金返済に対して、残る国の財産の全の国有林財産と薬草財産の見積もりが、１０００兆円以下の場合は、日本の国が独自に支払える財産としての見積もり額が１０００円を超えない場合、日本国の借金放棄に成る為、全ての海外持ち出し財産の額の公開及び株高公開に基づく平等な持ち資産に基づく最低賃金の格上げは、実際に国が行うのが本当でなければ、永遠に不平等を無くさせ無い為に黒字経営の電電公社の民営化と黒字経営の郵便局の民営化が行われる事自体が、国の財産放棄事実に成る悲しい事実。
従って、弱者庶民全体が使用する商品全てに対して、自給自足とリサイクル体制を整える事が国の全額借金だけで、無く国から提供される国の金の趣旨に基づく財産の永遠の自給自足自立社会設立へまず第一歩前進。
２０１４年１２月２９日Ｐｍ２２時２８分栃木県でペンを置く。
【産業上の利用可能性】
【００９５】
本考案の、超薄型アルゴンガスと超微量調整ネオンガス入りプラスチックビニール画像パネル体は、２４分割画像の竹灰入り超微量フロン入り固形窒素ビニール粒子入り竹灰内蔵プラスチックビニール配線回路シートと竹灰入り超微量フロン入り固形窒素ビニール粒子入り竹灰内蔵プラスチックビニールカバーとクリスタルガラス等の組み合わせ構造の超薄テレビパネルは、電気製品全ての超薄型パネルとして特許権切れの著作権契約が成立の上で製造販売まで可能に出来る三回目の世界特許権の濃いテレビパネルだが、値段は液晶パネルの特許権切れ値段の二割増し位の値段が最高値段でも良いだけ、技術を簡略化する事で仕事が無くなった庶民でも買える値段設定のテレビパネル説明に成り、テレビの最初の特許権者一人と本考案の特許請求者の二人に成る為、日本国へ入る法人国税が増える為、不正競争のテレビ販売会社を排除出来る事に成る為、国の１０００兆円超えの借金全額返済に目途が立つ状況に成る。
【図面の簡単な説明】
【００９６】
【図１】液晶デスプレイ参考図。
【図２】CRTデスプレイ参考図。
【図３】不正競争防止法著作物介入盗作注意公開作品図面図。
【図４】不正競争防止法著作物介入盗作注意公開作品図面図。
【図５】不正競争防止法著作物介入盗作注意公開作品図面図。
【図６】不正競争防止法著作物介入盗作注意公開作品図面図。
【図７】不正競争防止法著作物介入盗作注意公開作品図面図。
【図８】不正競争防止法著作物介入盗作注意公開作品図面図。
【図９】不正競争防止法著作物介入盗作注意公開作品図面図。
【図１０】不正競争防止法著作物介入盗作注意公開作品図面図。
【図１１】不正競争防止法著作物介入盗作注意公開作品図面図。
【図１２】不正競争防止法著作物介入盗作注意公開作品図面図。
【図１３】不正競争防止法著作物介入盗作注意公開作品図面図。
【図１４】不正競争防止法著作物介入盗作注意公開作品図面図。
【図１５】列車に対して、日本の列車大手と異なるリニアーモーターカー及び通常の地方の民間の市鉄等の今後の、将来の燃料高対策の循環発電機積載の電気列車を作る場合の列車の椅子の倒れ方を現在より、大きく擦る為、椅子を一つ置きずつ３０センチ下げる事で現在より、椅子倒れを大きくしたり出来る構造及び傘の全自動水切り装置としての傘穴に差し込む事によって、エアーで傘の水切りを行う装置及び火災時の床の部分からの洗浄酸素放出装置及びカラー光ラインの避難通路誘導装置及びスクリューエアー列車内ポスト及び身体障害者の全自動位置確認のアンテナイヤホーンの全自動連絡誘導装置他の著作権技術説明図。２０１４年１２月１４日ＡＭ１０時２１分栃木県真岡市で書き始める。
【図１６】商品の包装紙の異なった包装紙説明として、麦藁の乾燥粉入りプラスチック紙及び竹の乾燥粉入りのプラスチック紙及びレントコーンの茎殻の乾燥粉入りプラスチック紙及び木の再生粉をプラスチック紙に被せた再生木材プラスチック紙及び牧草の乾燥粉をプラスチック紙に被せた乾燥牧草プラスチック紙及び亜麻の乾燥粉入りのプラスチック紙などは自然の匂いのプラスチック紙に成り、リサイクル出来る再生紙に成る。
【図１７】食料品の包装箱に対しての説明に成り、素材は竹灰入りプラスチック紙に成り、形状は五角形箱及び六角形箱及び八角形箱及び矢印型箱及び三角型箱及び楕円形箱及び超長の六角形箱及び二辺丸長四角形箱及び十字花形箱及び二連丸型箱等の紐付きプラスチック矢付き食料品の包装箱に成り、紐付きプラスチック矢によって、包装紙を切って空ける構造図。
【図１８】一戸建てハウスの一階から地下室移動及び一階から二階へ移動する階段の上り降りを幾分楽にする為の装置に成り、足場階段が二段目まで電磁石反発作動によって、浮いたり高出力コイル内蔵板の電磁石反発作動力を下げたり、出来る装置に成り、一段目から二段目まで電磁石反発移動階段板で上がり、二段目の電磁石反発板に移動して、三段目の電磁石板まで再び電磁石板で移動して、四段目の電磁石反発板移動の七枚の電磁石移動板をセットした一軒屋の階段説明図。
【図１９】二つの指輪または三つの指輪に体温の瞬間吸収発電シートを内蔵した超小型電波送受信装置を内蔵した超小型マイク内蔵型の掌の指打ち音を受信してスイッチ切り換え出来る指輪装置に成り、両指輪の超小型カメラ内蔵型の指文字を認識するスイッチ指文字スイッチによって家電製品のスイッチ切り換え装置説明に成り、二つの指輪間の距離設定位置のスイッチ装置など指輪の超小型カメラとスピーカーの小型化の時代突入に成る図。
【図２０】食料品の果物箱は、竹灰と乾燥竹粉と乾燥潰竹と糊剤とプラスチック剤の合成竹合板箱を使用した果物箱に成り、リサイクル箱に成る。この他、食料品の乾燥食料品の二段留め竹灰入りプラスチック袋及び三段留め竹灰入りプラスチック袋及び四段留め竹灰入りプラスチック袋及び五段留め竹灰入りプラスチック袋及び六段留め竹灰入りプラスチック袋及び七段留め竹灰入りプラスチック袋及び八段留め竹灰入りプラスチック袋及び九段留め竹灰入りプラスチック袋及び十段留め竹灰入りプラスチック袋の熱溶着式袋の説明図。
【図２１】女性用バック他の衣類の紐及びカーテンの紐スイッチ及びライトの紐スイッチ等のデザイン羽紐装置は、四本から六本の登山網ロープ糸紐に対して、人工羽及び鶏の小羽及びダチョウの小羽及び鴨の小羽及び雉の小羽などを登山網糸ロープに小羽を差し止め擦る為、小羽の羽の反対側の先には糸抜け防止の丸突起構造にして、次々に登山糸網紐に刺し小羽を繰り返して羽紐状にした装置説明に成り、色は様々な色の種類の有る羽紐装置図。
【図２２】新技術ジュース説明として、果物及び野菜及び木の実の飲料水に対して、発酵葫エキスにして匂いに対して、葫を発酵させる事によって、葫の匂いを無くして、葫の栄養分をジュースミックスさせた発酵野菜エキス入りジュースとして、販売権を確保する事で、ジュース素材の果物品種改良より早い為、今後の農業基盤事業の再生及び、農業社会の年間の仕事と雇用を目的とした新味ジュースの開発に成る。この他、葡萄の発酵の場合、葫発酵エキスを入れて再び葡萄発酵させたお酒及びジュースに成り、葫の発酵として、麹発酵時に乾燥葫を入れて同時発酵する手段及びヨーグルト発酵時乾燥葫を入れて同時発酵させる手段に成る。其の他、葡萄の発酵の場合、行者葫発酵エキスを入れて再び葡萄発酵させたお酒及びジュースに成り、行者葫の発酵として、麹発酵時に乾燥行者葫を入れて同時発酵する手段及びヨーグルト発酵時乾燥行者葫を入れて同時発酵させる発酵行者葫エキス入りジュース手段に成る。そして、乾燥ウコンと葡萄の発酵の場合は乾燥ウコン発酵エキスを入れて再び葡萄発酵させたお酒及びジュースに成り、乾燥ウコンの発酵として、麹発酵時に乾燥ウコンを入れて同時発酵する手段及びヨーグルト発酵時乾燥ウコンを入れて同時発酵させる手段に成る。この他、乾燥ウコンと乾燥行者葫と乾燥行者葫と乾燥朝鮮人参と乾燥マカの発酵エキスを入れて再び葡萄発酵させたお酒及びジュースに成り、乾燥ウコンと乾燥行者葫と乾燥行者葫と乾燥朝鮮人参と乾燥マカの発酵エキスとして、麹発酵時に乾燥ウコンと乾燥行者葫と乾燥行者葫と乾燥朝鮮人参と乾燥マカの発酵エキスを入れて同時発酵する手段及びヨーグルト発酵時に乾燥ウコンと乾燥行者葫と乾燥行者葫と乾燥朝鮮人参と乾燥マカの発酵エキスを入れて同時発酵させる手段に成る。これらは、発酵薬種入りジュースに成り、発酵薬種入りお酒は現在市販されて居ない商品に成り、農業及び漁業及び林業の再生事業説明図。
【図２３】半乾燥冷凍食品の説明に成る。従って、乾燥葫粉入り酢味噌漬けの魚と肉商品及び乾燥行者葫粉入り酢味噌漬けの魚と肉商品及び乾燥アーモンド粉入り酢味噌漬けの魚と肉及び乾燥胡桃粉入り酢味噌漬けの魚と肉及び、乾燥銀杏の粉入り酢味噌漬けの魚と肉及び乾燥栗の粉入り魚と肉半乾燥冷凍商品。毛ガニの味噌の朝鮮の内蔵発酵菌で作ったカニ味噌の発酵味噌の半乾燥冷凍食品及び毛ガニの味噌の発酵味噌を通常の合わせ味噌と煉り合わせ味噌の半冷凍食品。この他、毛ガニの味の殻をミキサーに掛けた絞り汁を醤油の発酵に合わせて合成したカニ醤油の半冷凍食品。その他、毛ガニのミキサー絞り汁を酢の発酵と同時に混合発酵させたカニ酢の半冷凍食品説明図。
【図２４】胡桃酢及び行者葫酢は乾燥胡桃の粉に酢の発酵時に同時発酵させた葫酢及び胡桃酢及び行者葫酢に成る。この他、濃い葫酢の作り方として、高出力遠心分離機を使って濃い葫酢と行者葫酢商品。其の外、山ワサビの汁を酢の発酵時に山ワサビエキスを入れて同時発酵させたワサビ酢の商品。そして、セロリの絞り汁を酢の発酵時にセロリの絞り汁を酢の発酵場所で同時発酵させたセロリ酢の商品。この他、ラッキョのエキスを酢の発酵時に入れて同時発酵させたラッキョ酢の商品。
【図２５】葫味噌味味醂たれ付け込みの乾燥魚の燻製商品に成り、二日程付け込んだ葫味噌味味醂たれ付け燻製商品。そして、肉の味付け燻製の説明。従って、肉の中に葫と山ワサビと玉ネギを摩り下ろしたのを入れて綿糸で縫いこむ手法及び竹串で差し込む手法及び鉄串で差し込む手法によって作った肉を燻製風でジックリ燻った燻製肉。其の他、アーモンドの乾燥粉を肉の中に入れてジックリ燻製風で燻ったアーモンド燻製肉。そして、ピーナツの乾燥粉を肉の中に入れてジックリ燻製風で燻ったピーナツ燻製肉。この他、栗の乾燥粉を肉の中に入れてジックリ燻製風で燻った栗燻製肉。其の外、銀杏の乾燥粉を肉の中に入れてジックリ燻製風で燻った銀杏燻製肉。この他、胡桃の乾燥粉を肉の中に入れてジックリ燻製風で燻った胡桃燻製肉の説明図。
【図２６】宇宙に於いて、超小型ロボットロケットが海王星のまだ遠い場所から地球の位置と太陽系の位置を正確にライトカメラ及び超小型天体電波望遠鏡と半永久高出力機械式発電機などの電源を使用して、地球位置を正確に測れる装置の説明図。２０１４年１２月１４日ＡＭ１０時２１分栃木県真岡市で書き始める。
【図２７】落ちない人口衛星の説明に成る。従って、通常は地球軌道上に地球と同じく回転移動するのが、人工衛星に成るが年数を経て、地球に落下する運命が人口衛星に成る。其の為、超小型ロボットの組立て型の人口衛星を地球引力地点より、離れた場所に超小型ロボットの組立て型の人口衛星を地球の周囲十六か所打ち上げて、絶対に落ちない地点の人口衛星に対して、半永久高出力機械式発電機などの電源で、月の影でも他の人工衛星通信によって、３６５日衛星電波の使う事の出来る超小型ロボット人口衛星ロケットの宇宙空間の組み立て型の人口衛星説明図。
【図２８】テレビトラスフォーマーテイションピクトリー名称及び(テレビトラスフォーマーピクトリーテイション)の説明に対して、テレビ画像の部分固有形状画像部分の指定によって、三角形ライン指定の画像形状認識及び、変則四角形ライン指定の画像形状認識及び、五角形ライン指定の画像形状認識及び、六角形ライン指定の画像形状認識及び、七角形ライン指定の画像形状認識及び、八角形ライン指定の画像形状認識及び、九角形ライン指定の画像形状認識及び、十角形ライン指定の画像形状認識及び、十一角形ライン指定の画像形状認識及び、十二角形ライン指定の画像形状認識其々の指定枠を使って、花枠及び動物枠及び機械枠及びキャラクター枠等を使用した画像を専用の多層式磁気ボックスに入出力出来る多機能家電リモコン装置説明図。別途の、他の家電リモコン送受信回路のハンドルキープチェンジパネルは、テレビ本体に対して取り外し取り付け可能な別のデーター回路システムの説明図。
【図２９】最新式画像パネル積載の超高速ウルトラリニアーモーターカー(超高速ウルトラリニアーモータービーチル)の重量貨物運搬用の超高速ウルトラリニアーモーターカー(超高速ウルトラリニアーモータービーチル)の説明に中って、電磁石パネルの磁気力を世界最高レベルに擦る為に、高出力圧電素子磁石体パネルに高出力銅筒管コイル配線を巻いた電磁石の多層連結電磁石体に成り、磁気カバーパネルにプラスチックビニールゴムガラス板内蔵アルミニウム合わせ板パネルの磁力線防御パネル使用の超高速ウルトラリニアーモーターカー(超高速ウルトラリニアーモータービーチル)の重量貨物運搬用の多層連結方式の高出力電磁石説明。
【図３０】テレビトランスフォーマーテイションピクトリー名称及び(テレビトランスフォーマーピクトリーテイション)の説明に対して、テレビの画像形状を認識して、設定データー内に有る花の写真に対して、鳥画像の飛んでいる形状に対して、花全体を鳥に見立てて組み合わせ加工した花の鳥絵図に成り、この他は、文字の形状に合わせて花文字をイメージした画像に直変換出来るなど、テレビの登場主人公に対して、別の花等の加工絵などのキャラクター絵を使った加工画像のテレビビデオなども見る事の出来るテレビシステムの説明図。２０１４年１２月３０日ＡＭ１０時２４分栃木県真岡市中西建設で書き始める。
【図３１】最新式画像パネル積載の砂地を走行する為の新タイヤ装置説明として、高出力２連結以上モーター二個の両サイド二個の四個の高出力２連結以上モーター使用積載のハイブリットダンプ及び重機のタイヤを作動させる為の、複数中抜き鋼鉄歯ミッションと菜種油精製油使用積載のミッション歯車が二本のタイヤを連動作動させる為のタイヤにミッション歯の受けリング体が内蔵された走行装置に成る。従って、ミッション歯のミッション油の温度センサー付きのミッション精製油に成り、動物油と菜種油の合成精製油なども有り、ミッション歯の一部には油切菊筋付きのミッション歯構造のミッションに成る説明図。
【図３２】最新式画像パネル積載の砂鉄入りグラスフアイバーパネルは、砂鉄入りコンクリート及び砂鉄入り強圧縮硝子材を使った磁力線保護と磁気補助接合機能を使用した未来の建築物のイメージ設計の基礎説明に成り、磁力線防止壁など軽水素と酸素の永久発電機システム及び地下ビル基礎保護としての再生プラスチックビニールグラスフアイバー枠の再生ゴム枠及び三重の地下コンクリート枠としての他の地下ビル基礎構造に成るこの場合は、鉄筋の代わりに、水パイプ網基礎燃焼防止の溜めの水循環用パイプによって、リサイクル材の保護に成って入る構造に成る説明図。この他は、ガンマ線放射線入りのビニールプラスチック体を鉛錫アルミニウム合金金属タンク内の先にストレート官及びスクリュー管付きのガンマ線放射線入りタンクに備え付け構造の高出力圧電素子電磁石の少し隙間を空けた連結高出力圧電素子電磁石を複数並べて、アルミニウム枠で固定した磁力線圧で放射線圧をストレート官及びスクリュー管の先からガンマ線線を出す事の出来る装置に成り、別に磁力線と一緒にガンマ線を出す装置として、圧電素子磁気粒子入りガンマ線線入りビニールパネル構造タンクの他に、別の高出力圧電素子電磁石の少し隙間を空けた連結高出力圧電素子電磁石を複数並べた磁力線放射装置が必要視される装置に成る説明図。
【図３３】最新式画像パネル積載のマイナスポリプロビレン軽水素マイナス青静電気イオンボール及びプラス木綿軽水素入りプラス静電気イオンボールにスクリュー静電気及びスクリュー電子電気を内蔵カメラ首振り装置に同時首振り出来る電子放射装置によって、静電気イオンボールの色彩を区別してイオン電気放射注入してイオンボールの電気極イオン化ボールにして、イオンボールを設定ボール並べの同一位置にして、内蔵カメラのＣＣＤカラー色位置認識をした上で暗号キーが解除出来る装置の簡単な構造説明に成る説明図。
【図３４】テレビ画像の映像データーと音声データーを入れる磁気粒子と異なる軽水素入りナイロンプラスイオンとアルミニウム絶縁箔入りのテフロンマイナスイオンのプラスイオンとマイナスイオンの両極のイオン極の有る静電物質は人口に作られたプラス極とマイナス極が一つの静電帯物質のマイクロチップ材に成る。この他として、シリコンダイオード薄膜に軽水素入りレイヨン及び軽水素入り塩化ビニールを貼り付けたプラス極とマイナス極の両極を持ち得たマイクロチップを石灰入り元材の竹灰入りプラスチックビニールの合成無静電極プラスチックビニールつまり、いくら摩擦しても熱発生の物質の説明に成り、無静電テープシート状にプラスとマイナス極の持ち得た静電イオン物質の両極イオン物質マイクロチップ粒子を筋状に詰めてシリコンダイオードシーとカバーを掛けて映像波を流して静電イオン物質に映像波を流して録画録音する装置説明図。２０１５年１月４日ＰＭ１５時０１分栃木県真岡市中西建設で書き始める。
【図３５】超薄型テレビ画像パネル付きのビデオ及びカメラレンズのアクリルガラスレンズの太陽光などが入って、ビデオ及びカメラの高出力ＣＣＤの燃焼防止構造の高出力圧電素子電磁弁になって居る４方向遮断のビデオ及びカメラレンズのアクリルガラスレンズの太陽光全自動遮断装置付きの六角柱カメラレンズ外形構造のスプリングピン四か所付きのカメラレンズをカメラ本体に差し込んで回して四か所のスプリングピン留めする構造に成り、外す場合はスプリングピンに対してボタンを使って奥にスプリングピン格納状態にしてから、レンズを回して取り外す構造の装置に成る。従って、通常カメラ及びガンマ線線内蔵のプラスチックシート内蔵クリスタルガラス筒パネル積載アクリル筒内蔵レンズ積載カメラとアルファ線内蔵のプラスチックシート内蔵クリスタルガラス筒パネル積載アクリル筒内蔵レンズ積載カメラと高出力銅筒管コイル使用積載の電子カメラと通常カメラの四個の小型カメラレンズ積載のカメラ及びモーター放射線切り換えパネル積載の二つレンズ及び三つレンズカメラ装置の他と異なった形状のカメラ説明に成る。
【図３６】超薄型テレビ画像パネルシステム付きのガンマ線イオン磁力線治療器は、アルミニウム鉛錫合金カバー内に複数の高出力圧電素子電磁石体を四列組み込んだ磁力線圧発射装置に対して、ガンマ線線内蔵のプラスチックシート内蔵プラスチックビニール筒パネルを複数使ったガンマ線の度合いを調整出来る高出力モーターガンマ線線内蔵のプラスチックシート内蔵プラスチックビニール筒パネルのガンマ線線量調整装置と高出力電動仕切り弁と軽水素トリチウム電子ガス入りシリコンビニール高出力モーターパネル積載と電磁付属調整装置付きのガンマ線イオン磁力線を収束官付きの間接疲労及びガン治療の為の装置説明。そして、テレビ及びビデオ等の、軽量圧電素子磁気使用の多層式カード及びボックスの軽量圧電素子磁気部分を変えた装置説明として、酸化鉄微粒子とバリウム混合溶液微粒子と酸化鉄微粒子と軽水素トリチウム電子ガス入りビニール粒子入り微粒子と酸化鉄微粒子と液体マグネシウムの混合液を冷却固定した酸化鉄入りマグネシウムを微粒子化した其々の微粒子に対して、高出力圧電素子電磁石体の連結パネルの超高圧力の電磁放射線を、酸化鉄微粒子とバリウム混合溶液微粒子と酸化鉄微粒子と軽水素トリチウム電子ガス入りビニール粒子入り微粒子と酸化鉄微粒子と液体マグネシウムの混合液を冷却固定した酸化鉄入りマグネシウムを微粒子化した其々の微粒子に浴びせる事によって、磁気化した酸化鉄微粒子とバリウム混合溶液微粒子と酸化鉄微粒子と軽水素トリチウム電子ガス入りビニール粒子入り微粒子と酸化鉄微粒子と液体マグネシウムの混合液を冷却固定した酸化鉄入りマグネシウムを微粒子其々の磁気を使用した録画録音装置に成る。２０１５年１月１７日ＡＭ８時２６分栃木県真岡市中西建設で書き始める。
【図３７】画像データーと音声データー記録装置説明に成る。従って、酸化鉄水溶液及び酸化鉄軽水素溶液をビニールプラスチックに入れて糸ラインに音声波及び映像波を通して記録するシステムに対して、竹灰入り窒素入りシート等の冷却絶縁シートとの多層式の酸化鉄水溶液のプラスチックビニール及び酸化鉄水溶液のビニールグラスファイバーシート及び糸ラインの記録体装置に成り、磁気粒子記録体とシリコンダイオード記録体と異なる物質に成り、回路のスイッチ等にも応用の効く録画録音物質装置に成る。
【図３８】テレビのノーマル波とデジタル波の画像認識装置と異なる画像波データーと音声波データーの画像データー表示に対して、被写体外形形状ライン表示認識が画像パネルの左上〜右上に画像ライン書き込みに成り、更に右上二段目から左上二段目の画像ライン書き込みに成り、更に左上三段目から右上三段目の画像ライン書き込みに成り、更に右上四段目の画像ライン書き込みに成り、最後に左上四段目の画像ライン書き込みによって、画像ラインが移され、更に画像ラインの色付けが行われて一つの一コマの画像表示説明が動画説明へ続くテレビの画像表示説明に成る。
【図３９】テレビ画像の表示の順番を説明した図に成り、基本のＡ図は、Ｂ図そしてＣ図そしてＤ図そしてＥ図そしてＦ図そしてＧ図そしてＨ図そしてＩ図そしてＪ図そしてＫ図そしてＬ図そしてＭ図そしてＮ図そしてＯ図そしてＰ図そしてＱ図へ高速画像波移動表示する画像の一コマ画像説明に成る。２０１５年１月２３日ＡＭ９時１２分栃木県真岡市で書き始める。
【図４０】多層式磁気ツースボックス概略デザインの説明図と多層式磁気ツースボックスの出し入れ擦る為の概略構造と家電業界に無かった画像装置の弱エアーを使った多層式磁気ツースボックスの出し入れ説明と多層式磁気ツースボックスの風を送る為の水車羽改造型の変形羽に対して、超軽量発電レールモーター風送りフアンの竹灰入りプラスチック軽量装置付きの概略説明図に成る。
【図４１】多層式磁気ツースボックス概略デザインの説明図と多層式磁気ツースボックスの出し入れ擦る為の概略構造と家電業界に無かった画像装置の弱エアーを使った多層式磁気ツースボックスの出し入れ説明と多層式磁気ツースボックスを固定する多層式磁気ツースボックスの両サイドの留め穴部分に高出力電磁石ピンを作動させる高出力インバータ装置付きのピン構造は、アルミニウム芯入りステレス鋼の電磁石ピン装置に成り、衝撃吸収用のビニールゴム材使用の円形吸盤型ビニールゴム突起の中央部に円柱ビニールゴム突起と十字ラインビニールゴム突起と異形ビニールゴムブロック突起の衝撃吸収装置説明図。２０１５年８月２７日ＰＭ１４時１５分美馬牛自宅で久しぶりに追加書きを始めるニャンカンキチ木白子。
【図４２】本発明考案の画像パネル応用及び使用の、パソコンの送受信相手のデーターチェック書き込み説明参考図。
【図４３】本発明考案の画像パネル応用及び使用の、ノンストップ回路の説明参考図。
【図４４】本発明考案の画像パネル応用及び使用の、農業土壌改良状態を確認擦る為の画像パネル参考図。
【図４５】本発明考案の画像パネル応用及び使用の、自動車の超小型カメラ付キーの鍵穴のデサイン情報の携帯電話全自動連絡と携帯電話の画像パネル確認参考図。
【図４６】本発明考案の画像パネル応用及び使用の、電気に対してプラス電気をマイナス電気に変える技術とマイナス電気をプラス電気に変える説明文章参考図。
【図４７】本発明考案の画像パネル応用及び使用の、ロボットマイクの五個の方向集音マイクを使った音発生位置の全自動ロボットカメラの映像パネルを使った音発生原因の全自動確認装置の参考図。
【図４８】本発明考案の画像パネル応用及び使用の、本考案の画像パネルを使った超長竹灰入りセラミック筒官スクリュー温風シールドバリアを使った四種類の粘土色と筋絵堀の白ライン絵を確認擦る為の、カメラ画像を写し出す装置の参考図。２０１５年９月６日ＰＭ２１時美馬牛自宅で久振りに書き始めるカンキチ。
【図４９】本発明考案の画像パネル応用及び使用の、本考案の画像パネルを使った建設機械のバックホーの畑作地の縦抜き暗渠排水に対する７連結以上モーター掘削機に使用積載擦る縦暗渠掘削機械の撮影用カメラ画像参考図。
【図５０】本発明考案の画像パネル応用及び使用の、本考案の画像パネルを使った高出力モーターカメラの、加工金属磁石を使った電磁石に成り、軽水素トリチウム電子ガス入り圧電素子磁石体シートと、複数穴空きネオジウム金属を交互に貼り合わせた加工磁石に高出力銅筒官コイルを巻いた電磁石使用のモーターカメラ参考図。
【図５１】本発明考案の画像パネル応用及び使用の、ロボットマイクの五個の方向集音マイクを使った音発生位置の全自動ロボットカメラの映像パネルを使った音発生原因の全自動確認装置の参考図。
【図５２】本発明考案の画像パネル応用及び使用の、本考案の高出力モーターカメラ積載のロボット家電の高出力六角形状コイル無２乗インバータレールモーター積載の画像パネル参考図。
【図５３】本発明考案の画像パネル応用及び使用の、弱アルファ入りプルトニウム軽水素圧電素子磁石体粒子入りシリコン熱瞬間吸収発電体などの熱発電パネル積載の画像パネル参考図。２０１５年９月６日ＰＭ２１時４９分美馬牛自宅でペンを置くカンキチ。
【図５４】本発明考案の画像パネル応用及び使用の、高出力軽水素トリチウム電子ガス入りシリコン圧電素子磁石体粒子混合合成配線と高出力軽水素トリチウム電子ガス入りダイオード圧電素子磁石体粒子混合合成配線を使用した画像装置と高出力軽水素トリチウム電子ガス入りシリコンダイオード圧電素子磁石体粒子入りの、弱アルファ放射線混合のシリコンダイオード圧電素子磁石体粒子合成スイッチの参考図。
【図５５】本発明考案の画像パネル応用及び使用の、高出力六角形状圧電素子発電回路の中に弱アルファヘアピン配線を入れた高出力六角形状圧電素子発電回路を使用した画像パネル参考図。
【図５６】本発明考案の画像パネル応用及び使用の、ネオジム磁石シリコンに対して、中央は軽水素マグネシウム入りシリコン構造に成り、次にプルトニウムマグネシウム入りシリコンそして、通常シリコンの三層リングシリコン構造に対して、ネオジム銅合金配線を取り付けたネオジム磁石シリコンスイッチ及び高出力圧電素子を使った発電回路使用積載の画像パネル参考図。２０１５年９月１３日ＰＭ２１時美馬牛自宅で久振りに書き始めるカンキチ。
【図５７】本発明考案の画像パネル応用及び使用の、内外冷却風車型高出力六角形状発電回路型２乗回転式コイル無レールモーター使用のＣＤ積載使用の画像パネル文書参考図。
【図５８】本発明考案の画像パネル応用及び使用の、パソコン等の固体充電池の寿命後の、使用手段を説明した画像パネル文書参考図。２０１５年９月６日ＰＭ２１時３７分美馬牛自宅でペンを置くカンキチ。
【図５９】本発明考案の画像パネル応用及び使用の、新技術回路は、シリコンダイオードの時間使用劣化寿命を長く擦る為の改良型のシリコンダイオード回路スイッチ素子に成り、マイクロ水銀を圧電素子磁石体粒子入りシリコンスイッチ回路の中央部にマイクロ超微粒子水銀を内蔵させて、囲む様に圧電素子磁石体粒子入りの弱アルファ放射線一粒粒子入りのシリコンシートで囲んで一番外側に圧電素子磁石体粒子入りシリコンダイオードシートで囲んだ回路スイッチ及びコイル無モーターの特殊圧電素子パネルの北海道知事宛てへの著作権特許技術考案の参考ハガキ文書図。
【図６０】本発明考案の画像パネル応用及び使用の、新技術回路は、スイッチ回路中央に弱アルファ線一粒粒子内蔵タイプとスイッチ回路中央に弱ガンマ線一粒粒子内蔵タイプと酸素入り液体マグネシウム圧電素子磁石体タイプとスイッチ回路中央に弱ガンマ線一粒粒子内蔵タイプとスイッチ回路中央に弱ベータ線一粒粒子内蔵タイプと圧電素子磁石体のガラス粒子及びプラスチックガラス粒子に代わる超硬琥珀入りガラス粒子内蔵圧電素子磁石体及びスイッチ回路中央に弱中性子一粒粒子内蔵タイプに対して、冷却窒素ライン入り圧電素子磁石体粒子カバーを掛けた特別の圧電素子磁石体回路説明参考ハガキ文書図。２０１５年１１月１日ＰＭ１７時２４分南相馬市でペンを置く。２０１５年１１月１５日ＰＭ１５時１５分南相馬市で書き始める。
【図６１】本発明考案の画像パネル応用及び使用の、特殊充電池として、プラス極充電池体と丸ごと別個体充電池として、切り離したマイナス極充電池体の内部構造として、塩化窒素酸化マグネシウム方極充電池電気貯蓄体構造とした軽水素ガス主成分と別に酸素ガス主成分のプラス方極充電池とマイナス方極充電池の温度認識センサーシート回路積載の圧電素子粒子入りシリコンマグネシウム熱瞬間吸収発電シート入りのプラス方極充電池とマイナス方極充電池の簡単な構造説明参考ハガキ文書図。２０１５年１１月１６日ＰＭ２１時１０分南相馬市で書き始める。
【図６２】本発明考案の画像パネル応用及び使用の、高出力発電回路の軽水素劣化防護体の構造説明参考ハガキ文書図。
【図６３】本発明考案の画像パネル応用及び使用の、高出力六角形状発電コイル無インバータレールモーターの構造説明参考ハガキ文書図。
【図６４】本発明考案の画像パネル応用及び使用の、ネオジム酸水つまり磁気金属溶解水液入りのダイオードパネル又はＣＣＤシリコンダイオードの構造説明参考ハガキ文書図。２０１５年１１月１６日ＰＭ２１時３２分南相馬市でペンを置く。２０１５年１１月１８日ＡＭ５時５２分南相馬市で書き始める。
【図６５】本発明考案の画像パネル応用及び使用の、合成プラス静電イオンと合成マイナス静電イオン物質スクリュー筒管配線と高出力六角形状発電回路を使った増幅発電装置の構造説明参考ハガキ文書図。
【図６６】本発明考案の画像パネル応用及び使用の、陽電子陰電子スパーク静電細胞活性化装置使用の弱アルファ磁気波治療と弱ガンマ磁気波治療のＤＮＡ遺伝子顕微鏡全自動コンピュータカメラ観察治療の構造説明参考ハガキ文書図。
【図６７】本発明考案の画像パネル応用及び使用の、軽水素入りフッ化カルシウム軽量圧電素子磁石体粒子入りネオンガス入りシリコンビニールダイオード光反応発光体反射板付カメラの構造説明参考ハガキ文書図。
【図６８】本発明考案の画像パネル応用及び使用の、アルゴンプルトニウム窒素合成蛍光ライトガスとネオンプルトニウムリン窒素合成蛍光ライトガス説明とネオンリン硝酸化プルトニウム内蔵鉛ビニールダイオードカバー回路素子等の構造説明参考ハガキ文書図。
【図６９】本発明考案の画像パネル応用及び使用の、バックに対して、牛皮及び羊皮及び豚皮に対して、ビニールアルコール液に浸して、皮の鞣し固定と色染めと部分色染めと複数柄絵染めとプラチナ箔染めとゴールド箔の部分染めと皮の部分掘り下げ絵柄のプラチナ箔染めとゴールド箔染めを使ったニャンワン財団マークの構造説明参考ハガキ文書図。
【図７０】本発明考案の画像パネル応用及び使用の、エアー電磁石モーター補助ホイストの構造説明参考ハガキ文書図。
【図７１】本発明考案の画像パネル応用及び使用の、高出力発電レールモーター電磁誘導ダイナモ内蔵型電動仕切り弁型エアー取り込み装置の構造説明参考ハガキ文書図。
【図７２】本発明考案の画像パネル応用及び使用の、五連磁気圧力型高出力レールモーターエアーホイストの構造説明参考ハガキ文書図。
【図７３】本発明考案の画像パネル応用及び使用の、五連磁気圧力型高出力レールモーターエアーホイストの補助ホイストの構造説明参考ハガキ文書図。
【図７４】本発明考案の画像パネル応用及び使用の、部分四重光反射ガラス使用のガイガーミューラー放射線感知ガラスの構造説明参考ハガキ文書図。
【図７５】本発明考案の画像パネル応用及び使用の、額縁用の多層式シート内蔵型のアクリルガラスの構造説明参考ハガキ文書図。
【図７６】本発明考案の画像パネル応用及び使用の、レアーアース水入りガラスと銅水入りガラスなどの低い温度で曲がるガラスの構造説明参考ハガキ文書図。
【図７７】本発明考案の画像パネル応用及び使用の、光反射用の二枚合わせガラスの中にアクリルシートを入れた部分光透過ガラスの構造説明参考ハガキ文書図。
【図７８】本発明考案の画像パネル応用及び使用の、放射能線を全自動観測出来る高出力山岳電気ヘリコプターの放射能観測用のガイガーミューラー放射線感知ガラスの構造説明参考ハガキ文書図。
【図７９】本発明考案の画像パネル応用及び使用の、テレビカメラの画像電波の送信の有り方の構造説明参考ハガキ文書図。
【図８０】本発明考案の画像パネル応用及び使用の、超微粒子アルファ放射線粒の構造説明参考ハガキ文書図。
【図８１】本発明考案の画像パネル応用及び使用の、改良型高出力圧電素子磁石体の構造説明参考ハガキ文書図。
【図８２】本発明考案の画像パネル応用及び使用の、電気自動車の電気速度を速く擦る為の構造説明参考ハガキ文書図。
【図８３】本発明考案の画像パネル応用及び使用の、家電製品の増幅発電パネルの構造説明参考ハガキ文書図。
【図８４】本発明考案の画像パネル応用及び使用の、高出力発電六角形状圧電素子連結型発電回路と高出力発電六角形状連結コイル無レールモーターの構造説明参考ハガキ文書図。
【図８５】本発明考案の画像パネル応用及び使用の、軽水素ガス及び薄荷入りビタミンＡ多層六角錠及び軽水素ガス及び薄荷入りビタミンＢ多層六角錠及び軽水素ガス及び薄荷入りビタミンＣ多層六角錠及び軽水素ガス及び薄荷入りビタミンＤ多層六角錠及び軽水素ガス及び薄荷入りビタミンＥ多層六角錠の品種改良の薬剤の構造説明参考ハガキ文書図。
【図８６】本発明考案の画像パネル応用及び使用の、竹灰入りグラスファイバーパネル型Ｗ固定ハウスの構造説明参考ハガキ文書図。
【図８７】本発明考案の画像パネル応用及び使用の、弱ガンマ放射線粒水の薬草品種改良の有り方説明の構造説明参考ハガキ文書図。
【図８８】本発明考案の画像パネル応用及び使用の、代替え石炭軽量竹灰入りセラミック溶鉱炉の構造説明参考ハガキ文書図。
【図８９】本発明考案の画像パネル応用及び使用の、代替え石炭軽量竹灰入りセラミック溶鉱炉の構造説明参考ハガキ文書図。
【図９０】本発明考案の画像パネル応用及び使用の、電気製品の熱を上げないパソコンデザインの構造説明の構造説明参考ハガキ文書図。
【図９１】本発明考案の画像パネル応用及び使用の、避雷針の構造説明参考ハガキ文書図。
【図９２】本発明考案の画像パネル応用及び使用の、ロボット家電の骨組みの構造説明参考ハガキ文書図。
【図９３】本発明考案の画像パネル応用及び使用の、磁力線増幅電気説明の構造説明参考ハガキ文書図。
【図９４】本発明考案の画像パネル応用及び使用の、多層三重構造のカラー回路チップの構造説明参考ハガキ文書図。
【図９５】本発明考案の画像パネル応用及び使用の、電気熱注油グリス方式の構造説明参考ハガキ文書図。
【図９６】本発明考案の画像パネル応用及び使用の、発光透過光ガラスと複数カラー光ライン装置の色ガラスの構造説明参考ハガキ文書図。
【図９７】本発明考案の画像パネル応用及び使用の、月に金属が有った場合に出来る月の人工太陽望遠ライト装置の構造説明参考ハガキ文書図。
【図９８】本発明考案の画像パネル応用及び使用の、電気スパーク熱暖房装置の構造説明参考ハガキ文書図。
【図９９】本発明考案の画像パネル応用及び使用の、真空装置又は高出力真空装置を使った熱風装置の構造説明参考ハガキ文書図。
【図１００】本発明考案の画像パネル応用及び使用の、風呂浴槽の全自動掃除機の構造説明参考ハガキ文書図。
【図１０１】本発明考案の画像パネル応用及び使用の、軽水素マグネシウム水貯蓄充電池の構造説明参考ハガキ文書図。
【図１０２】本発明考案の画像パネル応用及び使用の、外型洗濯装置の構造説明参考ハガキ文書図。
【図１０３】本発明考案の画像パネル応用及び使用の、軽水素入りフッ化カルシウム発光パネルライトの構造説明参考ハガキ文書図。
【図１０４】本発明考案の画像パネル応用及び使用の、二重発光ライトの構造説明参考ハガキ文書図。
【図１０５】本発明考案の画像パネル応用及び使用の、ロボット天井マイクの構造説明参考ハガキ文書図。
【図１０６】本発明考案の画像パネル応用及び使用の、冬用の電熱型ネックレス及びブレスレットの発光真珠の構造説明参考ハガキ文書図。
【図１０７】本発明考案の画像パネル応用及び使用の、未来的別世界下着シミーズ其の他の構造説明参考ハガキ文書図。
【図１０８】本発明考案の画像パネル応用及び使用の、異なったコンデンサーの構造説明参考ハガキ文書図。
【図１０９】本発明考案の画像パネル応用及び使用の、全自動ロボットカラーライトラインキャッチ位置認識装置の構造説明参考ハガキ文書図。
【図１１０】本発明考案の画像パネル応用及び使用の、カラー光ライン装置の違うタイプの構造説明参考ハガキ文書図。
【図１１１】本発明考案の画像パネル応用及び使用の、電熱線ガラスの車ガラスに於いて、アルゴンガスラインガラスに電気を通して冷気を融かす装置の構造説明参考ハガキ文書図。
【図１１２】本発明考案の画像パネル応用及び使用の、コンプレッサーの音消し装置の構造説明参考ハガキ文書図。
【図１１３】本発明考案の画像パネル応用及び使用の、軽水素トリチウム電子ガス入りフッ化カルシウムリン発光物質とプラスチックシリコンビニール接着型溶液の説明の構造説明参考ハガキ文書図。
【図１１４】本発明考案の画像パネル応用及び使用の、ロボット家電の四種類電波の構造説明参考ハガキ文書図。
【図１１５】本発明考案の画像パネル応用及び使用の、全自動ロボット家電の位置出し説明と全自動トラクターの位置出し装置の構造説明参考ハガキ文書図。
【図１１６】本発明考案の画像パネル応用及び使用の、全自動ロボット家電給水口の構造説明参考ハガキ文書図。
【図１１７】本発明考案の画像パネル応用及び使用の、異なった高出力発電回路の構造説明参考ハガキ文書図。
【図１１８】本発明考案の画像パネル応用及び使用の、エイズ等の薬の有り方の構造説明参考ハガキ文書図。
【図１１９】本発明考案の画像パネル応用及び使用の、半自動ペンキ塗り装置の構造説明参考ハガキ文書図。
【図１２０】本発明考案の画像パネル応用及び使用の、ペンキ塗り装置の構造説明参考ハガキ文書図。
【図１２１】本発明考案の画像パネル応用及び使用の、光電気Ｗ送電型スイッチとペーパーライト型スイッチの構造説明参考ハガキ文書図。
【図１２２】本発明考案の画像パネル応用及び使用の、放射線スイッチ回路の有り方の構造説明参考ハガキ文書図。
【図１２３】本発明考案の画像パネル応用及び使用の、男性用穴あきパンツの構造説明参考ハガキ文書図。
【図１２４】本発明考案の画像パネル応用及び使用の、電気鍋の外側三重構造装置の構造説明参考ハガキ文書図。
【図１２５】本発明考案の画像パネル応用及び使用の、全自動ロボットの高出力モーターワイヤハンガ装置の構造説明参考ハガキ文書図。
【図１２６】本発明考案の画像パネル応用及び使用の、黒色二酸化炭素水素ガスと黒色炭素軽水素ガス使用の磁力線空間に於いての太陽光熱吸収発電装置の構造説明参考ハガキ文書図。
【図１２７】本発明考案の画像パネル応用及び使用の、衣類収納庫開閉装置の構造説明参考ハガキ文書図。
【図１２８】本発明考案の画像パネル応用及び使用の、弱放射線ダブルCCDカメラパネルの構造説明参考ハガキ文書図。
【図１２９】本発明考案の画像パネル応用及び使用の、横長魚眼合わせ突レンズの構造説明参考ハガキ文書図。
【図１３０】本発明考案の画像パネル応用及び使用の、窒素シリコン溶液入り三重チューブのロボット家電タイヤの構造説明参考ハガキ文書図。
【図１３１】本発明考案の画像パネル応用及び使用の、ロボット家電六足走行の略図の構造説明参考ハガキ文書図。
【図１３２】本発明考案の画像パネル応用及び使用の、人工二層電気抵抗ゼロ電気の構造説明参考ハガキ文書図。
【図１３３】本発明考案の画像パネル応用及び使用の、高速高出力六角形状発電電気回路パネルの構造説明参考ハガキ文書図。
【図１３４】本発明考案の画像パネル応用及び使用の、放電指せない磁力線圧力電気スイッチの構造説明参考ハガキ文書図。
【図１３５】本発明考案の画像パネル応用及び使用の、新しい細胞活性化装置の構造説明参考ハガキ文書図。
【図１３６】本発明考案の画像パネル応用及び使用の、電気製品カバー及びロボット家電カバー体に取り付ける高出力六角形状圧電素子発電回路連結装置の構造説明参考ハガキ文書図。
【図１３７】本発明考案の画像パネル応用及び使用の、弱ガンマ線粒入り高出力六角形状圧電素子発電回路連結装置の構造説明参考ハガキ文書図。
【図１３８】本発明考案の画像パネル応用及び使用の、ロボットロケットのマイナス一〇〇〇度以上に対応した電気スイッチの構造説明参考ハガキ文書図。
【図１３９】本発明考案の画像パネル応用及び使用の、マグネトロン電子を磁力線カラーライト光電磁路に対して、互いの引き合う電気磁石力線に依って、磁力線電気を送電擦るシステムを使ったロボット家電調理器具の構造説明参考ハガキ文書図。
【図１４０】本発明考案の画像パネル応用及び使用の、軽水素ニッケルＷ充電池の構造説明参考ハガキ文書図。
【図１４１】本発明考案の画像パネル応用及び使用の、全自動ロボットの筋肉部分の構造説明参考ハガキ文書図。
【図１４２】本発明考案の画像パネル応用及び使用の、二通りの赤外線パネルの構造説明参考ハガキ文書図。
【図１４３】本発明考案の画像パネル応用及び使用の、高出力発電六角形状連結レールモーターの中コイル軸移動型の高出力六角形状発電回路利用のロボット家電の発電システムの構造説明参考ハガキ文書図。
【図１４４】本発明考案の画像パネル応用及び使用の、デジタルカメラの光度認識スイッチを新しく変えた技術の構造説明参考ハガキ文書図。
【図１４５】本発明考案の画像パネル応用及び使用の、デジタルカメラ及びノーマルカメラ及び電気抵抗ゼロデジタルカメラ及び電気抵抗ゼロノーマルカメラのペンタモータープリズムの説明とペンタプリズムの構造説明参考ハガキ文書図。
【図１４６】本発明考案の画像パネル応用及び使用の、冷暖房風移動型室内床天井壁送風移動風冷暖房掃除機の構造説明参考ハガキ文書図。
【図１４７】本発明考案の画像パネル応用及び使用の、高出力モーター電磁石板の構造説明参考ハガキ文書図。
【図１４８】本発明考案の画像パネル応用及び使用の、キセノン発光ガス入りの高出力ソーラーパネルの軽水素トリチウム電子キセノン合成ガス入りの圧電素子磁石体粒子入りシリコンソーラーパネルの微量増幅発電パネル及び高出力六角形状圧電素子発電回路連結型の高出力六角形状連結発電回路型パネル内蔵型の電気増幅発電型ソーラーパネルの構造説明参考ハガキ文書図。
【図１４９】本発明考案の画像パネル応用及び使用の、高出力圧電素子六角形状発電回路内蔵型高出力太陽光ソーラーパネル及び体温吸収発電型の高出力熱瞬間吸収発電パネルに高出力圧電素子六角形状発電回路内蔵の構造説明参考ハガキ文書図。
【図１５０】本発明考案の画像パネル応用及び使用の、発光物質リング入りレンズカバー装置の構造説明参考ハガキ文書図。
【図１５１】本発明考案の画像パネル応用及び使用の、固形冷却粉末物質の構造説明参考ハガキ文書図。
【図１５２】本発明考案の画像パネル応用及び使用の、宇宙ロボット家電高出力電波望遠鏡カバーの構造説明参考ハガキ文書図。
【図１５３】本発明考案の画像パネル応用及び使用の、レアーアース溶解水入りナイロン糸の構造説明参考ハガキ文書図。
【図１５４】本発明考案の画像パネル応用及び使用の、プルトニウムアルミニウムレアーアース金属水入りテトロン糸シートパネルの構造説明参考ハガキ文書図。
【図１５５】本発明考案の画像パネル応用及び使用の、熱発電発光レーザーの構造説明参考ハガキ文書図。
【図１５６】本発明考案の画像パネル応用及び使用の、発光光子ビーム装置の構造説明参考ハガキ文書図。
【図１５７】本発明考案の画像パネル応用及び使用の、モーター電磁石洗浄装置の食器洗い乾燥機天井電波発信装置の構造説明参考ハガキ文書図。
【図１５８】本発明考案の画像パネル応用及び使用の、高出力超高圧力コンプレッサーの構造説明参考ハガキ文書図。
【図１５９】本発明考案の画像パネル応用及び使用の、マイナス１０００度の世界に於いての海水の有り方の構造説明参考ハガキ文書図。
【図１６０】本発明考案の画像パネル応用及び使用の、モーター電磁石洗浄装置の食器洗い乾燥機天井電波発信装置の構造説明参考ハガキ文書図。
【図１６１】本発明考案の画像パネル応用及び使用の、スクリューモーター水のスクリュー水打たせ洗濯モードの構造説明参考ハガキ文書図。
【図１６２】本発明考案の画像パネル応用及び使用の、通常と異なるインターネットテレビ電話の構造説明参考ハガキ文書図。
【図１６３】本発明考案の画像パネル応用及び使用の、海底マグネシウムの採取方法の構造説明参考ハガキ文書図。
【図１６４】本発明考案の画像パネル応用及び使用の、タッチ画像パネルの別の形状装置の構造説明参考ハガキ文書図。
【図１６５】本発明考案の画像パネル応用及び使用の、軽水素弱アルファ放射線入り陽電子陰電子スパーク発電機の構造説明参考ハガキ文書図。
【図１６６】本発明考案の画像パネル応用及び使用の、連結型高出力六角形状圧電素子発電回路の構造説明参考図。
【図１６７】本発明考案の画像パネル応用及び使用の、連結型高出力六角形状圧電素子発電回路の構造説明参考図。
【図１６８】本発明考案の画像パネル応用及び使用の、最新型のカーナビゲイションの補助装置の構造説明参考図。
【考案を実施するための形態】
【００９７】
以下本考案の実施の形態を図１〜図に基づいて説明する。
図１の場合は（１）は、古くから有る通常液晶デスプレイ画像装置に成り、（２）の偏光板の後ろに（３）の防護の為の硝子基板が取り付き次に（４）の色を決めるカラーフィルタが続きそして、問題の（６）の液晶層が取り付き画像を映す心臓部に成り、そして、（３）の防護の為の硝子基板が取り付き次に（２）の偏光板の後ろに（７）のバックライト装置が付いたのが（８）の液晶テレビ参考図に成り、（９）の特許権切れ著作権契約行使低価格公開作品に成る構造と組み立て順の説明に成る。
２０１４年１２月１４日Ｐｍ２２時１９分栃木県真岡市中西建設でペンを置く。
２０１４年１２月１５日ＡＭ９時９分栃木県真岡市で書き始める。
【００９８】
図２の場合は、（１０）のＣＲＴデスプレイ参考図に対して、（１１）ブラウン管面の次に（１２）マスク部分が続き（１３）アルゴンガス入りチューブに対して（１４）の電子ビームは（１６）の偏光ヨークに対して（１５）の電子銃装置によって、（１３）アルゴンガス入りチューブに対して（１１）ブラウン管面に画像が映る仕組みに成り、テレビは全て、応用した部材の異なるテレビに成る（９）の特許権切れ著作権契約行使低価格公開作品に成る構造と組み立て順の説明に成る。
【００９９】
図３の場合は、（１７）の著作物北海道庁知事宛への提出の文書図面の著作物年月日証明の先発明著作物技術の優先著作権利主張作品に対して、（１８）のクリスタル硝子パネルは（１９）のアルゴンガス入り液晶パネルの保護パネル体に成り、（２０）のデジタル映像波走査線シートパネルに成り、別にノーマル映像波走査線シートパネルに対して（２１）映像回路燃焼防止窒素ガス入りビニール粒子入りグラスフアイバービニールシートパネル（２２）の竹灰入り窒素ガス内蔵ビニール粒子入りプラスチックパネルが並ぶ液晶パネル体に成り、（１９）アルゴンガス入り液晶パネルに対して（２０）のデジタル映像波走査線シートパネルに映像波を流す為の映像回路プラス配線と映像回路マイナス配線の取り付いた（２５）のテレビ画像新作液晶パネルに成る。
【０１００】
図４の場合は、（１７）の著作物北海道庁知事宛への提出の文書図面の著作物年月日証明の先発明著作物技術の優先著作権利主張作品に対して、（２６）半クリスタル硝子パネルの通常ガラスの軽圧縮ガラスに成り、（２７）アルゴンガス入りプラスチックパネルに対して（２８）デジタル映像波走査線シートパネルが入り、（２９）の映像回路燃焼防止窒素ガス入りビニール粒子入りグラスフアイバービニールシートパネルを冷やす為の又は通常温度を保つ為の（３０）竹灰入り窒素ガス内蔵ビニール粒子入りプラスチックビニールパネルに成り、新技術の（２７）アルゴンガス入りプラスチックパネルはアルゴンガス自体に映すパネルに成り、（２３）の映像回路プラス配線と（２４）の映像回路マイナス配線を取り付けたパネルに成り、（２５）のテレビ画像新作液晶パネルに成り、（５１）の不正競争防止法著作物介入盗作注意公開作品。
【０１０１】
図５の場合は、（１７）の著作物北海道庁知事宛への提出の文書図面の著作物年月日証明の先発明著作物技術の優先著作権利主張作品に対して、（３１）の半プラスチック硝子パネルに対して、（３２）のアルゴンガス入りビニールパネルに対して、（３３）のデジタル映像波走査回路シートパネルが入り、（３４）の映像回路燃焼防止窒素ガス入りビニールプラスチック粒子入りグラスフアイバーの（３５）の竹灰入り窒素ガス内蔵ビニール粒子入りプラスチックパネルカバーの付いた（３２）のアルゴンガス入りビニールパネルに対して、（２３）の映像回路プラス配線と（２４）の映像回路マイナス配線を取り付けたパネルに成る（２５）のテレビ画像新作液晶パネルに成るに対して、（５１）の不正競争防止法著作物介入盗作注意公開作品。
【０１０２】
図６の場合は、（１７）の著作物北海道庁知事宛への提出の文書図面の著作物年月日証明の先発明著作物技術の優先著作権利主張作品に対して、（３６）の半プラスチッククリスタル硝子パネルに対して（３７）アルゴンガス入りプラスチックビニールパネルに対して（３８) のデジタル映像波走査回路配線竹灰入りグラスフアイバーシートパネル（ノーマル映像波走査回路配線竹灰入りグラスフアイバーシートパネル有り）に対して、（３９）映像回路燃焼防止窒素ガス入りビニールナイロン粒子入りグラスフアイバービニールシートパネルが取り付き、（４０）の雑草灰入り窒素内蔵ビニール粒子入りプラスチックパネルに成り、映像の映る部分の（３７）アルゴンガス入りプラスチックビニールパネルに対して、（２３）の映像回路プラス配線と（２４）の映像回路マイナス配線を取り付けたパネルに成り、（２５）のテレビ画像新作液晶パネルに成るに対して、（５１）の不正競争防止法著作物介入盗作注意公開作品。
【０１０３】
図７の場合は、（１７）の著作物北海道庁知事宛への提出の文書図面の著作物年月日証明の先発明著作物技術の優先著作権利主張作品に対して、（４１）のプラスチックシート入り２枚合わせ硝子パネルに対して、（４２）のアルゴンガス入りプラスチックグラスフアイバーパネルに対して、（４３）のデジタル映像波走査回路配線雑草灰入りグラスフアイバーシートパネル（ノーマル映像波走査回路配線竹灰入りグラスフアイバーシートパネル有り）が取り付き、（４４）の映像回路燃焼防止窒素ガス入りビニールテトロン粒子入りグラスフアイバービニールシートパネルが取り付き、（４５）の木材灰入り窒素内蔵ビニール粒子入りグラスフアイバーシートパネルカバー構造に成り、（４２）のアルゴンガス入りプラスチックグラスフアイバーパネルに対して、（２３）の映像回路プラス配線と（２４）の映像回路マイナス配線を取り付けたパネルに成り、（２５）のテレビ画像新作液晶パネルに成るに対して、（５１）の不正競争防止法著作物介入盗作注意公開作品。
【０１０４】
図８の場合は、（１７）の著作物北海道庁知事宛への提出の文書図面の著作物年月日証明の先発明著作物技術の優先著作権利主張作品に対して、（４６）の強圧縮プラスチック入り半強化硝子に対して、（４７）のアルゴンガス入りプラスチックナイロン入りグラスフアイバーパネルに対して、（４８）のデジタル映像波走査回路配線生ゴミ灰入りグラスフアイバーシートパネル（ノーマル映像波走査回路配線竹灰入りグラスフアイバーシートパネル有り）が取り付き、（４９）の映像回路燃焼防止窒素ガス入りビニールポリエステル粒子入り竹灰内蔵グラスフアイバービニールシートパネルが取り付き、（５０）の稲藁灰入り窒素内蔵ビニール粒子入りグラスフアイバーシートパネルカバー構造に成り、（４７）のアルゴンガス入りプラスチックナイロン入りグラスフアイバーパネルに対して、（２３）の映像回路プラス配線と（２４）の映像回路マイナス配線を取り付けたパネルに成り、（２５）のテレビ画像新作液晶パネルに成るに対して、（５１）の不正競争防止法著作物介入盗作注意公開作品。
【０１０５】
図９の場合は、（１７）の著作物北海道庁知事宛への提出の文書図面の著作物年月日証明の先発明著作物技術の優先著作権利主張作品に対して、（５２）の二枚合わせ硝子発電シリコンプラスチックシート入り硝子の次に、（５３）のアルゴンネオンガス入りシリコン入りグラスフアイバーパネルに対して、（５４）のデジタル映像波走査回路配線麦藁灰入りグラスフアイバーシートパネル(ノーマル映像波走査回路配線竹灰入りグラスフアイバーシートパネル有り)が取り付き、（５５）の映像回路燃焼防止窒素ガス入りシリコンビニール粒子入り麦藁灰内蔵グラスフアイバービニールシートパネルが取り付き、（５６）の麦藁灰入り窒素内蔵ビニール粒子入りグラスフアイバーシートパネルカバー構造に成り、（５３）のアルゴンネオンガス入りシリコン入りグラスフアイバーパネルに対して、（２３）の映像回路プラス配線と（２４）の映像回路マイナス配線を取り付けたパネルに成り、（２５）のテレビ画像新作液晶パネルに成るに対して、（５１）の不正競争防止法著作物介入盗作注意公開作品。
【０１０６】
図１０の場合は、（１７）の著作物北海道庁知事宛への提出の文書図面の著作物年月日証明の先発明著作物技術の優先著作権利主張作品に対して、（５９）の二枚合わせ硝子冷却窒素ガス入りプラスチックシート入り硝子の次に、（６０）のアルゴンネオン軽水素混合ガス入りシリコングラスフアイバーパネルに対して、（６１）のデジタル映像波走査回路配線牧草灰入りグラスフアイバーシートパネル(ノーマル映像波走査回路配線竹灰入りグラスフアイバーシートパネル有り)が取り付き、（６２）の映像回路燃焼防止窒素ガス入りダイオードビニール粒子入り牧草灰内蔵グラスフアイバービニールシートパネルカバー構造に成り、（６０）のアルゴンネオン軽水素混合ガス入りシリコングラスフアイバーパネルに対して、（２３）の映像回路プラス配線と（２４）の映像回路マイナス配線を取り付けたパネルに成り、（２５）のテレビ画像新作液晶パネルに成るに対して、（５１）の不正競争防止法著作物介入盗作注意公開作品。
【０１０７】
図１１の場合は、（１７）の著作物北海道庁知事宛への提出の文書図面の著作物年月日証明の先発明著作物技術の優先著作権利主張作品に対して、（６６）の二枚合わせ硝子部分光反射防止プラスチックビニールライン入りプラスチック発電シート入り硝子の次に、（６７）のアルゴン軽水素混合ガス入りシリコングラスフアイバーパネルに対して、（６８）のデジタル映像波走査回路配線トーキビ茎葉灰入りグラスフアイバービニールシートパネルが取り付き、（６９）の映像回路燃焼防止窒素ガス入りシリコンダイオードビニール粒子入りトーキビ灰内蔵グラスフアイバービニールシートパネルが取り付き、（７０）の電気温度感知型の軽水素トリチウム電子ガス入り圧電素子磁石体粒子内蔵シリコン発電シートパネルカバー構造に成り、（６７）のアルゴン軽水素混合ガス入りシリコングラスフアイバーパネルに対して、（２３）の映像回路プラス配線と（２４）の映像回路マイナス配線を取り付けたパネルに成り、（２５）のテレビ画像新作液晶パネルに成るに対して、（５１）の不正競争防止法著作物介入盗作注意公開作品。
【０１０８】
図１２の場合は、（１７）の著作物北海道庁知事宛への提出の文書図面の著作物年月日証明の先発明著作物技術の優先著作権利主張作品に対して、（７２）の二枚合わせ硝子内入れ型軽水素トリチウム電子ガス入りシリコン入り圧電素子磁石体粒子ライン発電電気温度感知型発電シート部分配線入り硝子の次に、（７３）のアルゴン窒素混合ガス入りシリコングラスフアイバーパネルに対して、（７４）のデジタル映像波走査回路配線菜種茎葉灰入り内蔵グラスフアイバービニールシートパネルが取り付き、（７５）の映像回路燃焼防止窒素ガス入りシリコン液晶ビニール菜種茎葉灰入り内蔵グラスフアイバービニールシートパネルが取り付き、（７６）の菜種茎葉灰入り内蔵グラスフアイバービニールシートパネルカバー構造に成り、（７３）のアルゴン窒素混合ガス入りシリコングラスフアイバーパネルに対して、（２３）の映像回路プラス配線と（２４）の映像回路マイナス配線を取り付けたパネルに成り、（２５）のテレビ画像新作液晶パネルに成るに対して、（５１）の不正競争防止法著作物介入盗作注意公開作品。
補足として、（５７）の二枚合わせ硝子に対して、中央に（７１）の電気温度感知型の軽水素トリチウム電子ガス入り圧電素子磁石体粒子内蔵シリコン発電シート構造の二枚合わせガラス説明。
【０１０９】
図１３の場合は、（１７）の著作物北海道庁知事宛への提出の文書図面の著作物年月日証明の先発明著作物技術の優先著作権利主張作品に対して、（７７）の窒素ガス入りプラスチック粒子入りプラスチック冷却シート貼り付け型硝子パネルの次に、（７８）の充電池素子入りグラスフアイバーシートに対して、（７９）のデジタル映像波走査回路配線窒素ガス入りビニール粒子内蔵グラスフアイバー燃焼防止シートパネルが取り付き、（８０）の映像回路燃焼防止窒素ガス入りビニール蕎麦茎葉灰入りプラスチックシートパネルカバー構造に成り、（７８）充電池素子入りグラスフアイバーシートに対して、（２３）の映像回路プラス配線と（２４）の映像回路マイナス配線を取り付けたパネルに成り、（２５）のテレビ画像新作液晶パネルに成るに対して、（５１）の不正競争防止法著作物介入盗作注意公開作品。
【０１１０】
図１４の場合は、（１７）の著作物北海道庁知事宛への提出の文書図面の著作物年月日証明の先発明著作物技術の優先著作権利主張作品に対して、（８１）のプラスチック強化硝子プラスチックシート貼り手段のガラス基板の次に、（８２）水素入りニッケル微粒子入り炭素シリコンアルゴンガス入りビニールシートに対して、（８３）の窒素ガス入りビニール粒子内蔵グラスフアイバー燃焼防止シートパネルが取り付き、（８４）の映像回路燃焼防止窒素ガス入りビニールレントコーン茎葉灰入り内蔵プラスチックシートパネルカバー構造に成り、（８２）水素入りニッケル微粒子入り炭素シリコンアルゴンガス入りビニールシートに対して、（２３）の映像回路プラス配線と（２４）の映像回路マイナス配線を取り付けたパネルに成り、（２５）のテレビ画像新作液晶パネルに成るに対して、（５１）の不正競争防止法著作物介入盗作注意公開作品。
２０１４年１２月１５日ＰＭ20時8分栃木県真岡市で再び書き始める。
【０１１１】
図１５の場合は、テレビ画像パネル高出力自動充電池内蔵の鍵付き取り付け型のリニアーモーターカー及び電気列車及び菜種油軽油の合成油エンジン列車及び電気プロペラ補助エンジン飛行機及び、電気スクリュー補助エンジン船及び電気船及び砂漠観光クローラー車及び移住星連絡車及び長距離用バスなどの椅子倒れの角度を多く大きくする為に、椅子隣椅子の高低差を３０センチメートルの段差を付けたリニアーモーターカー及び電気列車及び菜種油軽油の合成油エンジン列車及び電気プロペラ補助エンジン飛行機及び、電気スクリュー補助エンジン船及び電気船及び砂漠観光クローラー車及び移住星連絡車及び長距離用バスなどの椅子隣り構造説明に成り、傘の瞬間送風水切り機など、強制洗浄空気床送風装置及び身体障碍者全自動位置確認アンテナイヤホーン誘導システム等の著作権説明図。
２０１４年１２月１５日Ｐｍ２２時３６分栃木県真岡市中西建設でペンを置く。
２０１４年１２月１６日ＰＭ１８時３７分栃木県真岡市で再び書き始める。
【０１１２】
図１６の場合は、テレビ画像パネルに対して、コピー機の異なった紙に成り、テレビスキャンリモコンスイッチは、コピー機に繋げると三角形型画像切り抜き及び、
変則四角形型画像切り抜き及び五角形型画像切り抜き及び、六角形型画像切り抜き及び、七角形型画像切り抜き及び八角形型画像切り抜き及び九角形型画像切り抜き及び、十角形型画像切り抜き及び十一角形型画像切り抜き及び十二角形型画像切り抜き成り、別に魚眼三角形型画像切り抜き及び魚眼変則四角形型画像切り抜き及び魚眼五角形型画像切り抜き及び、魚眼六角形型画像切り抜き及び、魚眼七角形型画像切り抜き及び魚眼八角形型画像切り抜き及び魚眼九角形型画像切り抜き及び、魚眼十角形型画像切り抜き及び魚眼十一角形型画像切り抜き及び魚眼十二角形型画像切り抜きに成り、別に中央が普通の画像に成り、周りが魚眼の画像の三角形型画像切り抜き及び、変則四角形型画像切り抜き及び五角形型画像切り抜き及び、六角形型画像切り抜き及び、七角形型画像切り抜き及び八角形型画像切り抜き及び九角形型画像切り抜き及び、十角形型画像切り抜き及び十一角形型画像切り抜き及び十二画像切り抜きとは別に、植物を花形形状及び動物形状及び機械形状の三角形型画像切り抜き及び、変則四角形型画像切り抜き及び五角形型画像切り抜き及び、六角形型画像切り抜き及び、七角形型画像切り抜き及び八角形型画像切り抜き及び九角形型画像切り抜き及び、十角形型画像切り抜き及び十一角形型画像切り抜き及び十二角形型画像切り抜きなどの、設定スキャン画像が出来て、補正画像修正によって、自分の好きな画像を多層式の軽量圧電素子磁気にデーターの入出力が出来る装置に成り、データーは表裏両面ＭＤなどにも入れる事が出来る装置説明図で有り、プラスチック紙の両面に麦藁粒子を貼り付けたプラスチック麦藁紙及び、プラスチック紙に稲藁粒子を貼り付けたプラスチック紙及びプラスチック紙の両面にレントコーンの茎の中の軽量物の粉をプラスチック紙の両面にレントコーンの茎の中の白い物質を粉にした乾燥物を貼り付けた紙などの応用紙のコピー機の説明図。
【０１１３】
図１７の場合は、テレビ画像パネルの未来的農業漁業林業一体型中小工企業体システム財団のテレビに映す異なった食料品包装箱の色々な異なった形説明に成り、楕円形型及び、矢印型等の他社と異なった形状の食料品の宣伝等のテレビ画像放送に対して、他社と略完全に異なるテレビ宣伝内容に擦る為の食糧品の異なった放送箱説明図。
【０１１４】
図１８の場合の、テレビ画像パネル積載のリニアーモーターカーの電磁石はプラス配線とマイナス配線が二本ずつ有る二層コイル及び、プラス配線とマイナス配線が三本ずつ有る三層コイル及びプラス配線とマイナス配線が四本ずつ有る四層コイル及び、プラス配線とマイナス配線が五本ずつ有る五層コイル及び、プラス配線とマイナス配線が六本ずつ有る六層コイル及び、プラス配線とマイナス配線が七本ずつ有る七層コイル及び、プラス配線とマイナス配線が八本ずつ有る八層コイル及び、プラス配線とマイナス配線が九本ずつ有る九層コイル及び、プラス配線とマイナス配線が十本ずつ有る十層コイル及び、プラス配線とマイナス配線が十一本ずつ有る十一層コイル及び、プラス配線とマイナス配線が十二本ずつ有る十二層コイル及び、複数層配線電磁石及び高出力複数層配線電磁石を使った重量物移動の貨物リニアーモーター及び、二階建てリニアーモーターカーのテレビ画像を椅子一つ一つに取り付けたリニアー画像システムの説明図。
２０１４年１２月１６日Ｐｍ２１時３５分栃木県真岡市中西建設でペンを置く。
２０１４年１２月１７日ＰＭ１８時３分栃木県真岡市で再び書き始める。
【０１１５】
図１９の場合の、テレビ画像パネル積載のリニアーモーターカーの指輪型テレビリモコン装置は、車掌の居る又は軽金属アンドロイドロボット車掌などの二個から三個の指輪リモコン装置によって、リニアーモーターカー内のテレビ画像パネルのリモコン操作が出来る指輪に超小型マイクと超小型カメラが積載に成って居る指輪リモコン装置。
【０１１６】
図２０の場合は、テレビパネル等の包装箱説明に成り、竹乾燥粒子と竹乾燥チップの竹合板箱及び、竹乾燥粒子と竹乾燥チップとプラスチック合成箱及び竹灰入り竹乾燥粒子と竹乾燥チップの竹合成合板箱等によって、電気製品の包装箱とした説明に成る。
【０１１７】
図２１の場合は、テレビリモコンのキーホルダー及びデザインホルダーは、超小型の小貝の表面を薄く削ってペイントしたワイヤ玉付きの糸抜け防止装置に対して、
鳥小羽にワイヤ玉の付いた装置を使用して登山網糸に鳥小羽一羽ずつ差し込んで止めた羽アクセサリーをテレビリモコンのデザインホルダーとした装置。
【０１１８】
図２２の場合は、テレビ鑑賞及び、画像データー整理の為、疲れた場合の、飲料水補給に対して、葫エキスの乳酸菌発酵エキスを入れたジュースに成り、葡萄の発酵時に発酵葫エキスを入れたアルコール分を取り除いた葡萄発酵葫ジュースなど、発酵果物のアルコール分を取り除いたジュースと麹発酵ウコン及び乳酸菌発酵行者葫エキスと乳酸菌発酵行者葫の混合ジュースなどによる疲労休憩説明。
【０１１９】
図２３の場合は、画像データー疲労処理の料理材の半乾燥冷凍食品の乾燥葫粉入り酢味噌づけの魚と肉及び乾燥行者葫粉入り酢味噌漬けの魚と肉と乾燥アーモンドの粉入り酢味噌漬けの魚と肉と乾燥ピーナツの粉入り酢味噌漬けの魚と肉と乾燥胡桃粉入り酢味噌漬けの魚と肉と乾燥銀杏粉入り酢味噌漬けの魚と肉と乾燥栗の粉入り酢味噌漬けの魚と肉とカニ味噌と味噌を混ぜて発酵させたカニ味噌などの画像データー疲労処理の料理材の説明。
【０１２０】
図２４の場合は、画像データー疲労処理の料理材の酢の発酵時に葫エキスを入れて発酵させた葫酢など、酢の発酵時に行者葫エキスを入れて発酵させた行者葫酢及び、酢の発酵時に山ワサビエキスを入れて発酵させた山ワサビ酢など、酢の発酵時にセロリエキスを入れて発酵させたセロリ酢など、酢の発酵時にラッキョエキスを入れて発酵させたラッキョ酢などの料理材の説明。
【０１２１】
図２５の場合は、画像データー疲労処理の料理材の葫味噌味醂ダレ半日付け込み乾燥の魚と肉の燻製商品に成り、アーモンド乾燥粉入り味噌味醂ダレ半日付け込み乾燥の魚と肉の燻製商品に成り、乾燥ピーナツ粉入り味噌味醂ダレ半日付け込み乾燥の魚と肉の燻製商品に成り、乾燥胡桃粉入り味噌味醂ダレ半日付け込み乾燥の魚と肉の燻製商品に成り、乾燥銀杏粉入り味噌味醂ダレ半日付け込み乾燥の魚と肉の燻製商品に成り、乾燥蒸し胡桃粉入り味噌味醂ダレ半日付け込み乾燥の魚と肉の燻製商品に成り、乾燥マカ粉入り味噌味醂ダレ半日付け込み乾燥の魚と肉の燻製商品に成り、乾燥味噌味醂ダレ半日付け込み乾燥の魚と肉の燻製商品に成り、肉及び魚の中に乾燥野菜及び薬味の粉を入れて串留めして燻製にした商品等の料理材の説明。
【０１２２】
図２６の場合は、宇宙データー放送に対して、超小型ロケットロボットのライトカメラによって、宇宙の星の軌道に乗って、撮影を続けて、何台かの超小型ロケットロボットのライトカメラの送受信装置によって、地球での宇宙データー放送が見る事が出来て、遠い宇宙から超小型ロケットロボットが地球に帰還する場合の地球位置を認識する場合は、太陽光の位置をロボットライトカメラ及びソーラーパネル太陽光の受光位置最高発電位置の太陽位置と地球時間に対しての太陽系の太陽位置と地球位置と火星位置と木星位置と土星位置に対しての地球位置を全自動で計算して、地球への全自動帰還出来る超小型ロケットロボットの全自動帰還システムの説明。
【０１２３】
図２７の場合は、宇宙データー放送に対して、超小型ロケットロボットの地球に落ちない人工衛星説明に成り、人工衛星を地球軌道以外の少し離れた場所に地球の周囲に８基から１６基の超小型ロケットロボット人工衛星を上げて、落ちない位置と地球引力圏害のスクリュー無線波と超小型電子電波望遠鏡によって、地球の連続観測と地球のロボット固定複数衛星放送説明。
【０１２４】
図２８の場合は、テレビの一部画像の取り外した画像を多層式軽量竹灰入り硝子微粒子内蔵圧電素子磁石体磁気ラインボックスに入出力出来るテレビリモコン装置に成り、電波はスクリュー無線波を使ったテレビリモコン装置に成り、テレビ主人公画像の取り替え及び、作り音声使用取り替えのテレビドラマの全自動切り換えシステムと漫画等のキャラクターの取り替え及び作り音声取り替えによる漫画等の全体の一部分を変えて楽しむ事の出来るテレビ説明及び、三角形ライン指定の画像形状認識及び、変則四角形ライン指定の画像形状認識及び、五角形ライン指定の画像形状認識及び、六角形ライン指定の画像形状認識及び、七角形ライン指定の画像形状認識及び、八角形ライン指定の画像形状認識及び、九角形ライン指定の画像形状認識及び、十角形ライン指定の画像形状認識及び、十一角形ライン指定の画像形状認識及び、十二角形ライン指定の画像形状認識其々に拠る指定画像を花及び人形及び動物に全自動変化出来るテレビトランスフォーマーテイションピクトリー名称及び(テレビトランスフォーマーピクトリーテイション)の説明。
【０１２５】
図２９の場合は、超高速ウルトラリニアーモーターカー(超高速ウルトラリニアーモータービーチル)の重量貨物運搬用の超高速ウルトラリニアーモーターカーの浮上及び走行用の、現在の最高技術のＪＲリニアー技術の先技術と最高技術として、電磁石力を現在の電磁石力を二倍以上擦る為、高出力圧電素子板に高出力銅筒管コイルを巻いた電磁石を連結状に並べた高出力圧電素子板其々に電気を流す電磁石板の簡単な構造技術に成り、磁力線の防御壁板装置を使った高出力圧電素子電磁石体の連結固定金具に成り、この時代のリニアー窓ガラスはテレビ宣伝用の超アルゴンネオンガス入りのプラスチックビニールシート内蔵の二枚合わせガラスの画像パネルに成り、ガラスタッチで画像が数十秒間切れて中の様子が見る事の出来るガラス構造に成る説明。
【０１２６】
図３０の場合は、テレビトランスフォーマーテイションピクトリー名称及び(テレビトランスフォーマーピクトリーテイション)の説明として、テレビ画像及び他の画像パネルに於いて、登場人物に対しての人の姿見の代わりに動物画像の人画像及び、着ている衣服のデザイン変え及び、顔の皮膚の色変え及び、爪の色を変えたテレビドラマの編集画像に成り、ワンタッチ方式の画像切り換えはカメラ画像及び、パソコン画像にも応用出来るテレポーテイションシステムの一歩先のシステムに成り、変化作り画像を楽しむ事が出来る。
２０１５年１月３日ＰＭ１９時９分栃木県真岡市で再び書き始める。
【０１２７】
図３１の場合は、砂地走行用の建設機械と高出力２連モーター付きのタイヤの中央にミッション歯車が高出力２連モーター付きタイヤの中央をミッション歯車がキチンと差し込み密着の上でミッション歯車と２連タイヤが連動するハイブリットミッション歯車と後輪タイヤ四本の連動の有り方に成る。
従って、ミッション歯車とタイヤの軸の一体型の菜種精製油入りのミッション歯車と高出力モーター一体型の連動装置に成り、菜種油クランクシャフト軸の回転力を増幅擦る為の、循環ミッションクランクシャフト回転力の循環駆動によって、菜種油エンジンの加速度の補助を高出力２連モーターの駆動補助によって、菜種油精製油の軽油合成油エンジンの燃料消費を抑えて、排気ガスの循環水蒸気の循環排気ガス処理装置付きの菜種油軽油合成油ハイブリットエンジンミッションの概略構造説明に成る。
この他は、ミッション歯車軸複数に高出力レールモーターを取り付け、高出力電磁誘導発電装置を取り付けて、高出力モーター回転比率に合わせたドリル装置に対して、エンジン補助して、ドリル回転及び砂地走行出来る装置に成り、逆発想の特許に成り、世界特許権としては、小型化が望める為、世界特許性の濃いハイブリットの逆発想技術説明に成る。
【０１２８】
図３２の場合は、砂鉄入りグラスファイバーパネルに成り、使用用途は７０年程しか太陽年数の無いコンクリートに対応した鉄骨を保護する部材説明に成り、コンクリートだけでは、世界遺産に成らない為、つまり、１０００年超えのコンクリート部材を探す事に成り、確かにクリスタルガラス使用鉄骨材のボルトナット留め手段の免震機能付きの地下を含むビル二階システム技術に次ぐ技術開発の中に、砂鉄磁気入りグラスフアイバーパネルは、免震機能の他、強力磁力線の地下周囲の地震の横揺れを吸収出来る砂鉄磁気入りグラスフアイバーパネルに成り、製造工程は、砂鉄磁気入りグラスファイバーパネルを多層式に接着溶液と熱圧縮固定して、固形窒素プラスチックシートカバー付きの複数穴空アルミニウム金属パネル保護パネル固定の複数穴空部分に対して、防護用窒素入りプラスチック竹灰入りゴムカバーによって、保護して太陽劣化年数の経過軽易の観察窓に成り、劣化速度が増す場合は、防護粘着窒素粒子入りグラスフアイバーシート防護材に成る。
その他、磁力ガンマ線装置は、放射線のガンマ線入りのビニール材を半切タンクに固定して、電動鉛鉄アルミニウム合金弁付きのガンマ線の放出管付きの装置に対して、高出力圧電素子電磁石体パネルの多層重ね方式のアルミニウム鉛パネル内蔵のアルミニウム電磁防御固定カバー付きの高出力磁力線の力でガンマ線を押し出す装置説明に成る。
この他、放射線のガンマ線入りのビニール材に軽水素入り圧電素子磁石体粒子パネルと軽水素トリチウム電子ガス入りシリコンビニールパネルに対して両極のプラス極とマイナス極を両端に取り付けたガンマ線イオン弱調整磁力線調整ビームを内蔵したガンマ線治療とイオン治療と磁力線治療の三種類の合成ガンマ線放射線治療装置説明に成る。
２０１５年１月４日ＡＭ１０時０分栃木県真岡市で再び書き始める。
【０１２９】
図３３の場合は、異なった暗号スイッチの説明として、プラス木綿軽水素入りプラス静電イオン赤ラインボールとマイナスポリプロビレン軽水素入りマイナス静電イオン青ラインボールに対して、超小型カメラの首振りカメラに備え付けられて入るライン官電子放射装置及び、静電気放射官装置によって、赤ボールの場合はプラスイオンのプラス電子電気補充によって青ボールの場合はマイナスイオンのマイナス電子電気補充によって両サイドの磁力線イオン吸入管によって、赤ラインプラスイオンボールと青ラインマイナスイオンボールをプラスイオン吸入管に並べて、マイナスイオン吸入官に並べて超小型カメラの識別カラー色ボールの並べた順番を超小型カメラが、色の並べ順を全自動認識出来るカラー色ラインの色順番を認識出来るデーター読み取り照合用のカードまたは、複数充電池量チップのデーター記録装置及びアルミニウムテープデーター入力装置に拠って静電イオンボールのカメラ電子銃装置によって、電気イオン補充された複数のカラー色ボールのスイッチ補助装置に成る。
【０１３０】
図３４の場合は、画像データー入力装置の新しい基礎方式の説明に成る。
従って、軽水素入りナイロンプラスイオンと中心部に軽水素入りテフロンマイナスイオンの中心部にアルミニウム絶縁体及び炭素絶縁体が取り付いたプラスイオンとマイナスイオンが取り付いた映像データーと音声データーを記録出来る物質に成る。
この他、シリコンダイオードシートにプラス軽水素入りレイヨンと軽水素入りマイナス塩化ビニールに成る物質に成る。
そして、少し改良型の鉄箔細芯入りのシリコンダイオードシートにプラス軽水素入りレイヨンと少し改良型の鉄箔細芯入りの軽水素入りマイナス塩化ビニールに成る物質に成る。
その他として、酸化鉄粉とバリウム溶液の混合したのを細かくした酸化鉄バリウム粒子記録体に成る。
この他として、酸化鉄粉と軽水素ビニール溶液を混合したのを細かくしたと軽水素ビニール粒子入り酸化鉄粉記録体に成る。
その他として、酸化鉄粉と液体マグネシウム混合したのを細かくした酸化鉄粉と液体マグネシウム粒子記録体に成る。
従って、酸化鉄と軽水素入りバリウムの混合撹拌乾燥粒子に、高出力圧電素子磁石体の多層式の電磁気放射装置によって、電子磁気を浴びせた酸化鉄と軽水素入りバリウムの混合撹拌乾燥粒子及び軽水素ビニール粒子入り酸化鉄粉記録体及び酸化鉄粉と液体マグネシウム粒子記録体に成る。
【０１３１】
図３５の場合は、アクリルガラスレンズ内蔵のビデオカメラレンズカバー及びカメラレンズカバー及びロボットレンズカバー及び天体望遠鏡レンズカバーの高出力電磁仕切り弁装置を四個付けたカメラレンズ外形が六角形状の滑り止め防止装置が六ヶ所設けたアクリルレンズカメラの六角柱装置の竹灰入りプラスチック軽量カバー材を使ったアクリルレンズに成る。
従って、固定方法はカメラ本体に対して、レンズに四か所のスプリングピンが入る溝付きのアクリルレンズに成り、カメラ本体四か所にスプリングピン装置を取り付けて、ボタン押しで奥に入る構造のスプリングピン装置に成り、アクリルレンズを本体に押して回してから本体のピンロックを掛ける構造のアクリルレンズカメラのレンズ固定手段に成る。
【０１３２】
図３６の場合は、テレビ薄型画像パネル付きのガンマ線イオン磁力線治療器は、アルミニウム鉛錫合金磁力線防御カバー内に多層式高出力圧電素子磁力線放射装置付の磁力線を四段階に電気スイッチ調整出来る四段階磁力線圧力発射装置と磁力線の次にガンマ線入りプラスチックビニール高出力モーターパネルによって、ガンマ線の放射量を調整出来るガンマ線線入りプラスチックビニール高出力モーターパネルによって、ガンマ線線量を調整する装置に成り、次に高出力電動仕切り弁装置のガンマ線遮断仕切り弁装置は緊急ボタンと連結している高出力電動モーター仕切り弁装置に成り、次に軽水素トリチウム電子ガス入りシリコンビニール高出力モーターパネルによって、ガンマ線磁力線放射圧でシリコンビニールパネル内の電子を一緒に飛び出させて、最後の収束官からガンマ線イオン磁力線を放射出来る装置に成る。
【０１３３】
図３７の場合は、画像データーと音声データーの記録体装置として、酸化鉄粉粒子とバリウム溶液を混合撹拌した酸化鉄バリウム粒子と酸化鉄微粒子に軽水素トリチウム電子ガス入りビニール撹拌物の最微粒子と酸化鉄微粒子入りマグネシウム撹拌物の最微粒子に対して、多層式の高出力圧電素子電磁石体の磁力線を酸化鉄粉粒子とバリウム溶液を混合撹拌した酸化鉄バリウム粒子と酸化鉄微粒子に軽水素トリチウム電子ガス入りビニール撹拌物の最微粒子と酸化鉄微粒子入りマグネシウム撹拌物の最微粒子に磁力線を少し長い時間浴びせる事で磁力線を浴びた酸化鉄バリウム粒子と酸化鉄微粒子に軽水素トリチウム電子ガス入りビニール撹拌物の最微粒子と酸化鉄微粒子入りマグネシウム撹拌物の最微粒子磁力体粒子に成る事が出来ると同時に画像データーと音声データーの記録体多層式ボックス装置に成る。
２０１５年１月４日ＰＭ２１時３１分栃木県真岡市中西建設で一年近く掛けて漸く書き終える。
２０１５年１月２２日ＰＭ２１時２１分栃木県真岡市で再び書き始める。
【０１３４】
図３８の場合は、画像パネルの映像波の電波を送るデーターの表示の有り方と被写体を撮る場合に高出力ＣＣＤの全自動認識した場合に最初の画像データーを作る場合は、被写体形状を高速ＣＣＤ認識擦る為には、ＣＣＤの画素数及び駒数をいくら細かくしても、通常ダイオードに変わりが無い為、古いカメラのダイオードと同じだと、被写体認識スピードが遅く成る為、ＣＣＤダイオードのダイオード電子の認識を速める為に、ダイオードに軽水素トリチウム電子ガスを入れた軽水素トリチウム電子ガス入りのダイオードＣＣＤ を作ってカメラに内蔵して、電気は、圧電素子４電子磁気分割装置によって、通常電気中の熱電気を取り除いた電気抵抗無電気使用によって、素早く被写体形状を認識して、被写体ライン形状設定する回路と同時に色彩の色分けを認識する二つの映像回路が同時に画像の形状と色彩の二つの映像認識回路システムが作動して、形状ライン認識データーが先に成り、つぎに色彩データーが続く映像波の送受信の決まりに成る説明に成る。
以上の説明により、主人公の姿見の形状を変えた自分で主人公編集したビデオなどに対してスピードを速くした編集が出来て、有意義な時間を過ごす事が出来る世界で一番新しいテレビビデオ編集の説明に成り、軽量圧電素子磁気粒子と竹灰入りプラスチック軽量シートを使った世界最軽量の磁気多層式ツースボックスのエアー送り出しに構造よって、磁気多層式ツースボックスが前に出る構造に成り、磁気多層式ツースボックス室内のゴミを飛ばす機能が付いて居る事に成る。
更に、磁気多層式ツースボックスを入れる方式は、横入れ方式と縦入れ方式に成り、縦入れ方式は、磁気多層式ツースボックスの数をライトカメラのカラー色位置確認装置によって、磁気多層式ツースボックスの重さを全自動軽量して、送風フアン装置の送る風の量を全自動調整出来る装置に成る。
この他、ライトカメラ装置のカラーラインの焦点距離の全自動認識装置によって、磁気多層式ツースボックスを風で押し込む、超小型高出力エアー電磁弁によって、磁気多層式ツースボックスの背中の風受け引き込み並び突起によってツースボックスの引き込み装置によって、竹灰入りビニールゴムパネルクッションによって引き込み固定に成る構造に成り、手動式とエアー取り込みの切り換えスイッチ付きに成る。
２０１５年１月２３日ＰＭ２４時１７分栃木県真岡市中西建設でペンを置く。
２０１５年１月２３日ＡＭ８時２８分栃木県真岡市で再び書き始める。
【０１３５】
図３９の場合は、映像像パネルに映し出される映像の映像パネル順番を説明した図に成る。
従って、（８６）のＡは、最終画像の動物の形状ライン図を１６分割にした画像分割説明図に成り、（８７）のＢ図は、画像被写体の一番左上の動物の外形形状の高出力ＣＣＤパネルの被写体を全自動認識した被写体画像のＣＣＤダイオード電子認識手順の最初画（８７）のＢ図に成り、映像の被写体画像のライン図の書きはじめの第一歩に成り、通常画像では全体の色彩を画像の左から右または、上から下へ映し出すのが、通常のテレビ画像の映像を映し出す手順に成る。
この様に、（８８）のＣ図は、被写体動物画像の尻尾の一部と頭の一部分の被写体画像が映し出されている図８８に成り、（８９）Ｄ図から（９０）Ｅ図そして（９１）のＦ図では、被写体画像の動物の外形形状の尻尾から背中そして、頭の外形形状ラインが写し出され、（９２）Ｇ図では、ＣＣＤ被写体画像の動物の画像の概略形状の姿が見えて来ている状態に成り、（９３）Ｈ図と（９４）Ｉ図のＣＣＤダイオードの被写体画像の概略被写体形状の動物の概略形状の説明が終わった図で有り、（９７）Ｊ図は、（Ｉ）図のＣＣＤダイオードの被写体画像の概略被写体形状の動物の概略形状の形が出上がった図に対して、（８７）のＢ図の手順通りに成る為、被写体形状の外形形状図のＣＣＤダイオード電子認識手順の最初画（８７）のＢ図に描かれた尻尾の部分から着色が始まり、（９６）のＫ図では、被写体形状図に対して尻尾図と頭図に着色が施され、（９７）Ｌ図では、被写体の尻尾部分と頭の部分の着色認識表示が終えた説明図に成り、（９８）のＭ図では、被写体形状の動物の尻尾から頭半分の着色が終えて要る図に成り、（９９）のＮ図動物の尻尾から頭半分と後ろ足の一部に着色され、（１００）のＯ図では、被写体画像の頭半分と後ろ足の一部と後ろの下側一部分に着色が施されている図に成り、（１０１）のＰ図は、被写体動物の前足一部の着色をしてない図に成り、（１０２）のＱ図では、被写体画像の動物の外形形状図の（９４）Ｉ図のＣＣＤダイオードの被写体画像の概略被写体形状の動物の概略形状の説明が終わった図に対して、全て着色が終えたＱ図に成り、Ｂ図からの形状画像から始まり、Ｑ図の形状画像の着色への手順が、テレビ放送の一コマの画像の説明に成り、動画は数えきれない画像を未知数個並べたのが動画及びテレビ画像に成り、編集ビデオなどは、画像に対して被写体形状外形輪郭データーの一例として、頭部分の取り替えまたは衣服の取り替えまたは動物の取り替えをして映し出したのが、編集ビデオ画像に成り、登場人物及び動物風景などを、全て変えながら編集できるビデオに成り、設定用のビデオソフトに自分で設定変更して変える事の出来るビデオに対して、編集スピードを上げる効果が期待出来るテレビ映像波の特許及び世界特許に成る実用性に対して、産業上の利用の可能性説明に於いても、テレビビデオの世界ヒット作品に成り得るテレビの新しい映像波の著作説明図。
【０１３６】
図４０の場合は、磁気多層ボックスツースの入出力録音録画再生装置の概略図の説明に成る。
従って、磁気に対しては圧電素子磁石体粒子の改良型の竹灰入りプラスチックガラス粒子または竹灰入り硝子粒子及び竹灰入り黒雲母材に成り、チタン酸バリウムを混合撹拌させた世界最軽量圧電素子磁石体粒子を使った磁気粒子装置説明に成る。
追加書きとして、酸化鉄水の濃硬度水を入れた竹灰入りプラスチックビニール粒子または酸化鉄水の濃硬度水を入れた竹灰入りグラスファイバー粒子に磁力線を掛けて磁力線入りのプラスチックビニール粒子及び磁力線入りの竹灰入りグラスファイバー粒子等の、磁力線合成粒子使用の磁気録音録画装置の新技術に成るが、他社は誰も使用出来ないが、特許権請求に対しての特許権料金は特許権料金ゼロ円に成るが、多層式技術の別特許技術は、元々長いテープの録音録画装置が有った為、ここでも、特許権に成っても特許性が薄い為、低料金請求にしか成ら無い。
従って、磁気多層ボックスツースの装置の本体へ設置及び入れる方式として、モーター取り入れ取り出し口方式のＶＨＦ方式のビデオ装置とは、同じ構造の特許及び人の著作物の盗作が有っては、成らない為、磁気多層ボックスツースの装置の出し入れ手段を変えなければ成らない為、弱エアーの出し入れ手段に変える事に成る。
其の為、磁気多層ボックスツースの出し入れのエアー調整装置として、超小型小型カメラを使用した磁気多層ボックスツースの片面に複数カラー色のラインを磁気多層ボックスツースの片面に掘り込みラインにカラー色塗料で明示した装置に成る。
更に、エアーを取り込むモーターは、通常モーターから超軽量発電レールモーターに変えて、風を取り込んで送る風車装置は、円形水車板の形状に対して風スピードを上げる為、曲面パネルの斜め設置構造に変える事に成り、ファン羽装置は竹灰入りプラスチック材を使った外気の取り込み羽に成り、取り込んだ風エネルギーは、スクリュウー官を経て、高出力電磁弁によって、磁気多層ボックスツースの出し入れを可能にして要る技術に成る。
其の為、磁気多層ボックスツースのスムーズムな出し入れを可能にした磁気多層ボックスツースの両サイドの出し入れ誘導溝装置に成り、磁気多層ボックスツースの衝撃吸収体として、竹灰入りビニールゴム製の円形吸盤の中央に円柱突起の付いた衝撃吸収パネルに成り、必然と複数の衝撃吸収体が付く構造に成る。
従って、磁気多層ボックスツースの録音録画の入出力装置は、磁気多層ボックスツースの固定の為の高出力電磁石圧力ピンによって、磁気多層ボックスツースを固定して、円形の曲面吸着構造の中心に円柱新入りの十字竹灰入りプラスチックゴム衝撃吸収体の空いて入る場所に異形ブロックデザインの竹灰入りプラスチックゴムを取り付けた衝撃吸収体に成る。
そして、録画録音再生入出力ソケット銅鉛鉄合金ピンが差し込まれる構造に成る。
【０１３７】
図４１の場合は、磁気多層ボックスツースの入出力録音録画再生装置の留め固定の高出力電磁石ピンの概略図の説明に成る。
従って、磁気多層ボックスツース両サイドに、高出力電磁石ピン装置が取り付く構造に成り、高出力インバータ装置使用のアルミニウム芯入り鋼鉄ピン構造に成り、高出力銅筒管コイルの超細線使用の装置に成り、竹灰入りビニールゴム衝撃吸収体の円形吸盤の改良型の円形吸盤中央に円柱が付き更に十字板構造に成り、空いた場所に異形ブロック体のビニールゴムが入る構造に成る。
【０１３８】
図４２の場合は、本考案の画像パネルを使ったパソコン画面に書き込むインターネットの送受信に関するデーター取引の証拠説明。
【０１３９】
図４３の場合は、本考案の画像パネルを使った家電製品回路の、ノンストップ回路配線の説明に成り、三重回路配線及び絶縁体無の様々な電気スピード調整竹灰入り配線を使ったノンストップ回路配線説明に成る。
【０１４０】
図４４の場合は、本考案の画像パネルを使った農業の土壌改良に対してのピートマス及び竹粉チップ等を使った土壌改良状態を確認擦る為の画像パネル参考図。
【０１４１】
図４５の場合は、本考案の画像パネルを使った自動車の超小型カメラ付キーの鍵穴のデサイン情報の携帯電話全自動連絡と携帯電話の画像パネル確認参考図。
【０１４２】
図４６の場合は、本考案の画像パネルを使った電気に対して、プラス電気をマイナス電気に変える説明とマイナス電気をプラス電気に変える為に一度電気を熱電気変換した電気をプラス電気とマイナス電気に変えるシステム参考図。
【０１４３】
図４７の場合は、本考案の画像パネルを使ったロボットマイクの五個の方向集音マイクを使った音発生位置の全自動ロボットカメラの映像パネルを使った音発生原因の全自動確認装置の参考図。
【０１４４】
図４８の場合は、本考案の画像パネルを使った超長竹灰入りセラミック筒官スクリュー温風シールドバリアを使った四種類の粘土色と筋絵堀の白ライン絵を確認擦る為の、カメラ画像を写し出す装置の参考図。
２０１５年９月６日ＰＭ２１時美馬牛自宅で久振りに書き始めるカンキチ。
【０１４５】
図４９の場合は、本考案の画像パネルを使った建設機械のバックホーの畑作地の縦抜き暗渠排水に対する７連結以上モーター掘削機に使用積載擦る縦暗渠掘削機械の撮影用カメラ画像参考図。
２０１５年９月１２日ＰＭ１４時２８分美馬牛自宅で久振りに書き始めるカンキチ。
【０１４６】
図５０の場合は、本考案の画像パネルを使った高出力モーターカメラの、加工金属磁石を使った電磁石に成り、別の高出力モーターの超薄ステンレス磁石より、軽量な超薄磁石と高出力圧電素子磁石体を使った画像パネルＣＤの高出力モーターの参考説明図。
【０１４７】
図５１の場合は、本考案の画像パネルを使ったロボットマイクの五個の方向集音マイクを使った音発生位置の全自動ロボットカメラの映像パネルを使った音発生原因の全自動確認装置の参考図。
【０１４８】
図５２の場合は、本考案の画像パネルを使ったＣＤの高出力六角形状コイル無２乗レールモーターのインバータスイッチと高出力圧電素子磁石体内の内蔵のヘアピン合金コイルを内蔵した高出力六角形状コイル無２乗レールモーター使用積載のＣＤ参考説明図。
２０１５年１１月１８日ＰＭ１５時４５分南相馬市で書き始めるカンキチ。
【０１４９】
図５３の場合は、本考案の画像パネルを使った高出力圧電素子六角形状発電回路の異なった構造説明に成り、六角形状の高出力軽水素磁力鉄粉箔粒子入り圧電素子の六角形状の三角点接続部分には、銅鉄合金超細配線が取り付き、全体を絶縁アルミニウム金属枠で囲った異なった高出力圧電素子六角形状発電回路の構造説明に成り、この他の六角形状の中央部に軽水素入りネオジムシリコンパネルに対して水素ネオジムマグネシウムシリコンパネルの二重ネオジム磁気シリコンに成り、圧電素子六角形状発電回路又はネオジム軽水素シリコン回路等としての参考説明図。
２０１５年１１月１８日ＰＭ２０時２５分南相馬市で書き始めるカンキチ。
【０１５０】
図５４の場合は、本考案の画像パネルを使ったパソコン等の通常現在の今まで使用去れて要るダイオード回路スイッチが海外技術として有名で有り、回路スピードを若干早く擦る為に、通常電気から通常電気中の熱抵抗電気を全て取り除く圧電素子４電子磁気分割装置使用によって、パソコン回路中の電気抵抗をゼロに擦る事は、完璧に可能に成るが、通常ダイオードスイッチ反応は、通常電気スピードを電気抵抗ゼロで有っても、通常ダイオードスイッチ反応は、余り変わらない為、通常ダイオードスイッチから水素入りダイオードスイッチに構造を変える事で、通常ダイオード電子量が増える分確かにダイオードスイッチスピードは、変わるが、究極のダイオードスイッチスピードに成ると軽水素トリチウム電子ガス入りダイオードスイッチに成るが、２００１年から２０１５年までに誰かが、世界特許権未公開の侭パソコン回路中の電気スピードは、速く成ったが、日本国の１０００兆円を超える全額借金返済では、現在の電気製品価格ならば、５０年保障に成り、確かにレアーアース回路配線技術を取り入れた場合でも、軽水素入りダイオード回路スイッチ及び水素入り回路スイッチの熱劣化及び最後に固まる現象で、通常ダイオードスイッチは、１０年が最高寿命に成り、連続使用によって、１０年のダイオードスイッチ回路寿命が事実の用で有り、ダイオードスイッチ回路寿命を５０年以上に擦る為に、弱ガンマ一粒粒子入り軽水素入りダイオード回路スイッチの本考案者の世界特許権に成り得る技術に依って、日本国の官庁及び全国の大学有識者で取り決めて来た全世界の家電製品値段及び企業利益を国民投票または企業海外資産公開無で決めて来たのが事実で有るが、本考案本発明の世界特許権に成り得る弱ガンマ一粒粒子入り軽水素入りダイオード回路スイッチと通常常温電気抵抗ゼロに擦る技術に依って、電気熱に依る家電製品劣化が無くなったばかりで無く、残るダイオード回路スイッチの熱劣化を遅らせる技術に依って、電気製品の寿命が更に伸びると同時に、弱ガンマ一粒粒子入り軽水素入りダイオード回路スイッチに依って、電気製品を買う側の電気製品の故障が無く成る事で、電気製品を買い替える事が無くなる為、日本国内の電気製品は、売れなく成る為、
すかさず、日本企業側は、テレビ及び政治家を使って、デフレ及びインフレの名を借りて、企業税金の法人税の切り下げを決め指せるのだが、消費者側に対して、企業が全世界で収益した株利益の、京円額の海外株利益は、日本国民社会の仕事には、一切投資されない為、最終的には、日本電気企業全ての完全倒産事実の時代が訪れて、全世界で一番安い電気製品部品販売会社が設立に成り、修理は、日本企業では高過ぎる為に、市町村区の個人修理が繁盛擦る時代に成り、更に、海外株利益が京円額に膨らんだ日本電気企業は、本当に高金利で、日本弱者から僅かな金額に対して貯金を求めて、大きな金額の利子を支払うのかは、今後、未来は、大正時代の大日本帝国社会の日本銀行以上の日本企業銀行は、日本国の最高責任者が、日本国として、弱者国民に貯金の金利を国の一言で可能で有った郵便局を無くした現在は、海外国債が、１０００から取引出来る中国国債及びイギリス国債及びフランス国際などを、インターネットを通じて、日本政治家抜きで、海外国に呼びかける事が、日本の国が、日本トップの世界魔法の日本全額借金ゼロに擦る技術を日本国の政治トップ自らが捨てた社会を何が何でも生き抜く対策が、壊れない永久寿命に近い電気家電製品を作る為の日本弱者の為の、参考図で有り、日本電気企業の財産で無い事実説明と政治家と日本企業が見捨てた弱者国民が、日本政治家と日本企業抜きで弱者日本国民が話し合って日本国の借金が無くなって、日本国の全額借金に縛られない時代を政治家と日本企業抜きで作る事にしか成らない日本の弱者国民苛めの銀行金利を上げる事を日本政治家のトップの一言で、出来なくして仕舞った日本国に無い国営銀行で有り、壊れない電気製品の登場は、全世界の電気企業が世界販売終止符を言わなくても全ての電気製品販売がストップ擦るが、其の事を、世界インフレ及び世界デフレとは、世界の人権加盟国では、食物が無くなる事が一番重大に成るが、世界の電気商品が壊れ無くてストップした場合は、歓迎すべき出来事に成り、日本企業抜きの国の予算編成とお金の係る舗装道路を、石板の上に５センチのコンクリートを被せる施策道路に依って、都道府県市町村の道路使用税を減らす事が出来る事実など、今後は、お金の使わない係らない事業の考え方に弱者国民全てだけは、日本国の生活権事実に忠誠を誓って、お金の使い方に騙される事が無い日本国民弱者男児そして女子で有りたい。
２０１５年１１月１８日ＰＭ２２時３３分南相馬市でペンを置くカンキチ。
２０１５年１１月１９日ＰＭ１９時５２分南相馬市で書き始めるカンキチ。
【０１５１】
図５５の場合は、本考案の画像パネルを使った軽水素トリチウム電子ガス入り回路ダイオードスイッチ及び高出力ダイオードスイッチと構造が全て異なる回路スイッチに成り、スイッチ切り替えを速く擦る事に成る。
そして、通常の圧電素子パネルと異なる圧電素子パネル中央に圧力処理した電気の通り易くしたダイオードに軽水素トリチウム電子ガスと軽量圧電素子粒子入りの圧電素子磁石体中央部に対して、軽水素シリコンシート薄幕と竹灰入りプラスチックシートを貼りあわせた超薄シートを粒子状に刻んだ代替えシリコンプラスチックガラス微粒子入り圧電素子と弱アルファ微粒子軽水素入りダイオードシート糸を超薄銅箔で包んだ弱アルファ軽水素コイル配線を異なった圧電素子の上下に取りつけた構造の特殊圧電素子の参考説明図。
【０１５２】
図５６の場合は、本考案の画像パネルを使った高出力六角形状圧電素子発電回路の異なった形状構造説明に成り、ネオジム磁石シリコンに対して、中央は軽水素マグネシウム入りシリコン構造に成り、次にプルトニウムマグネシウム入りシリコンそして、通常シリコンの三層リングシリコン構造に対して、ネオジム銅合金配線を取り付けたネオジム磁石シリコンスイッチ及び高出力圧電素子を使った発電回路の参考説明図。
【０１５３】
図５７の場合は、本考案の画像パネルを使った内外冷却型２乗回転型発電六角形状レールモーターに対して、内部回転六角モーター軸構造に成り、高出力発電六角形状圧電素子連結発電回路がモーター軸側に並ぶ構造に成り、モーター軸を回転指せる為の高出力発電六角形状圧電素子連結発電回路がモーター軸の外側に複数連結した高出力六角形状圧電素子磁石体が並ぶ構造に成り、更に外側に冷却擦る為の高出力六角形状圧電素子磁石体が並ぶ構造に成る。
そして、モーター軸を連続回転させる為の複数の高出力発電六角形状圧電素子連結発電回路一つ一つに、高出力インバータと圧電素子４電子磁気分割装置が高出力発電六角形状圧電素子連結発電回路一つ一つに取り付く事によって、電気抵抗ゼロ電気連続の高出力発電六角形状圧電素子連結発電回路に少ない電気が流れても、持続した高速回転モーターが連続作動できる高出力発電六角形状圧電素子連結発電回路がモーターの参考説明図。
２０１５年１１月１９日ＰＭ２０時５３分南相馬市でペンを置くカンキチ。
２０１５年１１月２０日ＰＭ１８時２４分南相馬市で書き始めるカンキチ。
【０１５４】
図５８の場合は、本考案の画像パネルを使ったパソコン等の固体充電池の寿命後の、使用手段を説明に成り、通常電気中の熱電気のみを、圧電素子４電子磁気分割装置を使って熱電気のみを自動回収して、熱瞬間吸収発電装置の軽水素トリチウム電子ガス入り軽量圧電素子磁石体粒子入りシリコン粒子入り軽水素入りシリコンダイオードシートカバー内に軽水素窒素マグネシウム片極充電池成分構造の外部差し込み片極プラグ付と電圧調整スイッチ装置付の高出力六角形状圧電素子発電回路シートで包んだ一般家庭用の熱電気のみを回収して、熱増幅発電させた電気を高出力六角形状圧電素子発電回路シートに依って、電気増幅出来る装置の参考説明図。
【０１５５】
図５９の場合は、本考案の画像パネルを使った新技術回路は、シリコンダイオードの時間使用劣化寿命を長く擦る為の改良型のシリコンダイオード回路スイッチ素子に成り、マイクロ水銀を圧電素子磁石体粒子入りシリコンスイッチ回路の中央部にマイクロ超微粒子水銀を内蔵させて、囲む様に圧電素子磁石体粒子入りの弱アルファ放射線一粒粒子入りのシリコンシートで囲んで一番外側に圧電素子磁石体粒子入りシリコンダイオードシートで囲んだ回路スイッチ及びコイル無モーターの特殊圧電素子パネルに成り、超微量マイクロ水銀を中央に入れた圧電素子粒子入りシリコンシートを中央に一枚更に、両面にＮｏ２のアルファ線入り通常圧電素子シートと表図の様に磁石磁力線入力と磁力線放出向きを決められた回転方向のみに作動する圧電素子微粒子入りシリコン電子方向シートを貼り付けたモーター板パネルシートに成る参考説明図。
【０１５６】
図６０の場合は、本考案の画像パネルを使った新技術回路は、スイッチ回路中央に弱アルファ線一粒粒子内蔵タイプとスイッチ回路中央に弱ガンマ線一粒粒子内蔵タイプと酸素入り液体マグネシウム圧電素子磁石体タイプとスイッチ回路中央に弱ガンマ線一粒粒子内蔵タイプとスイッチ回路中央に弱ベータ線一粒粒子内蔵タイプと圧電素子磁石体のガラス粒子及びプラスチックガラス粒子に代わる超硬琥珀入りガラス粒子内蔵圧電素子磁石体及びスイッチ回路中央に弱中性子一粒粒子内蔵タイプに対して、冷却窒素ライン入り圧電素子磁石体粒子カバーを掛けた特別の圧電素子磁石体回路に成り、水銀マイクロチップを竹灰入りシリコンに入れたチップ材をステンレスシートで八方向に包んで圧縮固定した物資を銅鉄合金溶解液で囲んで冷やした個体物質を熱持続性合金に成り、熱持続性合金２重ニクロム線に成る。
この他、ガンマ線抜き弱アルファベータ窒素入り水素ガスをシリコン合成したのを弱ガンマ線抜き及び弱アルファ線抜き及び弱ベータ線抜き軽水素圧電素子磁石体粒子入りシリコンシートを電気片極貯蓄体に被せた電気貯蓄体の参考説明図。
２０１５年１１月２０日ＰＭ２１時４０分南相馬市でペンを置くカンキチ。
２０１５年１１月２１日ＰＭ１９時５１分南相馬市で書き始めるカンキチ。
【０１５７】
図６１の場合は、本考案の画像パネルを使った特殊充電池として、プラス極充電池体と丸ごと別個体充電池として、切り離したマイナス極充電池体の内部構造として、塩化窒素酸化マグネシウム方極充電池電気貯蓄体構造とした軽水素ガス主成分と別に酸素ガス主成分のプラス方極充電池とマイナス方極充電池の温度認識センサーシート回路積載の圧電素子粒子入りシリコンマグネシウム熱瞬間吸収発電シート入りのプラス方極充電池とマイナス方極充電池の簡単な構造説明に成り、再点検チェックに依るプラス極だけの窒素マグネシウム軽水素片極充電池のプラスとマイナス分離型の充電池に成り、塩化窒素酸素マグネシウム片極充電池電気貯蓄体の再チェック充電池に成り充電池交換無の計算とは劣化し易い物質がチタン酸バリウムと考えるが交換無での温度センサー内蔵型の充電池温度管理システム充電池は、空の果て宇宙へ旅立つ事に成る。
再チェック点検の為の塩化窒素酸素マグネシウムが一つの電極個体の２個組急速充電池説明に成る。
従って、構造として、圧電素子粒子入りシリコンマグネシウム窒素入り窒素入りチタン酸バリウム粒子入り圧電素子磁石体シート膜カバーと温度センサースイッチペーパー回路の他、酸素入り固形窒素内蔵合成液体マグネシウムの他、竹灰入りプラスチェックグラスファイバーカバー体アルミニウム箔カバー体に成る。
プラス充電池一つ個体と別にマイナス充電池一つ個体竹灰入り塩化プラスチックグラスファイバーカバー体に対して、圧電素子粒子入りシリコンマグネシウム充電池中央体に対して、酸素入り固形窒素内蔵液体マグネシウムに成り、アルミニウム箔カバー体と竹灰入り塩化プラスチックグラスファイバーカバー体構造のプラスとマイナスの別々の充電池個体の参考説明図。
【０１５８】
図６２の場合は、本考案の画像パネルを使った高出力発電回路の軽水素劣化防護体の構造説明として、弱ガンマ線抜き水素入り圧電素子磁石体発電回路は、弱アルファ線及び弱ベータ線に対しては、弱アルファ線微粒子と弱ガンマ線微粒子の集合体の為に、弱アルファ線水素入り圧電素子磁石体発電回路に成り、電気配線内蔵型放射線防護タイプ発電回路に成る。
この他の、鉛水入りチタン酸バリウム溶液内蔵圧電素子磁石体発電回路が有り、水銀多層圧電素子磁石体粒子入りシリコンダイオード体内蔵型圧電素子磁石体粒子構造の参考説明図。
【０１５９】
図６３の場合は、本考案の画像パネルを使った高出力六角形状発電コイル無インバータレールモーターの構造説明に成り、電気消費を現在の市販去れて要る電気家電クーラーのモーター及び換気栓モーター及び扇風機用モーター及びパソコン用モーターの高出力六角形状発電コイル無インバータレールモーターに成り、今までの四角形モーターから六角形モーターに変えた技術説明の参考説明図。
【０１６０】
図６４の場合は、本考案の画像パネルを使ったネオジム酸水つまり磁気金属溶解水液入りのダイオードパネル又はＣＣＤシリコンダイオードの構造に対してネオジム酸水つまり、ネオジム磁気水をダイオードに撹拌内蔵させた透明ネオジム磁気ダイオードパネルを使用したネオジム磁気水入りダイオードＣＣＤパネルに対してクリスタルガラス筒の鉛水入りクリスタルガラス筒の二重筒方式の超微粒子ガンマ放射線内蔵の水素磁気水と超微粒子ガンマ線放射線粒子入りＣＣＤクリスタルガラスパネル内蔵型のカメラに成る。
更に、今後、超硬アクリル内蔵鉛水入りクリスタルガラス筒装置パネル内蔵型の超微粒子ガンマ水素ネオジム磁気水内蔵型のアクリルダイオードＣＣＤパネルのアタッチメント交換カメラに対して、通常アクリルガラス筒の水素入りダイオードＣＣＤパネルに成る技術説明の参考説明図。
２０１５年１１月２１日ＰＭ２１時４９分南相馬市でペンを置くカンキチ。
２０１５年１１月２２日ＡＭ１０時１９分南相馬市で書き始めるカンキチ。
【０１６１】
図６５の場合は、本考案の画像パネルを使った合成静電イオン物質を使った増幅発電装置説明に成り、プラス静電気体物質のガラスと石英とナイロンと鉛粒子と水素を其々の超微粒子をナイロン液状に水素ガスを入れながら撹拌して固めたプラス静電体イオン物質配線と異なるマイナス静電気体物質のエボナイトとケイ素とシリコンゴムと水素を撹拌して固めたマイナス静電体イオン物質配線に成る。
更に、合成静電イオン物質を使った増幅発電装置説明に成り、プラス静電気体物質のガラスと石英とナイロンと鉛粒子と軽水素を其々の超微粒子をナイロン液状に水素ガスを入れながら撹拌して固めたプラス静電体イオン物質配線と異なるマイナス静電気体物質のエボナイトとケイ素とシリコンゴムと軽水素を撹拌して固めたマイナス静電体イオン物質配線に成る。
従って、プラス静電体イオン物質とマイナス静電体イオン物質に超高速電気抵抗ゼロ電気を流す事で、電気増幅を計る技術説明の参考説明図。
【０１６２】
図６６の場合は、本考案の画像パネルを使った細胞活性化装置のリハビリを目的とした装置の静電プラスコイル管部分説明に成り、此の場合には、絶対に其の人本人の髪の毛を使った装置に成り、若くて長い毛の冷凍保存が必要視去れる事に成る。
従って、電気抵抗無プラス電気と電気抵抗無マイナス電気に、長くて傷んで無い若い本人の髪の毛を静電防護コイル管の中に髪の毛の電気情報を電気情報として、取り出せる人のＤＮＡ情報を若い髪の毛細胞から取り出して、血液ＤＮＡ治療を行って、食欲を活発にさせるなどの、脳神経微治療を行う為のＤＮＡ電気信号治療技術説明の参考説明図。
【０１６３】
図６７の場合は、本考案の画像パネルを使ったフッ化カルシウム圧電素子磁石体粒子内蔵軽水素ネオンガス入りシリコンビニールダイオード使ったフッ化カルシウムの青色を出す為の技術とウリクラゲの発光遺伝子を淡水パール遺伝子に移植した淡水パールの青色発光を可能にした特許技術に成り、本考案の画像ライトとして、発光フッ化カルシウム圧電素子磁石体粒子内蔵軽水素ネオンガス入りシリコンビニールダイオードライト等の技術説明の参考説明図。
【０１６４】
図６８の場合は、本考案の画像パネルを使ったライトの新しい合成ガス説明に成り、アルゴンにプルトニウムガスを入れた蛍光ガスとネオンガスにプルトニウムガスを入れたプルトニウムネオン合成ガス等は、本考案の画像パネルライト等に使用去れる技術とも言える。
この他の映像回路説明として、ネオンガスの青色とリンガスと塩化プルトニウムガスをダイオードに入れたネオンリン塩化プルトニウム映像回路素子に成る。
其の他の、ネオンガスとリンガスと硝酸化プルトニウム映像回路素子などが有り、塩化系及び硝酸化系の為に、竹灰入りセラミック軽量カバーが必要視去れる。
そして、銅アルミニウム鉛電気熱溶解液に依る軽量セラミック固定に成る。
２０１５年１１月２２日ＰＭ１５時０４分南相馬市で書き始めるカンキチ。
【０１６５】
図６９の場合は、本考案の画像パネルを使ったバック構造説明に成り、牛皮及び豚皮に対して、ビニールアルコール溶液を浸して、色染めと皮切れづらく成る様にビニール溶液を形状金板で挟み込んで部分染めを行い複数回染め込んでデザイン画に対してプラチナ箔とゴールド箔入りプラスチックビニール色染めでデザイン画の最後の仕上げを行う財団の有り方説明に成る。
【０１６６】
図７０の場合は、本考案の画像パネルを使った高出力エアー電磁石モーター補助ホイストの構造説明に成り、通常の油圧六角シリンダホイスト及び、エアー六角シリンダホイスト及び菜種油六角シリンダホイスト及び、水六角シリンダホイスト等を、高出力トリプル以上電磁石圧力全自動反発作動システム採用及び高出力ホース棒状レールモーター六角ホイスト移動調整型様々な高出力トリプル以上電磁石圧力全自動反発作動システム採用モーターホイストを使用の画像パネル付全自動機械及び全自動家電の参考説明図。
【０１６７】
図７１の場合は、本考案の画像パネルを使った高圧出力コンプレッサーの略構造説明に成り、通常コンプレッサーと異なる六個以上の高出力発電六角形状圧電素子発電回路型コイル無レールモーターに依って、一度に大量のエアーを取り入れる方式のコンプレッサーに成り、一つ一つの高出力電磁誘導取り入れたモーター回転発電出来るエアー圧力を付ける為の、スクリューエアー圧力管に成り、三重充て板金属スクリュー板部分と高出力電動仕切り弁と高出力タンク内高圧力電気ホイストに依って、超高速スクリューエアー放出を可能にしたスクリューエアーバリア使用のリニアーモーター画像パネル付荷車の参考説明図。
【０１６８】
図７２の場合は、本考案の画像パネルを使った岩切機械の全自動エアー取り込み装置放射線センサー切り込み口記憶認識装置全自動位置認識作動確認チェック装置高圧力電力ホイストに対して、５連磁気圧力型つまり、五個の高出力電磁石板を並べた電磁石圧力の高出力レールモーターエアーホイストの複数の高出力電磁石板を使った電磁石反発機能とゆっくり電磁石のみの六角形状電磁石移動が出来る装置の参考説明図。
【０１６９】
図７３の場合は、本考案の画像パネルを使った別の高圧力電力ホイストは、高圧力五連以上電磁石スクリューモーター部分補助駆動装置とホイスト内の高出力五連以上電磁石連結板方式の高出力レールモーターホイストに成り、三重の電磁石モーター制御円形ホイストの参考説明図。
【０１７０】
図７４の場合は、本考案の画像パネルを使った家の放射線感知ガラス錫水ガラス板とアルミニウム水ガラス板と錫アルミニウム水ガラスとジュラルミン水ガラスとジュラルミン錫アルミニウム合金水ガラスに対して、ガイガーミューラー放射線感知ガラスは、全国及び全世界の放射線廃棄物処理ストック施設及び全国の原子力施設が、反企業全世界裁判団体テロ組織の破壊攻撃に依って、原子力放射線が空中に漂って危険地帯に成る前に、放射線感知器で放射線量を感知して、危険を逸早く確認して、この当時の室内の安全値を事前確認擦る為の放射線感知器付の放射線防護ガラスの参考説明図及び、穴空き陶器とガラス融合製品に対して、ガラスを曲げ易くる為の鉛ガラス及びレアーアース水ガラスなどの熱に敏感な金属水ガラスの参考説明図。
【０１７１】
図７５の場合は、本考案の画像パネルを使った光反射ガラス及びペイントプラスチックガラスシートに対して、複数鉛板反射板ガラス板入り通常ガラス板に対して、錫水入りガラス及びグラスファイバー板ガラス及びクリスタルガラスを貼りつけた三重合わせガラス説明に成る。
この他の、錫ガラス説明に成り、複数の錫ガラス板を斜めに成る様に全てが斜めに成って、光を屈折擦る様にした四重光反射ガラス説明に成り、今後、自動車ガラスには、金属水入りガラスの光反射ガラスが弱者国民一人一人の財団作成の電気発電持続車のガラスに使用予定のガラスの構造及び画像パネルのガラス使用にも、今後、複数の金属水ライン入りガラス及び金属水十字網ガラスシート内蔵ガラス及び六角金属水網シート入りガラス等の参考説明図。
２０１５年１１月２２日ＰＭ２１時４７分南相馬市でペンを置くカンキチ。
２０１５年１１月２６日ＡＭ５時４８分南相馬市で書き始めるカンキチ。
【０１７２】
図７６の場合は、本考案の画像パネルを使ったレアーアース水入りガラスと銅水入りガラスなどの低い温度で曲がるガラスの構造説明に成り、レアーアース銅水入りガラス銅入りガラスはガラス工芸のガラス曲げを容易に擦る為のガラス撚り熱に溶け易い金属分子をガラス物質内に入れる技術説明に成る。
曲げガラス専用ガラス説明はレアーアース水を入れたガラス説明は、低い温度でも曲がるガラス説明に成り、銀とレアーアースを混ぜた合金ガラス工芸の参考説明図。
【０１７３】
図７７の場合は、本考案の画像パネルを使った光反射用の二枚合わせガラスの中にアクリルシートを入れた部分光透過ガラスの構造説明で有り、床ガラス使用用途とは、地下水槽を見る為の床ガラスに成り、天井に付けるガラス板には落下性の危険が伴う為に、無理に近い答えを著者は選ぶ事に擦る。
そして、水槽を見る為のライトガラスは水槽を照らす為の装置のガラス板に成る。
更に、光反射用２枚合わせガラスの中にアクリルシートを入れた光透過ガラス説明に成る。
床用ガラスとして、デザイン平板ビニールゴムを床用のクリスタルガラスの填め込み式部分部分が見えるガラスで有り、二枚合わせクリスタルガラスの間に透明ビニールゴムが入って要る二枚合わせクリスタルガラスの参考説明図。
２０１５年１１月２６日ＡＭ９時２７分南相馬市で書き始めるカンキチ。
【０１７４】
図７８の場合は、本考案の画像パネルを使った放射能線を全自動観測出来る高出力山岳電気ヘリコプターの放射能観測用のガイガーミューラー放射線感知ガラスの構造説明に成り、通常のガイガーミューラー放射線感知ガラスと異なる構造の通常ガラスからアクリルプラスチックビニール管に変えて、通常の銅物質から更に電気が流れ易いレアーアース鉛銅合金物質に変え、更に、通常銅コイル管から、高出力筒管コイル配線管に変えたガイガーミューラー放射線感知装置に成り、アクリルプラスチックビニール管を通常ガラスに戻す事で、放射線電気反応の速い放射能線を全自動観測出来る高出力山岳電気ヘリコプターの放射能観測用のガイガーミューラー放射線感知ガラスの構造説明参考説明図。
【０１７５】
図７９の場合は、本考案の画像パネルを使ったテレビカメラの画像電波の送信の有り方の構造説明に成り、ノーマル画像を写す時点で被写体を被写体画像毎にノーマル画像ＣＣＤ画像分割処理に対して被写体画像ＣＣＤ符号を其々行いノーマル信号の前後に受信加速ノーマル波の区別信号波を取り付ける事で、受信波が送信スピードデーターベース回路を通る事が出来る様に擦る事で、複数のデーター画像の全自動化の画像放送用全自動組立が出来るシステムに成り、例えば、海底の宝探し画像に対して、全自動水中ロボットの水中全自動探索画像を、短い時間の宝物発見時間を全自動短縮出来るシステムに成る。
従って、デジタル画像の被写体其々に対して、ノーマル画像のデーターを被写体別々に擦る様にデジタル画像の被写体画像の前後に符号を取り付けて区別擦る事で、被写体画像別の編集スピードを速く擦る手段の説明参考説明図。
【０１７６】
図８０の場合は、本考案の画像パネルを使った超微粒子アルファ放射線粒の構造説明に成り、超微粒子アルファ放射線をアルミニウム水及び錫水及び銅水及び鉄水の酸化鉄水及び硝酸鉄水と超微粒子アルファ線をガラスの溶解時に撹拌合成したニクロム筒管の中に多金属アルファ放射線ガラス入りニクロム筒配線の一気に冷めづらいニクロム筒管のガラス多金属アルファ放射線ガラス説明に成る。
この他の、超微粒子アルファ放射線粒説明に成り、ニクロム電熱線の超微粒子アルファ放射線利用説明として、竹灰入りセラミック材にベータ放射線を更に、熱を掛けて超遠心分離機に依って、弱アルファ線と弱ガンマ―線に分ける事に依って、放射線放出量の少ない弱アルファ放射線と放射線量の少ない弱ガンマ放射線をおそらく世界初の新しい考え方に成り、医療分野のガンマ放射線治療に対して、アルファ線の全く入って無い弱ガンマ放射線治療を可能にした技術に成る。
其の外の、熱増幅に使用擦るアルファ放射線の超微粒子弱アルファ放射線を竹灰入りセラミック混合材の中に弱放射線の超微粒子アルファ放射線入り軽量セラミック粒子を作り、電熱筒ニクロム線の中に超微粒子アルファ放射線入り軽量セラミック粒子配線を入れたニクロム筒配線とした技術説明に成り、電熱筒ニクロム線の中に超微粒子アルファ放射線入り軽量セラミック粒子配線に対して、鉛アルミニウム合金を被せた配線をニクロム筒管の中に入れた三重ニクロム配線を構造とした電熱線の構造説明参考説明図。
【０１７７】
図８１の場合は、本考案の画像パネルを使った改良型高出力圧電素子磁石体の構造説明に成り、竹灰入りアクリル樹脂粒子は、圧電素子の黒雲母石粒子の代替え物質に成り、チタン酸バリウム使用の竹灰入りアクリル樹脂粒子を使った構造の異なった圧電素子に成り、軽水素ガス入り圧電素子及び水素ガス入り圧電素子に成る軽量圧電素子及び超軽量高出力圧電素子の構造説明参考説明図。
【０１７８】
図８２の場合は、本考案の画像パネルを使った電気自動車の電気速度を速く擦る為の構造説明に成り、最新式の電気自動車コイル無７乗インバータレールモーターと電気自動車専用の底鋼鉄板に対して、ヘアピン型電気スピードアップ配線を鋼鉄底板にアルミニウム絶縁コーテイング及び竹灰入りアルミニウム絶縁コーテイングを行った場所にヘアピン型電気スピードアップ配線を置いて竹灰入りアルミニウムコーテイングを掛けてから竹灰入り塩化ビニール材で絶縁コーテイングした電気自動車の底板構造に成る。
高出力水発電機などの発電した電気に対して超高速電波型山岳ヘリコプターを使った電波送受信電気回路の電気打撃高出力六角形状連結圧電素子発電回路の電波電気打撃発電に依って、電磁波計測装置用の電気確保の山岳ヘリコプターの電磁場計測装置の電気と増幅電気確保の説明に成る。
この他の、電気自動車のスピードコントロール室とは、電気スピードを電気加速スクリュー配管銅ペーパー筒コイル管の中にアンモニア窒素ビニール配線にシリコンシートカバーを掛けた配線に銅箔を巻いたスクリュー配線に成る。
そして、コイル無７乗インバータレールモーター装置へ電気スピードの電圧分割高速電気送電システムの電気配線の構造説明参考説明図。                              
【０１７９】
図８３の場合は、本考案の画像パネルを使った家電製品の増幅発電パネルの構造説明として、全自動人型軽量ロボットは、特に発電機の軽量化と小型化を一度に極めなければ、成らない為に、家電発電パネルとロボット家電発電パネルには、高出力発電六角形状連結圧電素子発電回路パネルの積載が第一条件に成り、圧電素子４電子磁気分割装置が同じく絶対必要視去れる熱抵抗電気の処理と電気熱処理を行わないと電気熱加熱故障に成り易い為に注意が必要に成る。
其の外の、高速電波打撃に依る高出力発電六角形状連結圧電素子発電回路パネル内蔵型家電パネル及び携帯電話の高出力発電六角形状連結圧電素子発電回路パネルの構造説明参考説明図。
２０１５年１１月２６日ＰＭ１４時３６分南相馬市で書き始めるカンキチ
【０１８０】
図８４の場合は、本考案の画像パネルを使った高出力発電六角形状圧電素子連結型発電回路と高出力発電六角形状連結コイル無レールモーターの構造説明に成り、最初の発電回路は、特開２０１２―０５６５５８号のパワーアップハイブリッド車に書かれた四角形状の軽水素トリチウム電子ガス入り圧電素子磁石体粒子体を使ったプラス電気打撃のプラス発電回路と四角形状の軽水素トリチウム電子ガス入り圧電素子磁石体粒子体を使ったマイナス電気打撃のマイナス発電回路で有ったが、最新式の増幅電気型の発電回路は、六角形状の軽水素トリチウム電子ガス入り圧電素子磁石体粒子体を使ったプラス電気打撃のプラス発電回路と六角形状の軽水素トリチウム電子ガス入り圧電素子磁石体粒子体を使ったマイナス電気打撃のマイナス発電回路に成り、どちらも複数連結型のカバーパネル内側に貼りつけるスタイルのプラス電気打撃型発電回路とマイナス電気打撃型発電回路に成る構造説明参考説明図。
【０１８１】
図８５の場合は、本考案の画像パネルを使った軽水素ガス及び薄荷入りビタミンＡ多層六角錠及び軽水素ガス及び薄荷入りビタミンＢ多層六角錠及び軽水素ガス及び薄荷入りビタミンＣ多層六角錠及び軽水素ガス及び薄荷入りビタミンＤ多層六角錠及び軽水素ガス及び薄荷入りビタミンＥ多層六角錠の品種改良の薬剤の構造説明参考説明図。
【０１８２】
図８６の場合は、本考案の画像パネルを使った竹灰入りグラスファイバーパネル型Ｗ固定ハウスの構造説明に成り、家を吊って、家の移動及び建て替えが出来る家構造と全ての柱を木材ではさみ込んでボルト止め擦る構造と竹合板柱同志を挟み込んでボルト止め及びボルト金具止め擦る方式に成る構造説明参考説明図。
【０１８３】
図８７の場合は、本考案の画像パネルを使った弱ガンマ放射線粒水の薬草の品種改良の有り方説明の構造説明として、弱ガンマ放射線水は、弱ガンマ線入りシリコンシートを内蔵したパネルと弱ガンマ放射線防護用の鉛水入り塩化プラスチックグラスファイバーパネル防護体内に温度調整育成装置として、三重ニクロム線使用の薬草改良植物の育成温度調整装置に成る二重発光軽水素入りアルゴンフッ化カルシウムパネルライトに成る薬草改良植物育成装置の構造説明参考説明図。
【０１８４】
図８８の場合は、本考案の画像パネルを使った代替え石炭軽量竹灰入りセラミック溶鉱炉の構造説明に成り、代替え石炭の有り方として、乾燥竹チップ材と菜種油とグラスファイバー溶液とプルトニウム水素の混合材を固めた部材説明に成る。
この他は、乾燥竹の潰し材を切った素材と菜種油とグラスフアィバー溶液と水素と軽水素の混合の合成代替え材の説明に成る。
其の外の、乾燥竹潰しチップ材と菜種油をグラスファイバー溶液で撹拌して固めた代替え石炭に成り、固定材として、澱粉糊剤を入れて撹拌して固めた竹材説明に成る。
【０１８５】
図８９の場合は、本考案の画像パネルを使った代替え石炭軽量竹灰入りセラミック溶鉱炉の構造説明に成り、代替え石炭の有り方として、乾燥竹チップ材と菜種油とグラスファイバー溶液とプルトニウム水素の混合材を固めた部材説明に成る。
この他は、乾燥竹の潰し材を切った素材と菜種油とグラスフアィバー溶液と水素と軽水素の混合の合成代替え材の説明に成る。
其の外の、乾燥竹潰しチップ材と菜種油をグラスファイバー溶液で撹拌して固めた代替え石炭に成り、固定材として、澱粉糊剤を入れて撹拌して固めた竹材説明に成る。
【０１８６】
図９１の場合は、本考案の画像パネルを使った電気製品の熱を上げないパソコンデザインの構造説明の構造説明として、パソコンの横と縦からのＷ送風の風が逃げ易い構造の付け足しパソコン足材を取りける構造にした説明参考説明図。
【０１８７】
図９１の場合は、本考案の画像パネルを使った避雷針の構造説明に成り、バランス重心が下に来るデザイン重視と雷を引き付け易い構造に成る軽量絶縁体を使った避雷針の構造説明参考図。
【０１８８】
図９２の場合は、本考案の画像パネルを使ったロボット家電の骨組みの構造説明に成り、家畜の豚の乾燥粉骨材と家畜の牛の乾燥骨材を粉にした物質をビニールプラスチック溶剤で固めた人型ロボットの骨組説明に成り、カバー材として、竹灰入りプラスチックビニールと竹灰入りゴム繊維網入り樹脂シート等に高出力銅筒管配線を入れたロボット家電の骨組説明に成る構造説明参考図。
【０１８９】
図９３の場合は、本考案の画像パネルを使った磁力線増幅電気説明の構造説明と軽水素入り水素エンジンに於いて、磁力線増幅電気説明として、高出力軽量圧電素子磁石体磁力線増幅加速装置は、プラス磁力線増幅電気説明の高出力軽量圧電素子プラス磁石体磁力線増幅加速装置と高出力軽量圧電素子磁石体磁力線増幅加速装置は、マイナス磁力線増幅電気説明の高出力軽量圧電素子マイナス磁石体磁力線増幅加速装置と成り、特徴として、複数連結圧電素子と軽水素タンクが複数有る構造と複数の高出力銅筒管コイル巻きに成り、宇宙空間を現在のロケットエンジンの水素エンジンから水素軽水素混合酸素発火エンジンに成り、
推進力が今まで以上の装置と宇宙空間キャッチ体技術の宇宙空間のロケットエンジンの構造説明参考図。
【０１９０】
図９４の場合は、本考案の画像パネルを使った多層三重構造のカラー回路チップの構造説明に成り、一つ目として、ネオン入りダイオードに対して、軽水素フッ化カルシウム入りダイオードを被せて、更に、アルミニウムガリウムリンダイオードを被せて、最後に竹灰入りダイオードを被せた青色ダイオード多層三重構造カラー回路チップ説明に成る。
次に、ネオン入り軽水素入りダイオードの青色素子回路に対して、軽水素入りフッ化カルシウム及び水素入りフッカ青色乾燥クラゲ微粒子カルシウムダイオードを被せて、最後にセレン化亜鉛ダイオードを被せて、最後に竹灰入りダイオードを被せた青色ダイオード多層三重構造カラー回路チップ説明に成る。
もう一つの回路として、ネオンガスと水素ガス入りダイオードに対して、水素入りフッ化カルシウムダイオードに対して、ガリウムヒ素リン入りダイオードを被せて、最後に竹灰入りダイオードを被せた青色ダイオード多層三重構造カラー回路チップ説明に成る。  
【０１９１】
図９５の場合は、本考案の画像パネルを使った電気熱注油グリス方式の構造説明に成り、硬い窒素入り動物脂肪廃棄油の硬化グリスを電気熱で温めて、注入する方式に成り、人型ロボットのモーター軸給油作業に使用擦る事に成る。
二重発光ライトは、ネオンプルトニウム軽水素入りグラスファイバーライトとアルゴンガス入りグラスファイバーライトの二重重ね発光ガスライト等の構造説明参考図。
【０１９２】
図９６の場合は、本考案の画像パネルを使った発光透過光ガラスと複数カラー光ライン装置の色ガラスの構造説明として、機械等の全自動装置のカラー光ライト装置の複数カラー光ライン部分の色を特定擦るガラス板を軽水素フッ化カルシウム発光カラー色ガラス板とライトの玉を、高出力アルゴンフッ化カルシウム軽水素入りグラスファイバー二重発光ライトに使用に依って、複数カラー光ライン束装置の部品は、全て特許部品に成り、カメラ自体も全て、魚眼楕円突合わせレンズ等の特殊レンズ及び高出力軽水素ガス入りＣＣＤダイオードパネル等の全自動カメラ装置の部品に成り、回路は二重にした回路の鉛アルミニウム回路配線に対して、軽水素入り圧電素子回路配線を取り付けた二重に回路配線溝に二種類の回路配線を敷き詰めた最新式の超高速回路配線に成る全自動装置の特許部品の略説明に成る。
其の外の、発光透過ガラス説明として、赤色発光透過光ガラスは、軽水素入りフッ化カルシウムアルミニウムガリウムヒ素プラスチックシート又は、アクリルシート赤色発光ガラス説明に成る。
この他の、発光透過ガラス説明として、黄色発光透過光ガラスは、軽水素入りフッ化カルシウムガリウムヒ素リンプラスチックシート黄色発光ガラス説明に成る。
そして、発光透過ガラス説明として、青色発光透過光ガラスは、軽水素入りフッ化カルシウムセレン化亜鉛リンプラスチックシート青色発光ガラス説明に成る特許部品の略説明に成る。
【０１９３】
図９８の場合は、本考案の画像パネルを使った月に金属が有った場合に出来る月の人工太陽望遠ライト装置の構造説明として、高出力マイナス低周波スクリュー回転リングと高出力プラス高周波スクリュー回転リング内は、アルゴン軽水素入りフッ化カルシウムライトの略構造説明に成る。
プラスニュートリの軽水素電子とマイナスニュートリの軽水素電子加速ライトは、プラスニュートリの軽水素加速器とマイナスニュートリの軽水素加速器と設定温度軽水素燃焼前プラスイオンと設定温度軽水素燃焼前マイナスイオンを使った雪と氷を解かす機械の略構造説明参考図。
【０１９４】
図９８の場合は、本考案の画像パネルを使った電気スパーク熱暖房装置の構造説明として、通常電気のプラス放電装置とマイナス放電装置のスパーク放電熱を軽水素圧電素子磁石体粒子入り、シリコンダイオード熱瞬間吸収発電パネルに依って、熱貯蓄増幅して、外気取り込みに依って、熱風を外気取り込みと同時に外気取り込み温度を上げる事に依って、熱送風装置とした電気スパーク熱発電装置と中間陽電子中間陰電子スパーク電子熱風Ｗ発電送風装置の略構造説明参考図。
【０１９５】
図９９の場合は、本考案の画像パネルを使った真空装置又は高出力真空装置を使った熱風装置の構造説明として、冷暖房クーラーは、真空装置加湿機ストーブ他の機械の加湿機温風装置として、使用積載に成り、冷暖房空気清浄加湿機に成る。
そして、高出力真空装置又は、高出力真空装置を使った熱風装置説明に成る。
従って、水に対して真空装置を使って、気化擦る場合では、水は、液体から気体変化擦る場合に熱を発生指せる為に、其の気化熱を、別の固形フロンなどの温度調整を行った暖房装置の温風装置とした温風システムに成り、真空装置の水気化の度合いを調整した水が気化擦る気化熱風の最初の時間熱を取り入れて加湿温風に擦る別の温風技術説明参考図。
【０１９６】
図１００の場合は、本考案の画像パネルを使った風呂浴槽の全自動掃除機の構造説明として、風呂の浴槽の全自動掃除機は、水中全自動掃除出来る前後移動スクリュー水掃除装置と上下移動スクリュー装置に依って、浴槽内を天井弱ガンマ放射線飛散防止パネル付カメラに依って、泡だらけな浴槽内の全自動水中掃除機装置に天井弱ガンマ放射線飛散防止パネル付カメラに依って、水中掃除機の位置と作業場所を事前にスクリュー無線波で水中掃除機へ連絡出来る装置に成る。
従って、風呂浴槽の全自動掃除機の構造説明に成り、高出力発電六角形状連結型発電回路内蔵型コイル無レールモーター及び弱ガンマ放射線飛散防止パネル付カメラと竹灰入りプラスチック繊維多層式網パネル回転掃除装置及び振動掃除装置部分に対して、前後走行スクリューモーターと移動アンテナと浮上下降用スクリューモーターとプラス充電池とマイナス充電池と内蔵部屋地図方位方向認識装置と前後走行スクリューモーターと風呂浴槽内位置地図連絡送受信装置と天井弱ガンマ放射線飛散防止パネルカメラを使った風呂浴槽の全自動掃除機の略構造説明参考図。
【０１９７】
図１０１の場合は、本考案の画像パネルを使った軽水素マグネシウム水貯蓄充電池の構造説明に成り、高出力六角形状連絡発電回路パネル電気増幅発電体が有る為、高出力六角形状連結発電回路を作動指せて電気打撃発電増幅電気を得る為に、起動電気貯蓄体として、軽水素マグネシウム水電気貯蓄体として、交換不要事実が発生した場合は、電池を安く擦る感変え方と擦る方針に成る。
従って、軽水素マグネシウム水貯蓄充電池説明として、プラス軽水素マグネシウム水貯蓄充電池とマイナス軽水素マグネシウム水貯蓄充電池が必要視去れる。
構造として、軽水素マグネシウム水をプラス充電池水とマイナス充電池水の二つの個体を用意して、軽水素マグネシウム水カバーとして、最初に発砲スチロールパネルを取り付け、次に竹灰入りゴムカバーを取り付け、次に、竹灰入り樹脂の三重構造に対して、軽水素圧電素子磁石体粒子入りシリコン熱吸収発電電気循環パネルとステンレスパネル内蔵型竹灰入りプラスチック防護パネル構造の軽水素マグネシウム水貯蓄充電池の略構造説明参考図。
２０１５年１１月２６日ＰＭ２２時００分南相馬市でペンを置くカンキチ。
２０１５年１１月２７日ＡＭ９時３３分南相馬市で書き始めるカンキチ。
【０１９８】
図１０２の場合は、本考案の画像パネルを使った外型洗濯装置の構造説明に成り、四枚から六枚から八枚の複数穴あき選択回転板の複数穴あき部分からの回転水で洗う洗濯機で有り、洗濯物固定スプリング挟み構造装置付の高出力電動モーター仕切り弁の洗濯物取り出し口付の高出力発電六角形状連結発電回路型コイル無レールモーター洗濯物出し入れ口と複数蒸気噴射口装置と水量確認窓付の本考案の画像パネル付の高出力４連振り子型機械式発電機積載型の洗濯機の略構造説明参考図。
【０１９９】
図１０３の場合は、本考案の画像パネルを使った軽水素入りフッ化カルシウム発光パネルライトの構造説明に成り、軽水素ガス入りフッ化カルシウムリン発光物質入りパネルライトと軽水素ガス入りフッ化カルシウムガリウムリン発光物質入りパネルライトとライトスイッチの付いた平板ライトの略構造説明参考図。
【０２００】
図１０４の場合は、本考案の画像パネルを使った二重発光ライトの構造説明に成り、内側を軽水素ガス入りフッ化カルシウムリン発光物質入りパネルライトに対してアルゴンガス入りの二重カバーライトに成り、別に、アルゴンガス入りグラスファイバーライトに軽水素ガス入りフッ化カルシウムリン発光物質入りパネルカバーライトの少ない電気で光るアルゴンガスライトの光を吸収して、発光擦る軽水素ガス入りフッ化カルシウムリン発光物質入りパネルカバーライト電球ライト説明と低速回転文字表示立体ライトの略構造説明参考図。
【０２０１】
図１０５の場合は、本考案の画像パネルを使ったロボット天井マイクの構造説明に成り、床格納型レールモーターマイクと各席マイクに成り、画像パネル付マイクが特徴に成る。
従って、ロボット天井マイクでは、公会堂及び大型体育管ステージ客席にマイクを素早く手渡すロボット家電のワイヤ電動モーター移動型のマイク全自動手渡し装置に成り、ワイヤレスマイクのスイッチをリモコンに対して、全自動で切れる機能とワイヤレス音声の天井電波受信装置へ全自動送信擦る為のマイク位置と電波を送信擦る方向を全自動認識出来る電波送受信方向決定全自動モーター位置認識装置マイクに成り、マイクスタジオノイズを防ぐマイクの略構造説明参考図。
【０２０２】
図１０６の場合は、本考案の画像パネルを使った冬用の電熱型ネックレス及びブレスレットの発光真珠の構造説明に成り、冬用の熱吸収及び体温を瞬間に吸収出来る軽水素入り圧電素子磁石体粒子入りシリコン構造の高出力六角形状連結発電回路に依って、増幅発電して、３０度等の温度設定に依って、電気が全自動で切れる方式の軽水素トリチウム電子ガス入りダイオードスイッチ及び金属熱感知型スイッチ等を使った冬用の電熱型ネックレス及びブレスレットの発光真珠の構造説明参考図。
【０２０３】
図１０７の場合は、本考案の画像パネルを使った未来的別世界下着シミーズ其の他の構造説明に成り、部品装置に、赤またはピンク発光物質入りナイロンシート及び冷却窒素入りテトロン糸装置と発光真珠ボタンと熱瞬間吸収発電電気貯蓄糸と発光淡水パールと等の部品を使った透明テトロン糸及び透明ナイロン糸を使った未来的別世界下着シミーズ其の他の構造説明参考図。
【０２０４】
図１０８の場合は、本考案の画像パネルを使った異なったコンデンサーの構造説明に成り、通常銅コイル配線と高出力銅筒管コイル配線の二種類の電気コイル配線を一本のコイル配線として、使用した高出力銅筒管コイル配線と軽水素入り圧電素子磁石体粒子シートと複数針穴空きステンレスシートと軽水素トリチウム電子ガス入り圧電素子磁石体粒子入りシリコン発電シートを組み合わせたコンデンサー本体の土台に対して、通常銅コイル配線と高出力銅筒管コイル配線の二種類の電気コイル配線を一本のコイル配線として、使用した熱たまりコイル配線と電気の流れの速いコイル配線を併用した異なったコンデンサーの構造説明参考図。
【０２０５】
図１０９の場合は、本考案の画像パネルを使った全自動ロボットカラーライトラインキャッチ位置認識装置の構造説明に成り、ロボット家電の給排水管の全自動取り付けスピードを上げる為のシステム改良説明に成り、全自動ロボットカラーライトラインキャッチ位置認識装置として、大型高出力ＣＣＤパネルに対して、高出力ＣＣＤキャッチ体位置の全自動認識位置を全自動設定位置以外のＣＣＤ枠枡部分以外のカラーライトライン光をエラー全自動認識出来る高出力ＣＣＤキャッチ体枠枡が一つの他は、通常ダイオードＣＣＤキャッチ体のカラー光ライン位置の正確な位置把握擦る為の装置の構造説明参考図。
【０２０６】
図１１０の場合は、本考案の画像パネルを使ったカラー光ライン装置の違うタイプの構造説明として、発光ライトの場合に対して、軽水素トリチウム電子ガス入りフッ化カルシウムアルゴン窒素グラスファイバー発光ライトパネルに成り、赤色調整の場合は、アルミニウムガリウムヒ素調整に成り、青色の場合は、軽水素トリチウム電子ガス入りフッ化カルシウムセレン亜鉛リンの調整をして、アルゴングラスファイバーの青色発光ライトにして入る青色ライト説明に成り、黄色発光ライトの場合は、軽水素トリチウム電子ガス入りフッ化カルシウムリンガリウムの量調整を行ったアルゴン窒素入りグラスファイバーライト説明に成り、カラー光ラインの三色同時発射装置としての説明として、赤ライトをアルミニウムガリウムヒ素入りガラスに電気を通して、発光させた収束光と青色のフッ化カルシウムリン酸化銅入りガラスに電気を通した収束光ライトと黄色のガリウムヒ素リン入りガラスに電気を通した黄色発光ガラスに成り、其々に対して、軽水素トリチウム電子ガス入りフッ化カルシウム入り青物質発光ライトと赤物質発光ライトと黄色物質発光ライトに成り、圧電素子磁石体粒子網内蔵及びシート内蔵ガラスにした発光カラー色ライトの収束光ライトの構造説明参考図。
【０２０７】
図１１１の場合は、本考案の画像パネルを使った電熱線ガラスの車ガラスに於いて、アルゴンガスラインガラスに電気を通して冷気を融かす装置の構造説明に成り、電熱線ガラス付の車のガラス説明に成り、アルゴンガスライン入りガラスに電気を通して、冷気及び氷を取り除く手段に成り、この他の、スクリュー熱風で強制的に氷を解かす技術システムと車の電熱線ガラスに対して、弱アルファパネル内蔵型の温度感知カメラに依って、日本製レアーアース水ラインガラス入り自動車ガラス及び日本製レアーアース錫合金電熱線ガラスライン入り自動車ガラス及びアルミニウム錫水入りガラスラインガラス入り自動車ガラスの他に、自動車ガラスの半分上に弱ガンマ線入り錫水入りガラスと半分下に弱アルファ線入りアルミニウム水入りガラスの二枚上下に合わせた軽水素入りアクリルシートを入れたガラスとクッションガラスの二枚合わせの電熱線自動車ガラスの構造説明参考図。
【０２０８】
図１１２の場合は、本考案の画像パネルを使ったコンプレッサーの音消し装置の構造説明に成り、通常コンプレッサーと異なる雨及び風及び雪及び若干な温度を入れない為のスクリューエアーカーテンに使用擦るコンプレッサー説明に成り、スクリューエアー掃除機のスクリューエアーでゴミを飛ばす方式の玄関の床及び風呂の床の掃除の有り方と温水スクリューエアー掃除機は、最後にスクリューエアーで水分を飛ばすシステムの掃除機説明に成る。
従って、コンプレッサーの音消し構造装置説明として、風取り込み風車を数個と高出力電動仕切り弁数個とエアーの吸排出用高出力発電六角形状連結発電回路型レールモーターと曲円型エアータンクの構造説明参考図。
【０２０９】
図１１３の場合は、本考案の画像パネルを使った軽水素トリチウム電子ガス入りフッ化カルシウムリン発光物質とプラスチックシリコンビニール接着型溶液の説明の構造説明に成り、全自動自動車及び機械の走行スピードを相手側のカメラが全自動認識出来る装置説明として掲げ、軽水素トリチウム電子ガス入りフッ化カルシウムリン発光プラスチックシリコンビニール接着即効型カメラ被写体形状ライン認識用溶液材に成り、この他の、切抜き文字絵等のシートに依って、発光画タイプのカメラ被写体形状認識に使用出来る画形状を特定擦る為の補助軽水素トリチウム電子ガス入りフッ化カルシウムリン発光プラスチックシリコンビニール接着即効型カメラ被写体形状ライン認識用装置の構造説明参考図。
【０２１０】
図１１４の場合は、本考案の画像パネルを使ったロボット家電の四種類電波の構造説明に成り、ロボット家電の四種類電波使用説明は、ロボット家電位置の誤作動を避ける観点から採用去れる理由に成る。
従って、全自動自動車の四種類電波のトーン波長の長さ等を四種類にした機番信号波を取り入れた電気自動車等の四角の位置確認と電気自動車の前後左右から発射去れる直進スクリュー波位置と山岳ヘリコプター地図位置とカラーライトライン光のカメラ白線位置及び道路ライン位置の全自動確認と他の車からの現在地の車の位置の再確認チェックシステムと道路カメラ画像照合位置システムに依って、全自動の誤作動を防ぐシステムと仕手要る全自動電気自動車走行システムの概略説明に成る。
次に、通常ブロック波の改良型のロボット家電位置用四種類の別のブロック波として、階段型ブロック波と階段型ノコギリ波と階段型無線波と階段型パターン信号波の四種類の別々の位置認識スクリュー波説明に成る装置の構造説明参考図。
【０２１１】
図１１５の場合は、本考案の画像パネルを使った全自動ロボット家電の位置出し説明と全自動トラクターの位置出し装置の構造説明に成り、全自動ロボット家電四隅の位置確認電波発射送受信装置と電気自動車の四角の位置確認電波発射送受信装置と室内天井二箇所の天井ロボット家電位置全自動認識送受信装置及び電気自動車の全自動に対して、二台の人工衛星に依る電気自動車の四角の位置全自動認識送受信装置及び二台以上の山岳ヘリコプターの電気自動車の全自動に対して、二台の人工衛星に依る電気自動車の四角の位置全自動認識送受信装置に成り、電気自動車及び電気トラクター等から発射される送受信ＧＰＳ波は、本来の一つから四種類の距離位置を正確に計測擦る事で、電気自動車の全自動走行の誤差を無くす効果を期待擦る世界技術説明に成る装置の構造説明参考図。
【０２１２】
図１１６の場合は、本考案の画像パネルを使った全自動ロボット家電給水口の構造説明に成り、高出力銅筒管コイル内蔵型電磁石スイッチ二重接合モーター管ロック装置とロボット家電側ロボット室内配管地図内蔵全自動強化スプリングゴム弁とカラーライトライン光の管位置特定装置と管口が若干小さく成って要る構造の管取り付けセットが上手く出来る構造説明に成る装置の構造説明参考図。
【０２１３】
図１１７の場合は、本考案の画像パネルを使った異なった高出力発電回路の構造説明に成り、高出力発電六角形状連結型発電回路は、高出力圧電素子と言う軽水素トリチウム電子ガス入り圧電素子磁石体の電気圧力増幅発電に対して、１００パーセント機能を最大限に生かした発電回路の電気増幅装置説明に成り、異なった発電回路装置の構造説明に対して、圧電素子４電子磁気分割装置として、複数の高出力発電六角形状圧電素子連結型発電回路内蔵型の圧電素子４電子磁気分割装置の構造説明参考図。
【０２１４】
図１１８の場合は、本考案の画像パネルを使ったエイズ等の薬の有り方の構造説明に成り、エイズ感染血液に対して、マイナス静電と弱ガンマ放射線飛散防止パネルとガンマ線のエイズ血液抵抗と血液のエイズ中和薬使用のマイナス静電と弱ガンマ放射線変化を求めた手段に成り、別のプラス静電弱ガンマ放射線治療血液との比較治療を求めた手段に成る。
薬の薬草に対して、プラス静電ガンマ放射線飛散防止パネル使用の静電リング放射線装置とガンマ放射線に依る薬草植物の変化と新エイズ薬草を作る為の新しい放射線技術を使った薬草の品種改良装置の構造説明参考図。
【０２１５】
図１１９の場合は、本考案の画像パネルを使った半自動ペンキ塗り装置の構造説明に成り、ペンキ缶からペンキ吸引モーターを使ったスッポンジのペンキ塗り装置に成り、使用分だけ、ボタンでペンキを吸引放出指せて、突起スッポンジで塗る方法を説明した装置の構造説明参考図。
【０２１６】
図１２０の場合は、本考案の画像パネルを使ったペンキ塗り装置の構造説明に成り、別のペンキ缶からペンキ吸引モーターを使ったスッポンジのペンキ塗り装置に成り、使用分だけ、ボタンでペンキを吸引放出指せて、突起スッポンジで塗る方法を説明した装置の構造説明参考図。
【０２１７】
図１２１の場合は、本考案の画像パネルを使った光電気Ｗ送電型スイッチとペーパーライト型スイッチの構造説明に成り、リン入りダイオードスイッチと連なるアルファ線入りリンダイオードの中間に軽水素入りフッ化カルシウムリン入りダイオードシートを挟み込んだスイッチ及び酸化鉄水入り圧電素子磁石体粒子入りダイオードスイッチの構造説明参考図。
【０２１８】
図１２２の場合は、本考案の画像パネルを使った放射線スイッチ回路の有り方の構造説明に成り、放射線シートの有り方として、アルファ放射線の熱吸収放射線に対して、超微粒子アルファ放射線を作る為に、ベータ放射線に対して、熱を掛けながら高速遠心分離機によって、超微粒子アルファ放射線と超微粒子ガンマ放射線を作って、超微粒子アルファ放射線入りダイオード系スイッチと超微粒子ガンマ放射線ダイオード系スイッチを作る。
次に、弱アルファ放射線入りダイオードシートスイッチと弱アルファ放射線リング入りダイオードシートスイッチを交互に合わせた弱アルファ微粒子線入りダイオードスイッチの水素入り及び軽水素入りが今後の世界最先端ダイオード回路スイッチのトップ技術説明に成る装置の構造説明参考図。
【０２１９】
図１２３の場合は、本考案の画像パネルを使った男性用穴あきパンツの構造説明に成り、夏用として、塩化固形窒素入りナイロン糸及び塩化固形窒素入りテトロン糸の世界冷却糸技術説明に成り塩化固形窒素入りナイロン粒子糸にナイロンシートを被せる固形窒素糸技術説明に成る。
この他、穴あきデザインを透明ナイロン糸と透明テトロン糸を使った穴開きデザイン男性用パンティの構造説明参考図。
【０２２０】
図１２４の場合は、本考案の画像パネルを使った電気鍋の外側三重構造装置の構造説明に成り、電気鍋は内側にステンレス板次に銅板として、次に銅アルミニウムの三重金属構造鍋に対して、外周は、竹灰入りセラミックカバー付の四層構造の電気鍋に成り、竹灰入り塩化窒素プラスチックカバーと高出力発電六角形状圧電素子連結型発電回路カバーと竹灰入り塩化プラスチック窒素グラスファイバーカバーの少ない電気で、鍋調理出来る構造説明参考図。
別途追加技術説明の全自動人型ロボットの軽量化に伴う部分説明に成る。
従って、全自動人型ロボットの手の表皮部分は、軽く擦る為に、竹灰入り軽水素圧電素子粒子内蔵シリコンダイオードシートと竹灰入り軽水素圧電素子粒子内蔵シリコンビニールゴムシートと竹灰入り軽水素圧電素子粒子内蔵石灰ビニールゴムシートは手の平の物質構成に成る。
この他の、足等は、竹灰入りシリコンゴムの多層重ねシート構造に成り、間接部分は竹灰入りシリコン生ゴムシートが使用去れる構造に成る装置の構造説明参考図。
【０２２１】
図１２５の場合は、本考案の画像パネルを使った全自動ロボットの高出力モーターワイヤハンガ装置の構造説明に成り、強磁石説明として、コバルト磁性金属シートに対して、鉄磁石を被せた異なった磁石の構造説明参考図。
【０２２２】
図１２６の場合は、本考案の画像パネルを使った黒色二酸化炭素水素ガスと黒色炭素軽水素ガス使用の磁力線空間に於いての太陽光熱吸収発電装置の構造説明に成り、軽水素入り圧電素子磁石体粒子内蔵シリコン発電体と高出力圧電素子磁石体と黒色炭素軽水素ガス部分と軽水素入り圧電素子磁石体粒子内蔵シリコン発電体が接合擦る太陽光熱吸収発電装置に成り、ネオジムの溶解液のうわづみ微量金属を別と擦る技術説明に成る。
従って、うわづみ微量ネオジム金属をネオジム中心部に入れた高圧縮ネオジム合成磁石説明に成る装置の構造説明参考図。
【０２２３】
図１２７の場合は、本考案の画像パネルを使った衣類収納庫開閉装置の構造説明として、モーター歯車開閉装置とビニールゴムコーティング綿布地カーテンドアの衣類収納庫開閉装置と電磁石吸着型ドア構造の衣類収納庫開閉装置の構造説明参考図。
【０２２４】
図１２８の場合は、本考案の画像パネルを使った弱放射線ダブルCCDカメラパネルの構造説明に成り、ＣＣＤパネル即ちカード式電気カメラのＣＣＤ装置の改良型の弱アルファ線粒子入りのサモーカメラに対して、
別のＣＣＤに弱アルファ放射線を設定図柄または、設定文字絵図及び風量ライン図または、動物ライン状に弱アルファ線を入れる事でＣＣＤの光認識光遮断装置に成る。
此の場合は、通常ＣＣＤに対して軽水素入りＣＣＤと水素入りＣＣＤのアルファ放射線に依る光温度認識確認カメラに成り、温度認識の人型形状ライン動物ラインのアルファパネルに依って、写した写真の温度認識写真の部分表現出来るカメラ装置のＷＣＣＤ構造説明参考図。
【０２２５】
図１２９の場合は、本考案の画像パネルを使った横長魚眼合わせ突レンズの構造説明として、凸レンズの両サイドに魚眼レンズを取り付けた横長調整合わせレンズ説明に成り、凸レンズの外周に魚眼レンズを取り付けた防犯レンズと少し異なる横長形状の魚眼突合わせレンズの構造説明参考図。
【０２２６】
図１３０の場合は、本考案の画像パネルを使った窒素シリコン溶液入り三重チューブのロボット家電タイヤの構造説明に成り、構造として、ホイルに対して、窒素シリコンチューブ三重層に成り、ロボット化出には、エアー層の代わりにシリコンシート層とビニールシート層と生ゴムシート層等の多層シート構造説明参考図。
【０２２７】
図１３１の場合は、本考案の画像パネルを使ったロボット家電六足走行の略図の構造説明に成り、六足は、前後移動用六個の高出力発電レールモーターの前移動及び後移動出来る走行装置は、高出力棒状発電レールモーターの前後の移動出来る装置で高速移動は、中央の二足が上下移動で支えて要る間に、前と後ろの足が瞬間に移動して、四足が持ち上げて２足移動の繰り返し走行と六本別々走行手段に成る。
竹灰入りシリコンプラスチックシート及び竹灰入りシリコングラスファイバービニールシート及び竹灰入りシリコンビニールシート及び竹灰入りシリコンゴムシートの多層式ロボット家電走行足装置の構造説明参考図。
【０２２８】
図１３２の場合は、本考案の画像パネルを使った人工二層電気抵抗ゼロ電気の構造説明として、圧電素子４電子磁気分割装置と電気抵抗無プラス加速装置電気は、高出力コイルは超高速プラス電気に対して、電気抵抗無二層プラス電気が使われる構造に成り、圧電素子４電子磁気分割装置は、通常電気プラス電気は、電気抵抗無高速電気と通常電気等の人工二層電気抵抗ゼロ電気の構造説明とした装置に成り、コイル無六角形状内側モーター軸に対して、コイル無８連レールモーター外側圧電素子六角形状磁石体ＡＢＣＤＥＦＧＨと内側回転軸側８個の六角形状圧電素子磁石体構造のコイル無８連レールモーターの構造説明参考図。
【０２２９】
図１３３の場合は、本考案の画像パネルを使った高速高出力六角形状発電電気回路パネルの構造説明に成り、超高速電波は、現在の高速電波依り、更に早い超高速電波に成り、携帯電話等は、携帯電話カバー内側に、高出力発電六角形状圧電素子連結発電回路シートカバーを貼りつける事で、携帯電話の最高電源圧力を更に超えた電気を作る事が出来る高出力発電六角形状圧電素子連結発電回路シートカバーの電気を使って、超高速携帯電話波送信が出来る装置説明に成り、パソコン等のカバー内側に高出力発電六角形状圧電素子連結発電回路シートカバーを貼りつける事で電気消費ゼロ社会も可能に成る為、部品交換のし易い構造のパソコンに対して、売れ筋時代が来て、パソコン修理を、民間の個人が、海外の低価格パソコン部品を使った修理に成る為、仕事の無くなる企業以外の民間人の仕事の場が発生擦る時代とは、一般庶民は、お金が無い為に、日本企業の公開価格電気製品を変えない時代への対処策の一つに成る構造説明参考図。
【０２３０】
図１３４の場合は、本考案の画像パネルを使った電気製品カバー及びロボット家電カバー体に取り付ける高出力六角形状圧電素子発電回路連結装置の構造説明として、複数穴空き式銅版圧電素子磁力線及び金属全ての種類の圧電素子磁力線の圧電素子拡散防止対策用の、複数穴空き式銅鉄合金板に成り、使用用途として、複数連結電磁石構造内蔵型の金属センサーに成る。
この他は、放電指せない磁力線圧力の電気スイッチ説明に成る。
従って、携帯電話の送受信アンテナ装置に対して、プラス高速携帯波プラス高出力発電六角形状圧電素子連結発電回路とマイナス高速携帯波マイナス高出力発電六角形状圧電素子連結発電回路に成る。
この他の、水素ニッケル超微粒子アルファシリコン配線に対して、軽水素入り圧電素子磁石体配線を被せて、水素入りシリコン圧電素子磁石体配線に対して、銅筒管を被せた特製の高出力銅筒管コイル配線に成る。
竹灰入りセラミック絶縁体カバー及び竹灰入りセラミック絶縁カバー及び竹灰入りプラスチック二重電気放電防止カバー等の電気製品カバー及びロボット家電カバー体に取り付ける高出力六角形状圧電素子発電回路連結装置の構造説明参考図。
【０２３１】
図１３５の場合は、本考案の画像パネルを使った新しい細胞活性化装置の構造説明として、ビタミン軽水素ガスの作り方説明として、ビタミン養分と軽水素ガスで低い温度で溶かしてガス化したビタミン軽水素ガスとビタミン酸素ガスとビタミン酸素ガスの作り方として、ビタミン養分と酸素ガスを低い温度で微熱撹拌した酸素ビタミンガスに成り、後のビタミンガスと飲み薬の両方の使用の有り方は、今後の薬ガス特に植物薬ガスは、朝鮮菊を使った衣類に掛けてから着る朝鮮菊酸素ガスなど、野菜酸素ガスは、匂い取りガスに成り、今後は、品種改良種の野菜酸素ガスの開発に成る著作者に成る。
新しい細胞活性化装置説明及び超微粒子アルファ線マイクロ放射線管と超微粒子ガンマ線マイクロ放射線管とガンマ線マイクロ放射線管と弱ガンマ放射線パネル内蔵型高出力銅筒管積載電子カメラに成る。
全自動２４時間細胞活性化時間に対して、部分的に遅い活性時間部分と細胞活性時間の高速活性時間処理手段に対して、軽水素酸素ビタミンガスに対して、細胞吸収型細胞電子針放電型細胞活性化装置。
この他の、軽水素酸素ビタミンガス超微粒子アルファ線マイクロ放射線管治療手段説明に成る。
軽水素酸素ビタミンガス超微粒子ガンマ線マイクロ放射線管を使った皮膚及び内蔵に対しての治療方法と機械説明の新しい細胞活性化装置の構造説明に成る装置の構造説明参考図。
【０２３２】
図１３６の場合は、本考案の画像パネルを使った電気製品カバー及びロボット家電カバー体に取り付ける高出力六角形状圧電素子発電回路連結装置の構造説明に成り、軽水素入りシリコンビニール粒子とプラスチックガラス粒子が半々の圧電素子磁石体に成る電気製品カバー及びロボット家電カバー体に取り付ける高出力六角形状圧電素子発電回路連結装置の構造説明参考図。
【０２３３】
図１３７の場合は、本考案の画像パネルを使った弱ガンマ線粒入り高出力六角形状圧電素子発電回路連結装置の構造説明に成り、弱ガンマ線入り複数ライン電波プラス電気圧力型高出力六角形状発電回路は、宇宙の超小型電波望遠鏡ロボットロケットの発電回路部品に成り、マイナス温度対応型の発電回路とダイオードスイッチ回路の弱ガンマ線入りダイオードスイッチ装置の構造説明参考図。
従って、電波プラス電気圧力型高出力六角形状発電回路に成る。
ガンマ線複数ライン内蔵型電波プラス圧力型高出力六角形状発電回路に成る。
其の外の、弱ガンマ線複数ライン入りコイル内蔵高出力圧電素子に成る。
別紙説明として、ベータ放射線から取り出す超微粒ガンマ磁力線圧力ライン入り高出力圧電素子の構造説明参考図。
【０２３４】
図１３８の場合は、本考案の画像パネルを使ったロボットロケットのマイナス一〇〇〇度以上に対応した電気スイッチの構造説明に成り、竹灰入りゴムシートにペーパー磁石のネオジム銅合金ペーパーを被せた電気配線に対して、ピアノ線入りスクリュー銅ピアノ線合金コイルをネオジム銅合金入りシートに貼りつけると同時にマイナス電気チップ配線に依って、ネオジム銅合金に電気コイルに電気が回ってもう一つの電磁石スイッチに磁力線接合接着して電気が流れる磁力線スイッチに成る。
この他、宇宙ロボットロケット回路に超微粒子アルファ電気の電気熱外気温度調整型電気熱シート説明に成る。
【０２３５】
図１３９の場合は、本考案の画像パネルを使ったマグネトロン電子を磁力線カラーライト光電磁路に対して、互いの引き合う電気磁石力線に依って、磁力線電気を送電擦るシステムを使ったロボット家電調理器具の構造説明に成り、高出力発電六角形状圧電素子連結型発電回路パネルの中に入れる二枚合わせ六角形状圧電素子発電回路パネルスクリューコイル配線に対して、ペーパー式銅コイル配線をギザギザのスクリュー状に流れる一本の銅シート線をヘアピン状に二枚合わせ六角形状圧電素子発電回路パネルの中に入れたプラス高出力発電六角形状圧電素子連結型発電回路パネルとマイナス高出力発電六角形状圧電素子連結型発電回路パネルに対して、二つのプラス電波とマイナス電波を其々のプラス高出力発電六角形状圧電素子連結型発電回路パネルとマイナス高出力発電六角形状圧電素子連結型発電回路パネルに流す事で、電気増幅電波を得る事が出来る装置に成る。
スクリュー近距離電磁波送電装置の高出力マグネトロンで通常電気を電子に変えて相手側の家電の高出力電磁石のプラス磁力線吸引装置と磁力線をプラスとマイナスに分けて回転式の磁力線を電子磁力線ビーム送電に依って、電気を送るシステムの構造説明参考図。
【０２３６】
図１４０の場合は、本考案の画像パネルを使った軽水素ニッケルＷ充電池の構造説明に成り、水素中の重水素中のアルファ線とガンマ線を取り除いたベータ重水素及び、弱微粒子アルファ線収束型複数穴開き軽水素シリコンシートと弱アルファ微粒子線入り水素シリコンシートと弱アルファ微粒子線入りニッケル水入りシリコンシートを交互に合わせた複数穴開き充電貯蓄シートに成る。
異なる充電池説明として、軽水素窒素マグネシウムシリコンプラス充電池と軽水素窒素リンシリコンマイナス充電池の他に、プラス軽水素水銀マグネシウムプラス充電池体とマイナス軽水素水銀リンマイナス充電池体等の、プラス充電池体とマイナス充電池体を別々に分けると複数の色々な充電池が出来る特許公開に成って居た為、偽造盗作が不可能な世界特許権に成る充電池技術説明参考図。
２０１５年１１月２７日ＰＭ２１時４４分南相馬市でペンを置くカンキチ。
２０１５年１１月２８日ＰＭ１９時３８分南相馬市で書き始めるカンキチ。
【０２３７】
図１４１の場合は、本考案の画像パネルを使った全自動ロボットの筋肉部分の構造説明に成り、酸素入りシリコン膜シートと水素入りシリコン膜シートと弱赤外線酸素シリコン膜シートと弱紫外線酸素シリコン膜シート及び酸素入りシリコン窒素膜シートと水素入りシリコン窒素膜シート等の多層重ねシート技術説明に成る。
この他、例えば人型ロボットの足は、遠赤外線水素シリコン膜シートに成り、人型ロボットの左腕は、弱紫外線酸素シリコンシートの腕に成り、冷却ガス等が送る事の出来る右手のひら冷却配管入りの人型ロボット説明に成る。
将来的には、酸素空気を取り込んで、吸入排出出来るロボットの口にしたり、水を口から飲んで酸素の人工排出吸入口としたり、熱水蒸気及び冷気水蒸気を放出出来る構造の人型ロボット説明に成る。
【０２３８】
図１４２の場合は、本考案の画像パネルを使った二通りの赤外線パネルの構造説明に成り、鉛水筒クリスタルガラス筒の中に赤色鉛水入り弱アルファ放射線入りプラスチックシート内蔵型の赤外線パネルと鉛水筒クリスタルガラス筒の中に赤色鉛水入り弱ガンマ放射線入りプラスチックシート内蔵型の赤外線パネル等は、弱アルファ赤外線パネルと弱ガンマ赤外線パネルに成り、超弱アルファ放射線薬は、体温を上げたり、血圧を上げたり擦る効果に成ると推測して要る。
この他の、超弱ガンマ放射線の薬利用の方法説明として、人の体に実際に入って要る放射線量だけの、超弱ガンマ線を此の病気が治らないと去れて要る患者の血液と放射線の超弱ガンマの人に存在擦る放射線量と病気に効く薬と同型血液の放射線に依るスロー遠心分離撹拌した治療した血液を体内に戻す治療方法に成り、此の場合は、血液のみが放射線を浴びる事に成り、今までの治療手段と異なり、高出力銅筒管コイル積載の電子顕微鏡治療と同時に行う血液治療に成る。
赤血球成分に於いて、白血球のみに効く薬の時間だけ、弱ガンマ放射線血液治療手段に成り、血液分類を擦る観点からも、今後の治療手段に成る本考案の画像パネルを使った二通りの赤外線パネルの構造説明参考図。
【０２３９】
図１４３の場合は、本考案の画像パネルを使った高出力発電六角形状連結レールモーターの中コイル軸移動型の高出力六角形状発電回路利用のロボット家電の発電システムの構造説明に成り、高出力発電六角形状連結発電回路型レールモーターの積載ロボット家電は、積載のバッテリー電源をロボット家電の高出力発電六角形状連結発電回路型レールモーターの発電回路機能とロボット家電のカバーの高出力六角形状連結発電回路の電源に対して全ての電気を使用した高出力発電六角形状連結発電回路システムに成る。
高出力発電六角形状連結発電回路型バッテリーに貯蓄した電気の余りを売電に回すシステムに成る。
この他の、高出力発電六角形状連結レールモーターの中コイル軸移動型の高出力六角形状発電回路利用のロボット家電の発電システムの構造説明に成り、モーターの中回転軸移動系の高出力発電回路型六角形状連結レールモーターに対して、ロボット家電を使った高出力圧電素子売電システムで海底売電高出力発電六角形状連結発電回路型ケーブルに依って、世界に低価格電気売電を供給出来る世界トップ技術説明参考図。
【０２４０】
図１４４の場合は、本考案の画像パネルを使ったデジタルカメラの光度認識スイッチを新しく変えた技術の構造説明に成り、カメラのモーターシャッタースピードを細かく擦る為に電圧を上げたシャッタースピードに対して電気抵抗無の超高速スピードに擦る為の電気抵抗ゼロ電気の圧電素子４電子磁気分割に依って残った電気抵抗電気を高速信号波スイッチに使用擦る技術。
つまり、ＣＣＤをアクリルシートに軽水素入りダイオードシートと水素入りダイオードシートの複数重ね技術。
デジタルカメラの光度認識スイッチを新しく変えた技術の構造説明に成り、ＣＣＤの光度認識幅を現在の高感度を、１００から１２５そして１５０そして１７５そして２００そして２２５そして２５０そして２７５そして３００そして３２５そして３５０そして３７５の上記記載のＣＣＤの光度量認識幅を５０から６０から７０から８０から９０から１００から１１０から１２０から１３０から１４０から１５０から１６０から１７０から１８０から１９０から２００から２１０から２２０から２３０から２４０から２５０から２６０から２７０から２８０から２９０から３００から３１０から３２０から３３０から３４０から３５０から３６０から３７０から３８０から３９０から４００のＣＣＤの認識光度量計測を現在撚り、細い光度計測幅スイッチとして、色回路をフッ化カルシウム軽水素リン化合に酸化銅なら緑フッ化カルシウムと軽水素リン化合物と金属の酸化銅なら緑に成り、フッ化カルシウム軽水素リン酸化イオウで黄色に成り、フッ化カルシウム軽水素リンとアルミニウムガリウムヒ素は赤色として使用擦るデジタルカメラの光度認識スイッチを新しく変えた技術の構造説明に成る。  
【０２４１】
図１４５の場合は、本考案の画像パネルを使ったデジタルカメラ及びノーマルカメラ及び電気抵抗ゼロデジタルカメラ及び電気抵抗ゼロノーマルカメラのペンタモータープリズムの説明とペンタプリズムの構造説明に成る。
従って、ペンタプリズムの種類として、黒色プラスチック板と黄色プラスチック板と赤色プラスチック板に成る。
次に、黒色絞り板と通常絞り板のＷ絞り板に成る。
青黄色絞り板に対して、被写体色を黄色青色説明。
黄赤色絞り板に対して、被写体色を赤色黄色説明。
赤青色絞り板に対して、被写体色を赤色青色説明の技術の構造説明に成る参考図。
【０２４２】
図１４６の場合は、本考案の画像パネルを使った冷暖房風移動型室内床天井壁送風移動風冷暖房掃除機の構造説明に成り、室内地図アンテナと高出力４連振り子型機械式発電機と強制吸引用ゴミ取り用高出力発電六角形状連結発電回路型レールモーター使用のゴミ取り口及びレールモーターホイスト及び布ブラシモーター空吹き装置に成る参考図。
其の外の、落葉松の表皮を粉にした物質を金属の板の二枚に依る押し圧力に依って、落葉松のニス材を採取擦る方法参考図。
落葉松の表皮を粉々に刻んで超鋼金属板二枚に依る押し圧に依って、落葉松ニスを採取擦る方法参考図。
発砲スチロール粒子入り塗料及びニス材説明参考図。
軽水素入りフッ化カルシウム入り樹脂シリコンアルコールニス塗料説明参考図。
瞬間乾燥青葉チップ入り樹脂シリコンアルコールニス材塗料説明参考図。
鏡粒子入り樹脂シリコンアルコールニス材塗料説明参考図。
２０１５年１１月２８日ＰＭ２０時４１分南相馬市でペンを置くカンキチ。
２０１５年１２月０９日昼ＡＭ１２時１０分南相馬市で書き始めるカンキチ。
【０２４３】
図１４７の場合は、本考案の画像パネルを使った高出力モーター電磁石板の構造説明に成り、複数の六角形状圧電素子発電回路体に複数針穴空き高出力銅筒管軽水素入り圧電素子磁石体配線管を複数の六角形状圧電素子発電回路体に巻いた中コイル式の高出力発電回路モーター説明に成り、複数の高出力六角形状圧電素子発電連結型発電回路は、高出力圧電素子磁石体に成り、一枚物の複数の高出力軽水素トリチウム電子ガス入りの高出力六角形状圧電素子発電連結型発電回路の磁力線発電効果を最大に擦る為の一つの高出力圧電素子磁石体から作り上げる複数の高出力六角形状圧電素子発電連結型発電回路の構造説明に成る参考図。
【０２４４】
図１４８の場合は、本考案の画像パネルを使ったキセノン発光ガス入りの高出力ソーラーパネルの軽水素トリチウム電子キセノン合成ガス入りの圧電素子磁石体粒子入りシリコンソーラーパネルの微量増幅発電パネル及び高出力六角形状圧電素子発電回路連結型の高出力六角形状連結発電回路型パネル内蔵型の電気増幅発電型ソーラーパネルの構造説明に成り、キセノン発光ガスは、高出力ソーラーパネルの軽水素トリチウム電子キセノン合成ガス入りの圧電素子磁石体粒子入りシリコンソーラーパネルの微量増幅発電パネル。
此の場合は、高出力六角形状圧電素子連結型発電回路内蔵型ソーラーパネルの増幅ソーラー発電パネル説明に成るキセノンガス入り紫外線カメラの構造説明に成る参考図。
【０２４５】
図１４９の場合は、本考案の画像パネルを使った高出力圧電素子六角形状発電回路内蔵型高出力太陽光ソーラーパネル及び体温吸収発電型の高出力熱瞬間吸収発電パネルに高出力圧電素子六角形状発電回路内蔵の構造説明に成り、複数の高出力六角形状圧電素子連結型発電回路内蔵型瞬間熱吸収発電パネルの軽水素入り圧電素子六角形状装置の高出力軽水素入り超微粒子圧電素子磁石体粒子入りシリコン粒子入りチタン酸バリウム溶液使用の圧電素子磁石体及び、軽水素入り圧電素子磁石体粒子入りシリコン粒子入りチタン酸バリウムと軽量プラスチック竹灰入りガラス微粒子入り圧電素子磁石体の高出力圧電素子発電回路シートに軽水素トリチウム電子ガス入りシリコンシートに軽水素入り圧電素子磁石体粒子入りシリコンを重ね合わせたパネルの構造説明に成る参考図。
【０２４６】
図１５０の場合は、本考案の画像パネルを使った発光物質リング入りレンズカバー装置の構造説明に成り、通常大レンズに対して、上下の両端部分に、アクリルパネルとフッ化カルシウム軽水素トリチウム電子ガス入りプラスチックガラス部分説明成り、アクリル透過ガラスを取り付けたり、取り外したり出来る構造の光を多く入れたり、通常の光のみの構造に出来る補助六角カメラレンズの構造説明に成る参考図。
【０２４７】
図１５１の場合は、本考案の画像パネルを使った固形冷却粉末物質の構造説明に成り、軽水素トリチウム電子ガス入り、ダイオードスイッチの竹灰入りプラスチックコーティングの軽水素弱ガンマ放射線シリコン粒入りダイオードスイッチの全世界の最新トップ回路スイッチ技術に対して見るだけスイッチ技術公開の回路スイッチ技術。
更に、固形冷却粉末物質の構造説明に成り、固形フロン冷却粉末及び固形ヘリウム冷却装置の粉末に成り、フロンガスにビニール又は、プラスチック材に熱を掛けながら混合撹拌した冷却材のシートなどを、細かく切った冷却固形フロン冷却材粉末を固形冷却ヘリウム窒素粉末に対して、プラスチックコーティング及びビニールコーティングした竹灰入りプラスチックコーティング及び竹灰入りビニールコーティングした材料を固めた冷蔵庫用クーラー用の冷却固形材として使用するシート材またはパネル材として使用する装置の構造説明に成る参考図。
【０２４８】
図１５２の場合は、本考案の画像パネルを使った宇宙ロボット家電高出力電波望遠鏡カバーの構造説明に成り、高出力天体電波望遠鏡ロボットロケットの接続型の宇宙空間電波中継型電波望遠鏡の高出力型装置の構造説明に成り、宇宙電波中継型の高出力天体望遠鏡に成り、宇宙ロボット家電高出力電波望遠鏡カバー説明として、一番外側に、樹脂発砲スチロールシートに対して、発砲スチロールシートに対して、竹灰入り黒土発砲スチロールシートが続き、アルミニウムシートニクロム線入りアルミニウムパネルまたはマイクロレアーアース電熱合金入りシートプラスマイナスゼロ温度設定に成り、宇宙温度計マイナス５０００度電気熱水銀発光ＬＥＤライトライン遮断型計測装置又は、水銀電気スイッチ説明の装置の構造説明に成る参考図。
【０２４９】
図１５３の場合は、本考案の画像パネルを使ったレアーアース溶解水入りナイロン糸の構造説明に成り、放射線を体から出易く擦る為の、マグネシウム水と酸化鉄水の再処理下水道金属再処理技術としての、竹灰入りピアノ線カバー網竹灰入りプラスチック糸カバー網に依る濾過物取り除き装置及び遠心分離濾過物取り除き装置と磁石型酸化鉄取り除き装置に依って、金属のみを取り出して再処理擦る技術説明に成る。
レアーアース溶解水そして、酸化水入りナイロン糸では、磁力線連動糸に成り、銅溶解水の酸化銅水入りナイロン糸を使用した磁力線コイル服の銅水入りナイロンに対して、絶縁コイル服及び酸化鉄食事と磁力線コイルの熱代謝の促進磁力線リハビリ効果療法説明に成り、酸素代謝を良く擦る為の陽電子及び陰電子電気分解の強制酸素吸収運動の残存時間と依存時間の構造説明に成る参考図。
【０２５０】
図１５４の場合は、本考案の画像パネルを使ったプルトニウムアルミニウムレアーアース金属水入りテトロン糸シートパネルの構造説明に成り、ロボット手の高出力電子カメラに依る人の手等の細胞の歪みを高出力電子カメラで全自動認識して、人の手等を掴む場合の制御として、高出力レールモーターの力加減を全自動認識出来るロボットの高出力電子カメラ説明に成る。
プルトニウムアルミニウムレアーアース十字網シート入りパネル及びプルトニウム及びネオジムレアーアース十字網シート入りパネル説明。
そして、高出力高周波電波発射装置に依って、物体に当たって跳ね返る電波スピードと電波跳ね返り吸収スイッチ時間の事実に対して、物体の硬度物質と軟質物質の区別を擦る為の高出力高周波硬度センサーに成る。
この他の弱ブロック波などに依って、軟質度をブロック波の壊れ方の三つの三種類電波の壊れ方変化に依る軟質物体及び硬質物体の変化を調べる手段説明。
其の外の、組合せ方の立体型電波に依って、跳ね返りの電波キャッチに依って、物体の硬度を電波の当たり返り形状に依って、判断擦る高出力組合せブロック波センサーの構造説明に成る参考図。
【０２５１】
図１５５の場合は、本考案の画像パネルを使った熱発電発光レーザーの構造説明に成り、先ず一番目に大レンズの中央側の一部分がアクリルガラス部分の大レンズに対して、軽水素入り圧電素子磁石体粒子入りシリコンシート付光熱発電反射板が取り付及び、ライト光源に対して、水素入りフッ化カルシウムリンネオンガスグラスファイバー光源ライトが付き、次にアルミニウム水クリスタルガラス板が取り付いて、熱発電発光大レンズレーザー装置が取り付き次に、凸レンズの中央部分がアクリルレンズに成って要る光集光が技術に於いて、世界で一番新しい技術の中の一つの説明に成る。
そして、ステンレス防護軽水素入り圧電素子磁石体粒子入りシリコン発電シートに対して、炭入りシリコン塗料膜が取り付き次に銅メッキシリコン膜シートが付次に銀メッキシリコン膜が取り付き、アクリルシート入り二枚合わせ圧縮ガラス付の熱防護熱瞬間吸収発電パネル説明に成る。
この他の、軽水素トリチウム電子ガス入り圧電素子磁石体粒子入りシリコン発電シートの次にステンレスシートが取り付き次に塗料入りシリコン膜シートが付き次に銅メッキシリコン膜シートが取り付き、次に銀メッキシリコン膜シートが取り付き最後にガラスパネルが取り付く構造のステンレス防護発電多層パネルの構造説明に成る参考図。
【０２５２】
図１５６の場合は、本考案の画像パネルを使った発光光子ビーム装置の構造説明として、発光光子ビーム装置の高出力六角形状連結発電回路シート内蔵型の多層シート型の高出力発電回路パネルを竹灰入りプラスチックパネル二枚の中に入れた高出力発電回路シートと高出力ソーラーパネルと循環発電電気充電貯蓄体二つ付の高出力全自動充電池内蔵型の水に対して、不安定軽水素酸素水を使った水充電池説明に成る。
この他の、発光光子ビーム装置の説明に成る。
この他の、アルミニウム水入りガラスに対して、斜光鏡板が取り付き、軽水素入りフッ化カルシウム窒素アルゴンガスビニールグラスファイバー発光体に成り、水素入りフッ化カルシウムリンネオン窒素ガス入りグラスファイバー発光体に成り、アクリル部分に対して、鏡部分が取り付いた発光光子ビーム装置説明に成る。
更に、ロボット家電及び、全自動人型ロボット全自動電気多機能自動車のカラーライトライン装置の改良説明に成ります。
この他の、土木用の水糸装置の部材に成る装置の構造説明に成る参考図。
【０２５３】
図１５７の場合は、本考案の画像パネルを使ったモーター電磁石洗浄装置の食器洗い乾燥機天井電波発信装置の構造説明に成り、食器洗い水には、軽水素酸素水が使用される装置に成り、モーターには、高出力六角形状圧電素子連結型発電回路内蔵型レールモーター使用積載の高出力水車型高出力六角形状圧電素子連結型発電回路内蔵型レールモーター弁の構造説明参考図。
【０２５４】
図１５８の場合は、本考案の画像パネルを使った高出力超高圧力コンプレッサーの構造説明として、ＬＥＤ弱アルファ水位カメラＣＣＤセンサー及び高出力超高圧力コンプレッサーに成り、高出力発電六角形状連結発電回路型レールモーターに成り、三重コイル板電磁石押し板複数連結エアー手取り入れ水車板型ファンに成り高出力電動仕切り弁の付いた高出力超高圧力コンプレッサーの構造説明に成る。
この他の、高出力電磁石反発型ダブル増幅型に成り、電磁石落下鋼鉄磁力線圧力型エアータンクコンプレッサーに成り、高出力銅筒管コイルホイスト圧力と三重コイル吸引圧力付きの三重及び三連コイル板電磁石に対して、圧縮用レールモーターホイスト及び三重コイル板電磁石に依る電磁石吸引押し圧力に依る高出力超高圧力コンプレッサーの構造説明に成る参考図。
【０２５５】
図１５９の場合は、本考案の画像パネルを使ったマイナス１０００度の世界に於いての海水の有り方の構造説明に成り、例えば、北方領土及び樺太の半分領土の土地の地下にロシア人として、ロシア国に移民つまり、二重国籍に依るロシア国民として、ロシア国への税金支払いに依る二重国民としての生きる有り方の一つの装置の構造説明参考図。
【０２５６】
図１６０の場合は、本考案の画像パネルを使ったモーター電磁石洗浄装置の食器洗い乾燥機天井電波発信装置の構造説明に成り、食器洗い水には、軽水素酸素水が使用される装置に成り、モーターには、高出力六角形状圧電素子連結型発電回路内蔵型レールモーター使用積載の高出力水車型高出力六角形状圧電素子連結型発電回路内蔵型レールモーター弁の構造説明参考図。
【０２５７】
図１６１の場合は、本考案の画像パネルを使ったスクリューモーター水のスクリュー水打たせ洗濯モードの構造説明に成り、スクリューモーター水のスクリュー水打たせ洗濯プラス回転モード及び洗濯温水温度調整温度セットが出来る装置の構造説明参考図。
【０２５８】
図１６２の場合は、本考案の画像パネルを使った通常と異なるインターネットテレビ電話の構造説明に成り、四足置き型の超薄型アルゴンビニールシートパネルと軽水素トリチウム電子ガス入りフッ化カルシウム白色発光シートパネルの二重発光画像パネル使用の室内防犯高感度ＣＣＤカメラ積載及び防犯用映像パネル及び室内緊急ライト及び室内カメラ及びリモコン受話器及びダイヤルボタン型チャンネル切り替えスイッチ及び発電機及びアンテナテレビ足台及びテレビスイッチ及びテレビ局前の席カメラ映像画面及びアンテナスピーカーマイク及びスピーカーマイクセット位置認識スピーカーマイク受話器型リモコン及び自動電池及びリモコンＷスイッチ及びタッチ画像パネルを使った通常と異なるインターネットテレビ電話の構造説明参考図。
【０２５９】
図１６３の場合は、本考案の画像パネルを使った海底マグネシウムの採取方法の構造説明に成り、目的は、現在の世界技術で無理と去れて要る日本近海のマグネシウム採掘手段説明に成り、全自動水中バックホー水中掘削機以外の説明に於いて、エアー望遠鏡カメラ及びウオーター望遠カメラ及び磁力水望遠カメラ及び油圧望遠カメラ及び弱レントゲンパネルカメラ及びレンズライト水中望遠カメラ及びバキューム機能付き板丁字刃掘削掻き込み機に依って、海底マグネシウムを採取擦る装置に成り、マグネシウムを採取する為のボーリング採取機に成り、マグネシウムを採取擦る為のボーリング機の太めのボーリング採取機に成り、ボーリングバキューム採取機などが考案去れる採取機に成る。
この他の、高温の熱でマグネシウムを溶かしてバキューム採取する掘削方法のロボット水中掘削機装置の構造説明参考図。
【０２６０】
図１６４の場合は、本考案の画像パネルを使ったタッチ画像パネルの別の形状装置の構造説明に成り、タッチ画像パネルの別の形の説明に成り、Ａパネルとして、ネオンアルゴンガス入りグラスファイバー画像パネルとＢパネルとして、複数マイクロ穴開き軽水素トリチウム電子ガス入りビニールダイオード複数ＣＣＤパネルに対して、Ａパネルの光度調整パネルとして、Ｃパネルの軽水素トリチウム電子ガス入りダイオードフッ化カルシウムアルゴンタッチスイッチライトパネルに成る構造説明参考図。
【０２６１】
図１６５の場合は、本考案の画像パネルを使った軽水素弱アルファ放射線入り陽電子陰電子スパーク発電機の構造説明に成り、軽水素アルファ線入り酸素陽電子陰電子スパーク発電に対して、同じ質量の通常軽水素と酸素の陽電子陰電子スパーク発電機に成る。
そして、暖軽水素及び冷酸素の陽電子陰電子スパーク発電機に対して、アルファ線入りの暖軽水素と通常軽水素に対して、軽水素分解に対して、弱ガンマ線弱アルファ線入りの軽水素の通常軽水素の温度分解に対してアルファ線入りの軽水素の方が温度上昇が早く成り、ガンマ線入り軽水素は低温軽水素分解が進む技術説明装置の構造説明参考図。
【０２６２】
図１６６の場合は、本考案の画像パネルを使った連結型高出力六角形状圧電素子発電回路の構造説明参考図説に成り、(１０４)の連結型高出力六角形状圧電素子発電回路は、(１０５)の通常プラス電気と(１０６)の通常マイナス電気を別々の二つのプラス(１０４)の連結型高出力六角形状圧電素子発電回路とマイナス(１０４)の連結型高出力六角形状圧電素子発電回路に対して、其々(１０５)の通常プラス電気と(１０６)の通常マイナス電気を流す事によって、(１０４)の連結型高出力六角形状圧電素子発電回路内部の(１０８)の連結型の六角形状の軽水素トリチウム電子ガス入り圧電素子磁石体を複数連結させた部分の残りの部分全てを、(１０７)   通常圧電素子磁石部分に擦る事によって、通常電気は、(１０４)の連結型高出力六角形状圧電素子発電回路内部の六角形状連結部分の(１０８)の軽水素トリチウム電子ガス入り圧電素子磁石体に電気が優先して流れる事で軽水素トリチウム電子ガス入りシート型依り、(１０９)の増幅電気を多く得る事の出来る(１０４)の連結型高出力六角形状圧電素子発電回路の構造説明参考図。
【０２６３】
図１６７の場合は、本考案の画像パネルを使った連結型高出力六角形状圧電素子発電回路図１６６の構造をさらに説明した参考図で有り、(１０４)の連結型高出力六角形状圧電素子発電回路は、(１０５)の通常プラス電気と(１０６)の通常マイナス電気を別々の二つのプラス(１０４)の連結型高出力六角形状圧電素子発電回路とマイナス(１０４)の連結型高出力六角形状圧電素子発電回路に対して、其々(１０５)の通常プラス電気と(１０６)の通常マイナス電気を流す事によって、(１０４)の連結型高出力六角形状圧電素子発電回路内部の(１０８)の連結型の六角形状の軽水素トリチウム電子ガス入り圧電素子磁石体を複数連結させた部分の残りの部分全てを、(１０７)   通常圧電素子磁石部分に擦る事によって、通常電気は、(１１０)の内蔵型軽水素トリチウム電子ガス入り圧電素子磁石体の(１１１)の軽水素入り六角形状圧電素子磁石体の軽水素トリチウム電子ガス入り圧電素子磁石体に電気が優先して流れる事で軽水素トリチウム電子ガス入りシート型依り、(１０９)の増幅電気を多く得る事の出来る(１０４)の連結型高出力六角形状圧電素子発電回路の構造説明参考図。
２０１５年１２月６日ＰＭ２１時３３分南相馬市でペンを置くカンキチ。
２０１５年１２月０８日昼ＰＭ１７時１５分南相馬市で書き始めるカンキチ。
【０２６４】
図１６８の場合は、本考案の画像パネルを使ったカーナビゲイションの世界最新式の構造説明参考図。
２０１５年１２月８日ＰＭ１７時２１分南相馬市でペンを置くカンキチ。
【符号の説明】
【０２６５】
１    古くから有る通常液晶デスプレイ画像装置
２    偏光板
３    硝子基板
４    カラーフィル
５    配向膜
６    液晶層
７    バックライト
８     液晶テレビ参考図
９    特許権切れ著作権契約行使低価格公開作品
１０   ＣＲＴデスプレイ参考図
１１   ブラウン管面
１２   マスク部分
１３   チューブアルゴンガス入り
１４   電子ビーム
１５   電子銃
１６   偏光ヨーク
１７   著作物北海道庁知事宛への提出の文書図面の著作物年月日証明の先発明著作物技術の優先著作権利主張作品
１８   クリスタル硝子パネル
１９  アルゴンガス入り液晶パネル
２０   デジタル映像波走査線シートパネル
２１   映像回路燃焼防止窒素ガス入りビニール粒子入りグラスフアイバービニールシートパネル
２２   竹灰入り窒素ガス内蔵ビニール粒子入りプラスチックパネル
２３    映像回路プラス配線
２４   映像回路マイナス配線
２５   テレビ画像新作液晶パネル
２６   半クリスタル硝子パネル
２７    アルゴンガス入りプラスチックパネル
２８    デジタル映像波走査線シートパネル
２９    映像回路燃焼防止窒素ガス入りビニール粒子入りグラスフアイバービニールシートパネル
３０    竹灰入り窒素ガス内蔵ビニール粒子入りプラスチックビニールパネル
３１    半プラスチック硝子パネル
３２    アルゴンガス入りビニールパネル
３３    デジタル映像波走査回路シートパネル
３４   映像回路燃焼防止窒素ガス入りビニールプラスチック粒子入りグラスフアイバー
３５    竹灰入り窒素ガス内蔵ビニール粒子入りプラスチックパネル
３６   半プラスチッククリスタル硝子パネル
３７    アルゴンガス入りプラスチックビニールパネル
３８    デジタル映像波走査回路配線竹灰入りグラスフアイバーシートパネル（ノーマル映像波走査回路配線竹灰入りグラスフアイバーシートパネル有り）
３９    映像回路燃焼防止窒素ガス入りビニールナイロン粒子入りグラスフアイバービニールシートパネル
４０    雑草灰入り窒素内蔵ビニール粒子入りプラスチックパネル
４１    プラスチックシート入り２枚合わせ硝子パネル
４２    アルゴンガス入りプラスチックグラスフアイバーパネル
４３     デジタル映像波走査回路配線雑草灰入りグラスフアイバーシートパネル（ノーマル映像波走査回路配線竹灰入りグラスフアイバーシートパネル有り）
４４    映像回路燃焼防止窒素ガス入りビニールテトロン粒子入りグラスフアイバービニールシートパネル
４５    木材灰入り窒素内蔵ビニール粒子入りグラスフアイバーシートパネル
４６    強圧縮プラスチック入り半強化硝子
４７    アルゴンガス入りプラスチックナイロン入りグラスフアイバーパネル
４８     デジタル映像波走査回路配線生ゴミ灰入りグラスフアイバーシートパネル（ノーマル映像波走査回路配線竹灰入りグラスフアイバーシートパネル有り）
４９     映像回路燃焼防止窒素ガス入りビニールポリエステル粒子入り竹灰内蔵グラスフアイバービニールシートパネル
５０     稲藁灰入り窒素内蔵ビニール粒子入りグラスフアイバーシートパネル
５１     不正競争防止法著作物介入盗作注意公開作品
５２     二枚合わせ硝子発電シリコンプラスチックシート入り硝子
５３     アルゴンネオンガス入りシリコン入りグラスフアイバーパネル
５４     デジタル映像波走査回路配線麦藁灰入りグラスフアイバーシートパネル(ノーマル映像波走査回路配線竹灰入りグラスフアイバーシートパネル有り)
５５     映像回路燃焼防止窒素ガス入りシリコンビニール粒子入り麦藁灰内蔵グラスフアイバービニールシートパネル
５６    麦藁灰入り窒素内蔵ビニール粒子入りグラスフアイバーシートパネル
５７     二枚合わせ硝子
５８     発電シリコンプラスチックシート入り硝子
５９     二枚合わせ硝子冷却窒素ガス入りプラスチックシート入り硝子
６０      アルゴンネオン軽水素混合ガス入りシリコングラスフアイバーパネル
６１      デジタル映像波走査回路配線牧草灰入りグラスフアイバーシートパネル(ノーマル映像波走査回路配線竹灰入りグラスフアイバーシートパネル有り)
６２     映像回路燃焼防止窒素ガス入りダイオードビニール粒子入り牧草灰内蔵グラスフアイバービニールシートパネル
６３      牧草灰入り窒素内蔵ダイオード粒子入りグラスフアイバーシートパネル
６４      冷却窒素ガス入りプラスチックシート
６５      光反射防止シート入り発電シート
６６     二枚合わせ硝子部分光反射防止プラスチックビニールライン入りプラスチック発電シート入り硝子
６７      アルゴン軽水素混合ガス入りシリコングラスフアイバーパネル
６８      デジタル映像波走査回路配線トーキビ茎葉灰入りグラスフアイバービニールシートパネル
６９      映像回路燃焼防止窒素ガス入りシリコンダイオードビニール粒子入りトーキビ灰内蔵グラスフアイバービニールシートパネル
７０      トーキビ茎葉灰入り内蔵グラスフアイバービニールシートパネル
７１      電気温度感知型の軽水素トリチウム電子ガス入り圧電素子磁石体粒子内蔵シリコン発電シート
７２      二枚合わせ硝子内入れ型軽水素トリチウム電子ガス入りシリコン入り圧電素子磁石体粒子ライン発電電気温度感知型発電シート部分配線入り硝子
７３      アルゴン窒素混合ガス入りシリコングラスフアイバーパネル
７４      デジタル映像波走査回路配線菜種茎葉灰入り内蔵グラスフアイバービニールシートパネル
７５      映像回路燃焼防止窒素ガス入りシリコン液晶ビニール菜種茎葉灰入り内蔵グラスフアイバービニールシートパネル
７６     菜種茎葉灰入り内蔵グラスフアイバービニールシートパネル
７７      窒素ガス入りプラスチック粒子入りプラスチック冷却シート貼り付け型硝子パネル
７８      充電池素子入りグラスフアイバーシート
７９      デジタル映像波走査回路配線窒素ガス入りビニール粒子内蔵グラスフアイバー燃焼防止シート
８０      映像回路燃焼防止窒素ガス入りビニール蕎麦茎葉灰入りプラスチックシートパネル
８１      プラスチック強化硝子プラスチックシート貼り手段のガラス基板
８２       水素入りニッケル微粒子入り炭素シリコンアルゴンガス入りビニールシート
８３       窒素ガス入りビニール粒子内蔵グラスフアイバー燃焼防止シート
８４      映像回路燃焼防止窒素ガス入りビニールレントコーン茎葉灰入り内蔵プラスチックシートパネル
８５      アクリル内蔵筒強圧縮鉛入りガラス
８６     Ａ図
８７     Ｂ図
８８     Ｃ図
８９     Ｄ図
９０     Ｅ図
９１     Ｆ図
９２     Ｇ図
９３     Ｈ図
９４     Ｉ図
９５     Ｊ図
９６     Ｋ図
９７     Ｌ図
９８     Ｍ図
９９     Ｎ図
１００   Ｏ図
１０１   Ｐ図
１０２   Ｑ図
１０３   テレビの画像の被写体の輪郭形状及び色彩形状の読み込みシステムが先に成ってから二番目に色彩認識が始まるテレビの画像形状認識装置
１０４   連結型高出力六角形状圧電素子発電回路
１０５   通常プラス電気
１０６   通常マイナス電気
１０７   通常圧電素子磁石部分
１０８   軽水素トリチウム電子ガス入り圧電素子磁石体
１０９   増幅電気
１１０   内蔵型軽水素トリチウム電子ガス入り圧電素子磁石体
１１１   軽水素入り六角形状圧電素子磁石体
【図１】
0003203105.tif 000003
【図２】
0003203105.tif 000004
【図３】
0003203105.tif 000005
【図４】
0003203105.tif 000006
【図５】
0003203105.tif 000007
【図６】
0003203105.tif 000008
【図７】
0003203105.tif 000009
【図８】
0003203105.tif 000010
【図９】
0003203105.tif 000011
【図１０】
0003203105.tif 000012
【図１１】
0003203105.tif 000013
【図１２】
0003203105.tif 000014
【図１３】
0003203105.tif 000015
【図１４】
0003203105.tif 000016
【図１５】
0003203105.tif 000017
【図１６】
0003203105.tif 000018
【図１７】
0003203105.tif 000019
【図１８】
0003203105.tif 000020
【図１９】
0003203105.tif 000021
【図２０】
0003203105.tif 000022
【図２１】
0003203105.tif 000023
【図２２】
0003203105.tif 000024
【図２３】
0003203105.tif 000025
【図２４】
0003203105.tif 000026
【図２５】
0003203105.tif 000027
【図２６】
0003203105.tif 000028
【図２７】
0003203105.tif 000029
【図２８】
0003203105.tif 000030
【図２９】
0003203105.tif 000031
【図３０】
0003203105.tif 000032
【図３１】
0003203105.tif 000033
【図３２】
0003203105.tif 000034
【図３３】
0003203105.tif 000035
【図３４】
0003203105.tif 000036
【図３５】
0003203105.tif 000037
【図３６】
0003203105.tif 000038
【図３７】
0003203105.tif 000039
【図３８】
0003203105.tif 000040
【図３９】
0003203105.tif 000041
【図４０】
0003203105.tif 000042
【図４１】
0003203105.tif 000043
【図４２】
0003203105.tif 000044
【図４３】
0003203105.tif 000045
【図４４】
0003203105.tif 000046
【図４５】
0003203105.tif 000047
【図４６】
0003203105.tif 000048
【図４７】
0003203105.tif 000049
【図４８】
0003203105.tif 000050
【図４９】
0003203105.tif 000051
【図５０】
0003203105.tif 000052
【図５１】
0003203105.tif 000053
【図５２】
0003203105.tif 000054
【図５３】
0003203105.tif 000055
【図５４】
0003203105.tif 000056
【図５５】
0003203105.tif 000057
【図５６】
0003203105.tif 000058
【図５７】
0003203105.tif 000059
【図５８】
0003203105.tif 000060
【図５９】
0003203105.tif 000061
【図６０】
0003203105.tif 000062
【図６１】
0003203105.tif 000063
【図６２】
0003203105.tif 000064
【図６３】
0003203105.tif 000065
【図６４】
0003203105.tif 000066
【図６５】
0003203105.tif 000067
【図６６】
0003203105.tif 000068
【図６７】
0003203105.tif 000069
【図６８】
0003203105.tif 000070
【図６９】
0003203105.tif 000071
【図７０】
0003203105.tif 000072
【図７１】
0003203105.tif 000073
【図７２】
0003203105.tif 000074
【図７３】
0003203105.tif 000075
【図７４】
0003203105.tif 000076
【図７５】
0003203105.tif 000077
【図７６】
0003203105.tif 000078
【図７７】
0003203105.tif 000079
【図７８】
0003203105.tif 000080
【図７９】
0003203105.tif 000081
【図８０】
0003203105.tif 000082
【図８１】
0003203105.tif 000083
【図８２】
0003203105.tif 000084
【図８３】
0003203105.tif 000085
【図８４】
0003203105.tif 000086
【図８５】
0003203105.tif 000087
【図８６】
0003203105.tif 000088
【図８７】
0003203105.tif 000089
【図８８】
0003203105.tif 000090
【図８９】
0003203105.tif 000091
【図９０】
0003203105.tif 000092
【図９１】
0003203105.tif 000093
【図９２】
0003203105.tif 000094
【図９３】
0003203105.tif 000095
【図９４】
0003203105.tif 000096
【図９５】
0003203105.tif 000097
【図９６】
0003203105.tif 000098
【図９７】
0003203105.tif 000099
【図９８】
0003203105.tif 000100
【図９９】
0003203105.tif 000101
【図１００】
0003203105.tif 000102
【図１０１】
0003203105.tif 000103
【図１０２】
0003203105.tif 000104
【図１０３】
0003203105.tif 000105
【図１０４】
0003203105.tif 000106
【図１０５】
0003203105.tif 000107
【図１０６】
0003203105.tif 000108
【図１０７】
0003203105.tif 000109
【図１０８】
0003203105.tif 000110
【図１０９】
0003203105.tif 000111
【図１１０】
0003203105.tif 000112
【図１１１】
0003203105.tif 000113
【図１１２】
0003203105.tif 000114
【図１１３】
0003203105.tif 000115
【図１１４】
0003203105.tif 000116
【図１１５】
0003203105.tif 000117
【図１１６】
0003203105.tif 000118
【図１１７】
0003203105.tif 000119
【図１１８】
0003203105.tif 000120
【図１１９】
0003203105.tif 000121
【図１２０】
0003203105.tif 000122
【図１２１】
0003203105.tif 000123
【図１２２】
0003203105.tif 000124
【図１２３】
0003203105.tif 000125
【図１２４】
0003203105.tif 000126
【図１２５】
0003203105.tif 000127
【図１２６】
0003203105.tif 000128
【図１２７】
0003203105.tif 000129
【図１２８】
0003203105.tif 000130
【図１２９】
0003203105.tif 000131
【図１３０】
0003203105.tif 000132
【図１３１】
0003203105.tif 000133
【図１３２】
0003203105.tif 000134
【図１３３】
0003203105.tif 000135
【図１３４】
0003203105.tif 000136
【図１３５】
0003203105.tif 000137
【図１３６】
0003203105.tif 000138
【図１３７】
0003203105.tif 000139
【図１３８】
0003203105.tif 000140
【図１３９】
0003203105.tif 000141
【図１４０】
0003203105.tif 000142
【図１４１】
0003203105.tif 000143
【図１４２】
0003203105.tif 000144
【図１４３】
0003203105.tif 000145
【図１４４】
0003203105.tif 000146
【図１４５】
0003203105.tif 000147
【図１４６】
0003203105.tif 000148
【図１４７】
0003203105.tif 000149
【図１４８】
0003203105.tif 000150
【図１４９】
0003203105.tif 000151
【図１５０】
0003203105.tif 000152
【図１５１】
0003203105.tif 000153
【図１５２】
0003203105.tif 000154
【図１５３】
0003203105.tif 000155
【図１５４】
0003203105.tif 000156
【図１５５】
0003203105.tif 000157
【図１５６】
0003203105.tif 000158
【図１５７】
0003203105.tif 000159
【図１５８】
0003203105.tif 000160
【図１５９】
0003203105.tif 000161
【図１６０】
0003203105.tif 000162
【図１６１】
0003203105.tif 000163
【図１６２】
0003203105.tif 000164
【図１６３】
0003203105.tif 000165
【図１６４】
0003203105.tif 000166
【図１６５】
0003203105.tif 000167
【図１６６】
0003203105.tif 000168
【図１６７】
0003203105.tif 000169
【図１６８】
0003203105.tif 000170
【手続補正書】
【提出日】平成28年1月27日(2016.1.27)
【手続補正１】
【補正対象書類名】明細書
【補正対象項目名】００９６
【補正方法】変更
【補正の内容】
【００９６】
【図１】液晶デスプレイ参考図。
【図２】CRTデスプレイ参考図。
【図３】不正競争防止法著作物介入盗作注意公開作品図面図。
【図４】不正競争防止法著作物介入盗作注意公開作品図面図。
【図５】不正競争防止法著作物介入盗作注意公開作品図面図。
【図６】不正競争防止法著作物介入盗作注意公開作品図面図。
【図７】不正競争防止法著作物介入盗作注意公開作品図面図。
【図８】不正競争防止法著作物介入盗作注意公開作品図面図。
【図９】不正競争防止法著作物介入盗作注意公開作品図面図。
【図１０】不正競争防止法著作物介入盗作注意公開作品図面図。
【図１１】不正競争防止法著作物介入盗作注意公開作品図面図。
【図１２】不正競争防止法著作物介入盗作注意公開作品図面図。
【図１３】不正競争防止法著作物介入盗作注意公開作品図面図。
【図１４】不正競争防止法著作物介入盗作注意公開作品図面図。
【図１５】列車に対して、日本の列車大手と異なるリニアーモーターカー及び通常の地方の民間の市鉄等の今後の、将来の燃料高対策の循環発電機積載の電気列車を作る場合の列車の椅子の倒れ方を現在より、大きく擦る為、椅子を一つ置きずつ３０センチ下げる事で現在より、椅子倒れを大きくしたり出来る構造及び傘の全自動水切り装置としての傘穴に差し込む事によって、エアーで傘の水切りを行う装置及び火災時の床の部分からの洗浄酸素放出装置及びカラー光ラインの避難通路誘導装置及びスクリューエアー列車内ポスト及び身体障害者の全自動位置確認のアンテナイヤホーンの全自動連絡誘導装置他の著作権技術説明図。２０１４年１２月１４日ＡＭ１０時２１分栃木県真岡市で書き始める。
【図１６】商品の包装紙の異なった包装紙説明として、麦藁の乾燥粉入りプラスチック紙及び竹の乾燥粉入りのプラスチック紙及びレントコーンの茎殻の乾燥粉入りプラスチック紙及び木の再生粉をプラスチック紙に被せた再生木材プラスチック紙及び牧草の乾燥粉をプラスチック紙に被せた乾燥牧草プラスチック紙及び亜麻の乾燥粉入りのプラスチック紙などは自然の匂いのプラスチック紙に成り、リサイクル出来る再生紙に成る。
【図１７】食料品の包装箱に対しての説明に成り、素材は竹灰入りプラスチック紙に成り、形状は五角形箱及び六角形箱及び八角形箱及び矢印型箱及び三角型箱及び楕円形箱及び超長の六角形箱及び二辺丸長四角形箱及び十字花形箱及び二連丸型箱等の紐付きプラスチック矢付き食料品の包装箱に成り、紐付きプラスチック矢によって、包装紙を切って空ける構造図。
【図１８】一戸建てハウスの一階から地下室移動及び一階から二階へ移動する階段の上り降りを幾分楽にする為の装置に成り、足場階段が二段目まで電磁石反発作動によって、浮いたり高出力コイル内蔵板の電磁石反発作動力を下げたり、出来る装置に成り、一段目から二段目まで電磁石反発移動階段板で上がり、二段目の電磁石反発板に移動して、三段目の電磁石板まで再び電磁石板で移動して、四段目の電磁石反発板移動の七枚の電磁石移動板をセットした一軒屋の階段説明図。
【図１９】二つの指輪または三つの指輪に体温の瞬間吸収発電シートを内蔵した超小型電波送受信装置を内蔵した超小型マイク内蔵型の掌の指打ち音を受信してスイッチ切り換え出来る指輪装置に成り、両指輪の超小型カメラ内蔵型の指文字を認識するスイッチ指文字スイッチによって家電製品のスイッチ切り換え装置説明に成り、二つの指輪間の距離設定位置のスイッチ装置など指輪の超小型カメラとスピーカーの小型化の時代突入に成る図。
【図２０】食料品の果物箱は、竹灰と乾燥竹粉と乾燥潰竹と糊剤とプラスチック剤の合成竹合板箱を使用した果物箱に成り、リサイクル箱に成る。この他、食料品の乾燥食料品の二段留め竹灰入りプラスチック袋及び三段留め竹灰入りプラスチック袋及び四段留め竹灰入りプラスチック袋及び五段留め竹灰入りプラスチック袋及び六段留め竹灰入りプラスチック袋及び七段留め竹灰入りプラスチック袋及び八段留め竹灰入りプラスチック袋及び九段留め竹灰入りプラスチック袋及び十段留め竹灰入りプラスチック袋の熱溶着式袋の説明図。
【図２１】女性用バック他の衣類の紐及びカーテンの紐スイッチ及びライトの紐スイッチ等のデザイン羽紐装置は、四本から六本の登山網ロープ糸紐に対して、人工羽及び鶏の小羽及びダチョウの小羽及び鴨の小羽及び雉の小羽などを登山網糸ロープに小羽を差し止め擦る為、小羽の羽の反対側の先には糸抜け防止の丸突起構造にして、次々に登山糸網紐に刺し小羽を繰り返して羽紐状にした装置説明に成り、色は様々な色の種類の有る羽紐装置図。
【図２２】新技術ジュース説明として、果物及び野菜及び木の実の飲料水に対して、発酵葫エキスにして匂いに対して、葫を発酵させる事によって、葫の匂いを無くして、葫の栄養分をジュースミックスさせた発酵野菜エキス入りジュースとして、販売権を確保する事で、ジュース素材の果物品種改良より早い為、今後の農業基盤事業の再生及び、農業社会の年間の仕事と雇用を目的とした新味ジュースの開発に成る。この他、葡萄の発酵の場合、葫発酵エキスを入れて再び葡萄発酵させたお酒及びジュースに成り、葫の発酵として、麹発酵時に乾燥葫を入れて同時発酵する手段及びヨーグルト発酵時乾燥葫を入れて同時発酵させる手段に成る。其の他、葡萄の発酵の場合、行者葫発酵エキスを入れて再び葡萄発酵させたお酒及びジュースに成り、行者葫の発酵として、麹発酵時に乾燥行者葫を入れて同時発酵する手段及びヨーグルト発酵時乾燥行者葫を入れて同時発酵させる発酵行者葫エキス入りジュース手段に成る。そして、乾燥ウコンと葡萄の発酵の場合は乾燥ウコン発酵エキスを入れて再び葡萄発酵させたお酒及びジュースに成り、乾燥ウコンの発酵として、麹発酵時に乾燥ウコンを入れて同時発酵する手段及びヨーグルト発酵時乾燥ウコンを入れて同時発酵させる手段に成る。この他、乾燥ウコンと乾燥行者葫と乾燥行者葫と乾燥朝鮮人参と乾燥マカの発酵エキスを入れて再び葡萄発酵させたお酒及びジュースに成り、乾燥ウコンと乾燥行者葫と乾燥行者葫と乾燥朝鮮人参と乾燥マカの発酵エキスとして、麹発酵時に乾燥ウコンと乾燥行者葫と乾燥行者葫と乾燥朝鮮人参と乾燥マカの発酵エキスを入れて同時発酵する手段及びヨーグルト発酵時に乾燥ウコンと乾燥行者葫と乾燥行者葫と乾燥朝鮮人参と乾燥マカの発酵エキスを入れて同時発酵させる手段に成る。これらは、発酵薬種入りジュースに成り、発酵薬種入りお酒は現在市販されて居ない商品に成り、農業及び漁業及び林業の再生事業説明図。
【図２３】半乾燥冷凍食品の説明に成る。従って、乾燥葫粉入り酢味噌漬けの魚と肉商品及び乾燥行者葫粉入り酢味噌漬けの魚と肉商品及び乾燥アーモンド粉入り酢味噌漬けの魚と肉及び乾燥胡桃粉入り酢味噌漬けの魚と肉及び、乾燥銀杏の粉入り酢味噌漬けの魚と肉及び乾燥栗の粉入り魚と肉半乾燥冷凍商品。毛ガニの味噌の朝鮮の内蔵発酵菌で作ったカニ味噌の発酵味噌の半乾燥冷凍食品及び毛ガニの味噌の発酵味噌を通常の合わせ味噌と煉り合わせ味噌の半冷凍食品。この他、毛ガニの味の殻をミキサーに掛けた絞り汁を醤油の発酵に合わせて合成したカニ醤油の半冷凍食品。その他、毛ガニのミキサー絞り汁を酢の発酵と同時に混合発酵させたカニ酢の半冷凍食品説明図。
【図２４】胡桃酢及び行者葫酢は乾燥胡桃の粉に酢の発酵時に同時発酵させた葫酢及び胡桃酢及び行者葫酢に成る。この他、濃い葫酢の作り方として、高出力遠心分離機を使って濃い葫酢と行者葫酢商品。其の外、山ワサビの汁を酢の発酵時に山ワサビエキスを入れて同時発酵させたワサビ酢の商品。そして、セロリの絞り汁を酢の発酵時にセロリの絞り汁を酢の発酵場所で同時発酵させたセロリ酢の商品。この他、ラッキョのエキスを酢の発酵時に入れて同時発酵させたラッキョ酢の商品。
【図２５】葫味噌味味醂たれ付け込みの乾燥魚の燻製商品に成り、二日程付け込んだ葫味噌味味醂たれ付け燻製商品。そして、肉の味付け燻製の説明。従って、肉の中に葫と山ワサビと玉ネギを摩り下ろしたのを入れて綿糸で縫いこむ手法及び竹串で差し込む手法及び鉄串で差し込む手法によって作った肉を燻製風でジックリ燻った燻製肉。其の他、アーモンドの乾燥粉を肉の中に入れてジックリ燻製風で燻ったアーモンド燻製肉。そして、ピーナツの乾燥粉を肉の中に入れてジックリ燻製風で燻ったピーナツ燻製肉。この他、栗の乾燥粉を肉の中に入れてジックリ燻製風で燻った栗燻製肉。其の外、銀杏の乾燥粉を肉の中に入れてジックリ燻製風で燻った銀杏燻製肉。この他、胡桃の乾燥粉を肉の中に入れてジックリ燻製風で燻った胡桃燻製肉の説明図。
【図２６】宇宙に於いて、超小型ロボットロケットが海王星のまだ遠い場所から地球の位置と太陽系の位置を正確にライトカメラ及び超小型天体電波望遠鏡と半永久高出力機械式発電機などの電源を使用して、地球位置を正確に測れる装置の説明図。２０１４年１２月１４日ＡＭ１０時２１分栃木県真岡市で書き始める。
【図２７】落ちない人口衛星の説明に成る。従って、通常は地球軌道上に地球と同じく回転移動するのが、人工衛星に成るが年数を経て、地球に落下する運命が人口衛星に成る。其の為、超小型ロボットの組立て型の人口衛星を地球引力地点より、離れた場所に超小型ロボットの組立て型の人口衛星を地球の周囲十六か所打ち上げて、絶対に落ちない地点の人口衛星に対して、半永久高出力機械式発電機などの電源で、月の影でも他の人工衛星通信によって、３６５日衛星電波の使う事の出来る超小型ロボット人口衛星ロケットの宇宙空間の組み立て型の人口衛星説明図。
【図２８】テレビトラスフォーマーテイションピクトリー名称及び(テレビトラスフォーマーピクトリーテイション)の説明に対して、テレビ画像の部分固有形状画像部分の指定によって、三角形ライン指定の画像形状認識及び、変則四角形ライン指定の画像形状認識及び、五角形ライン指定の画像形状認識及び、六角形ライン指定の画像形状認識及び、七角形ライン指定の画像形状認識及び、八角形ライン指定の画像形状認識及び、九角形ライン指定の画像形状認識及び、十角形ライン指定の画像形状認識及び、十一角形ライン指定の画像形状認識及び、十二角形ライン指定の画像形状認識其々の指定枠を使って、花枠及び動物枠及び機械枠及びキャラクター枠等を使用した画像を専用の多層式磁気ボックスに入出力出来る多機能家電リモコン装置説明図。別途の、他の家電リモコン送受信回路のハンドルキープチェンジパネルは、テレビ本体に対して取り外し取り付け可能な別のデーター回路システムの説明図。
【図２９】最新式画像パネル積載の超高速ウルトラリニアーモーターカー(超高速ウルトラリニアーモータービーチル)の重量貨物運搬用の超高速ウルトラリニアーモーターカー(超高速ウルトラリニアーモータービーチル)の説明に中って、電磁石パネルの磁気力を世界最高レベルに擦る為に、高出力圧電素子磁石体パネルに高出力銅筒管コイル配線を巻いた電磁石の多層連結電磁石体に成り、磁気カバーパネルにプラスチックビニールゴムガラス板内蔵アルミニウム合わせ板パネルの磁力線防御パネル使用の超高速ウルトラリニアーモーターカー(超高速ウルトラリニアーモータービーチル)の重量貨物運搬用の多層連結方式の高出力電磁石説明。
【図３０】テレビトランスフォーマーテイションピクトリー名称及び(テレビトランスフォーマーピクトリーテイション)の説明に対して、テレビの画像形状を認識して、設定データー内に有る花の写真に対して、鳥画像の飛んでいる形状に対して、花全体を鳥に見立てて組み合わせ加工した花の鳥絵図に成り、この他は、文字の形状に合わせて花文字をイメージした画像に直変換出来るなど、テレビの登場主人公に対して、別の花等の加工絵などのキャラクター絵を使った加工画像のテレビビデオなども見る事の出来るテレビシステムの説明図。２０１４年１２月３０日ＡＭ１０時２４分栃木県真岡市中西建設で書き始める。
【図３１】最新式画像パネル積載の砂地を走行する為の新タイヤ装置説明として、高出力２連結以上モーター二個の両サイド二個の四個の高出力２連結以上モーター使用積載のハイブリットダンプ及び重機のタイヤを作動させる為の、複数中抜き鋼鉄歯ミッションと菜種油精製油使用積載のミッション歯車が二本のタイヤを連動作動させる為のタイヤにミッション歯の受けリング体が内蔵された走行装置に成る。従って、ミッション歯のミッション油の温度センサー付きのミッション精製油に成り、動物油と菜種油の合成精製油なども有り、ミッション歯の一部には油切菊筋付きのミッション歯構造のミッションに成る説明図。
【図３２】最新式画像パネル積載の砂鉄入りグラスフアイバーパネルは、砂鉄入りコンクリート及び砂鉄入り強圧縮硝子材を使った磁力線保護と磁気補助接合機能を使用した未来の建築物のイメージ設計の基礎説明に成り、磁力線防止壁など軽水素と酸素の永久発電機システム及び地下ビル基礎保護としての再生プラスチックビニールグラスフアイバー枠の再生ゴム枠及び三重の地下コンクリート枠としての他の地下ビル基礎構造に成るこの場合は、鉄筋の代わりに、水パイプ網基礎燃焼防止の溜めの水循環用パイプによって、リサイクル材の保護に成って入る構造に成る説明図。この他は、ガンマ線放射線入りのビニールプラスチック体を鉛錫アルミニウム合金金属タンク内の先にストレート官及びスクリュー管付きのガンマ線放射線入りタンクに備え付け構造の高出力圧電素子電磁石の少し隙間を空けた連結高出力圧電素子電磁石を複数並べて、アルミニウム枠で固定した磁力線圧で放射線圧をストレート官及びスクリュー管の先からガンマ線線を出す事の出来る装置に成り、別に磁力線と一緒にガンマ線を出す装置として、圧電素子磁気粒子入りガンマ線線入りビニールパネル構造タンクの他に、別の高出力圧電素子電磁石の少し隙間を空けた連結高出力圧電素子電磁石を複数並べた磁力線放射装置が必要視される装置に成る説明図。
【図３３】最新式画像パネル積載のマイナスポリプロビレン軽水素マイナス青静電気イオンボール及びプラス木綿軽水素入りプラス静電気イオンボールにスクリュー静電気及びスクリュー電子電気を内蔵カメラ首振り装置に同時首振り出来る電子放射装置によって、静電気イオンボールの色彩を区別してイオン電気放射注入してイオンボールの電気極イオン化ボールにして、イオンボールを設定ボール並べの同一位置にして、内蔵カメラのＣＣＤカラー色位置認識をした上で暗号キーが解除出来る装置の簡単な構造説明に成る説明図。
【図３４】テレビ画像の映像データーと音声データーを入れる磁気粒子と異なる軽水素入りナイロンプラスイオンとアルミニウム絶縁箔入りのテフロンマイナスイオンのプラスイオンとマイナスイオンの両極のイオン極の有る静電物質は人口に作られたプラス極とマイナス極が一つの静電帯物質のマイクロチップ材に成る。この他として、シリコンダイオード薄膜に軽水素入りレイヨン及び軽水素入り塩化ビニールを貼り付けたプラス極とマイナス極の両極を持ち得たマイクロチップを石灰入り元材の竹灰入りプラスチックビニールの合成無静電極プラスチックビニールつまり、いくら摩擦しても熱発生の物質の説明に成り、無静電テープシート状にプラスとマイナス極の持ち得た静電イオン物質の両極イオン物質マイクロチップ粒子を筋状に詰めてシリコンダイオードシーとカバーを掛けて映像波を流して静電イオン物質に映像波を流して録画録音する装置説明図。２０１５年１月４日ＰＭ１５時０１分栃木県真岡市中西建設で書き始める。
【図３５】超薄型テレビ画像パネル付きのビデオ及びカメラレンズのアクリルガラスレンズの太陽光などが入って、ビデオ及びカメラの高出力ＣＣＤの燃焼防止構造の高出力圧電素子電磁弁になって居る４方向遮断のビデオ及びカメラレンズのアクリルガラスレンズの太陽光全自動遮断装置付きの六角柱カメラレンズ外形構造のスプリングピン四か所付きのカメラレンズをカメラ本体に差し込んで回して四か所のスプリングピン留めする構造に成り、外す場合はスプリングピンに対してボタンを使って奥にスプリングピン格納状態にしてから、レンズを回して取り外す構造の装置に成る。従って、通常カメラ及びガンマ線線内蔵のプラスチックシート内蔵クリスタルガラス筒パネル積載アクリル筒内蔵レンズ積載カメラとアルファ線内蔵のプラスチックシート内蔵クリスタルガラス筒パネル積載アクリル筒内蔵レンズ積載カメラと高出力銅筒管コイル使用積載の電子カメラと通常カメラの四個の小型カメラレンズ積載のカメラ及びモーター放射線切り換えパネル積載の二つレンズ及び三つレンズカメラ装置の他と異なった形状のカメラ説明に成る。
【図３６】超薄型テレビ画像パネルシステム付きのガンマ線イオン磁力線治療器は、アルミニウム鉛錫合金カバー内に複数の高出力圧電素子電磁石体を四列組み込んだ磁力線圧発射装置に対して、ガンマ線線内蔵のプラスチックシート内蔵プラスチックビニール筒パネルを複数使ったガンマ線の度合いを調整出来る高出力モーターガンマ線線内蔵のプラスチックシート内蔵プラスチックビニール筒パネルのガンマ線線量調整装置と高出力電動仕切り弁と軽水素トリチウム電子ガス入りシリコンビニール高出力モーターパネル積載と電磁付属調整装置付きのガンマ線イオン磁力線を収束官付きの間接疲労及びガン治療の為の装置説明。そして、テレビ及びビデオ等の、軽量圧電素子磁気使用の多層式カード及びボックスの軽量圧電素子磁気部分を変えた装置説明として、酸化鉄微粒子とバリウム混合溶液微粒子と酸化鉄微粒子と軽水素トリチウム電子ガス入りビニール粒子入り微粒子と酸化鉄微粒子と液体マグネシウムの混合液を冷却固定した酸化鉄入りマグネシウムを微粒子化した其々の微粒子に対して、高出力圧電素子電磁石体の連結パネルの超高圧力の電磁放射線を、酸化鉄微粒子とバリウム混合溶液微粒子と酸化鉄微粒子と軽水素トリチウム電子ガス入りビニール粒子入り微粒子と酸化鉄微粒子と液体マグネシウムの混合液を冷却固定した酸化鉄入りマグネシウムを微粒子化した其々の微粒子に浴びせる事によって、磁気化した酸化鉄微粒子とバリウム混合溶液微粒子と酸化鉄微粒子と軽水素トリチウム電子ガス入りビニール粒子入り微粒子と酸化鉄微粒子と液体マグネシウムの混合液を冷却固定した酸化鉄入りマグネシウムを微粒子其々の磁気を使用した録画録音装置に成る。２０１５年１月１７日ＡＭ８時２６分栃木県真岡市中西建設で書き始める。
【図３７】画像データーと音声データー記録装置説明に成る。従って、酸化鉄水溶液及び酸化鉄軽水素溶液をビニールプラスチックに入れて糸ラインに音声波及び映像波を通して記録するシステムに対して、竹灰入り窒素入りシート等の冷却絶縁シートとの多層式の酸化鉄水溶液のプラスチックビニール及び酸化鉄水溶液のビニールグラスファイバーシート及び糸ラインの記録体装置に成り、磁気粒子記録体とシリコンダイオード記録体と異なる物質に成り、回路のスイッチ等にも応用の効く録画録音物質装置に成る。
【図３８】テレビのノーマル波とデジタル波の画像認識装置と異なる画像波データーと音声波データーの画像データー表示に対して、被写体外形形状ライン表示認識が画像パネルの左上〜右上に画像ライン書き込みに成り、更に右上二段目から左上二段目の画像ライン書き込みに成り、更に左上三段目から右上三段目の画像ライン書き込みに成り、更に右上四段目の画像ライン書き込みに成り、最後に左上四段目の画像ライン書き込みによって、画像ラインが移され、更に画像ラインの色付けが行われて一つの一コマの画像表示説明が動画説明へ続くテレビの画像表示説明に成る。
【図３９】テレビ画像の表示の順番を説明した図に成り、基本のＡ図は、Ｂ図そしてＣ図そしてＤ図そしてＥ図そしてＦ図そしてＧ図そしてＨ図そしてＩ図そしてＪ図そしてＫ図そしてＬ図そしてＭ図そしてＮ図そしてＯ図そしてＰ図そしてＱ図へ高速画像波移動表示する画像の一コマ画像説明に成る。２０１５年１月２３日ＡＭ９時１２分栃木県真岡市で書き始める。
【図４０】多層式磁気ツースボックス概略デザインの説明図と多層式磁気ツースボックスの出し入れ擦る為の概略構造と家電業界に無かった画像装置の弱エアーを使った多層式磁気ツースボックスの出し入れ説明と多層式磁気ツースボックスの風を送る為の水車羽改造型の変形羽に対して、超軽量発電レールモーター風送りフアンの竹灰入りプラスチック軽量装置付きの概略説明図に成る。
【図４１】多層式磁気ツースボックス概略デザインの説明図と多層式磁気ツースボックスの出し入れ擦る為の概略構造と家電業界に無かった画像装置の弱エアーを使った多層式磁気ツースボックスの出し入れ説明と多層式磁気ツースボックスを固定する多層式磁気ツースボックスの両サイドの留め穴部分に高出力電磁石ピンを作動させる高出力インバータ装置付きのピン構造は、アルミニウム芯入りステレス鋼の電磁石ピン装置に成り、衝撃吸収用のビニールゴム材使用の円形吸盤型ビニールゴム突起の中央部に円柱ビニールゴム突起と十字ラインビニールゴム突起と異形ビニールゴムブロック突起の衝撃吸収装置説明図。２０１５年８月２７日ＰＭ１４時１５分美馬牛自宅で久しぶりに追加書きを始めるニャンカンキチ木白子。
【図４２】本発明考案の画像パネル応用及び使用の、パソコンの送受信相手のデーターチェック書き込み説明参考図。
【図４３】本発明考案の画像パネル応用及び使用の、ノンストップ回路の説明参考図。
【図４４】本発明考案の画像パネル応用及び使用の、農業土壌改良状態を確認擦る為の画像パネル参考図。
【図４５】本発明考案の画像パネル応用及び使用の、自動車の超小型カメラ付キーの鍵穴のデサイン情報の携帯電話全自動連絡と携帯電話の画像パネル確認参考図。
【図４６】本発明考案の画像パネル応用及び使用の、電気に対してプラス電気をマイナス電気に変える技術とマイナス電気をプラス電気に変える説明文章参考図。
【図４７】本発明考案の画像パネル応用及び使用の、ロボットマイクの五個の方向集音マイクを使った音発生位置の全自動ロボットカメラの映像パネルを使った音発生原因の全自動確認装置の参考図。
【図４８】本発明考案の画像パネル応用及び使用の、本考案の画像パネルを使った超長竹灰入りセラミック筒官スクリュー温風シールドバリアを使った四種類の粘土色と筋絵堀の白ライン絵を確認擦る為の、カメラ画像を写し出す装置の参考図。２０１５年９月６日ＰＭ２１時美馬牛自宅で久振りに書き始めるカンキチ。
【図４９】本発明考案の画像パネル応用及び使用の、本考案の画像パネルを使った建設機械のバックホーの畑作地の縦抜き暗渠排水に対する７連結以上モーター掘削機に使用積載擦る縦暗渠掘削機械の撮影用カメラ画像参考図。
【図５０】本発明考案の画像パネル応用及び使用の、本考案の画像パネルを使った高出力モーターカメラの、加工金属磁石を使った電磁石に成り、軽水素トリチウム電子ガス入り圧電素子磁石体シートと、複数穴空きネオジウム金属を交互に貼り合わせた加工磁石に高出力銅筒官コイルを巻いた電磁石使用のモーターカメラ参考図。
【図５１】本発明考案の画像パネル応用及び使用の、ロボットマイクの五個の方向集音マイクを使った音発生位置の全自動ロボットカメラの映像パネルを使った音発生原因の全自動確認装置の参考図。
【図５２】本発明考案の画像パネル応用及び使用の、本考案の高出力モーターカメラ積載のロボット家電の高出力六角形状コイル無２乗インバータレールモーター積載の画像パネル参考図。
【図５３】本発明考案の画像パネル応用及び使用の、弱アルファ入りプルトニウム軽水素圧電素子磁石体粒子入りシリコン熱瞬間吸収発電体などの熱発電パネル積載の画像パネル参考図。２０１５年９月６日ＰＭ２１時４９分美馬牛自宅でペンを置くカンキチ。
【図５４】本発明考案の画像パネル応用及び使用の、高出力軽水素トリチウム電子ガス入りシリコン圧電素子磁石体粒子混合合成配線と高出力軽水素トリチウム電子ガス入りダイオード圧電素子磁石体粒子混合合成配線を使用した画像装置と高出力軽水素トリチウム電子ガス入りシリコンダイオード圧電素子磁石体粒子入りの、弱アルファ放射線混合のシリコンダイオード圧電素子磁石体粒子合成スイッチの参考図。
【図５５】本発明考案の画像パネル応用及び使用の、高出力六角形状圧電素子発電回路の中に弱アルファヘアピン配線を入れた高出力六角形状圧電素子発電回路を使用した画像パネル参考図。
【図５６】本発明考案の画像パネル応用及び使用の、ネオジム磁石シリコンに対して、中央は軽水素マグネシウム入りシリコン構造に成り、次にプルトニウムマグネシウム入りシリコンそして、通常シリコンの三層リングシリコン構造に対して、ネオジム銅合金配線を取り付けたネオジム磁石シリコンスイッチ及び高出力圧電素子を使った発電回路使用積載の画像パネル参考図。２０１５年９月１３日ＰＭ２１時美馬牛自宅で久振りに書き始めるカンキチ。
【図５７】本発明考案の画像パネル応用及び使用の、内外冷却風車型高出力六角形状発電回路型２乗回転式コイル無レールモーター使用のＣＤ積載使用の画像パネル文書参考図。
【図５８】本発明考案の画像パネル応用及び使用の、パソコン等の固体充電池の寿命後の、使用手段を説明した画像パネル文書参考図。２０１５年９月６日ＰＭ２１時３７分美馬牛自宅でペンを置くカンキチ。
【図５９】本発明考案の画像パネル応用及び使用の、新技術回路は、シリコンダイオードの時間使用劣化寿命を長く擦る為の改良型のシリコンダイオード回路スイッチ素子に成り、マイクロ水銀を圧電素子磁石体粒子入りシリコンスイッチ回路の中央部にマイクロ超微粒子水銀を内蔵させて、囲む様に圧電素子磁石体粒子入りの弱アルファ放射線一粒粒子入りのシリコンシートで囲んで一番外側に圧電素子磁石体粒子入りシリコンダイオードシートで囲んだ回路スイッチ及びコイル無モーターの特殊圧電素子パネルの北海道知事宛てへの著作権特許技術考案の参考ハガキ文書図。
【図６０】本発明考案の画像パネル応用及び使用の、新技術回路は、スイッチ回路中央に弱アルファ線一粒粒子内蔵タイプとスイッチ回路中央に弱ガンマ線一粒粒子内蔵タイプと酸素入り液体マグネシウム圧電素子磁石体タイプとスイッチ回路中央に弱ガンマ線一粒粒子内蔵タイプとスイッチ回路中央に弱ベータ線一粒粒子内蔵タイプと圧電素子磁石体のガラス粒子及びプラスチックガラス粒子に代わる超硬琥珀入りガラス粒子内蔵圧電素子磁石体及びスイッチ回路中央に弱中性子一粒粒子内蔵タイプに対して、冷却窒素ライン入り圧電素子磁石体粒子カバーを掛けた特別の圧電素子磁石体回路説明参考ハガキ文書図。２０１５年１１月１日ＰＭ１７時２４分南相馬市でペンを置く。２０１５年１１月１５日ＰＭ１５時１５分南相馬市で書き始める。
【図６１】本発明考案の画像パネル応用及び使用の、特殊充電池として、プラス極充電池体と丸ごと別個体充電池として、切り離したマイナス極充電池体の内部構造として、塩化窒素酸化マグネシウム方極充電池電気貯蓄体構造とした軽水素ガス主成分と別に酸素ガス主成分のプラス方極充電池とマイナス方極充電池の温度認識センサーシート回路積載の圧電素子粒子入りシリコンマグネシウム熱瞬間吸収発電シート入りのプラス方極充電池とマイナス方極充電池の簡単な構造説明参考ハガキ文書図。２０１５年１１月１６日ＰＭ２１時１０分南相馬市で書き始める。
【図６２】本発明考案の画像パネル応用及び使用の、高出力発電回路の軽水素劣化防護体の構造説明参考ハガキ文書図。
【図６３】本発明考案の画像パネル応用及び使用の、高出力六角形状発電コイル無インバータレールモーターの構造説明参考ハガキ文書図。
【図６４】本発明考案の画像パネル応用及び使用の、ネオジム酸水つまり磁気金属溶解水液入りのダイオードパネル又はＣＣＤシリコンダイオードの構造説明参考ハガキ文書図。２０１５年１１月１６日ＰＭ２１時３２分南相馬市でペンを置く。２０１５年１１月１８日ＡＭ５時５２分南相馬市で書き始める。
【図６５】本発明考案の画像パネル応用及び使用の、合成プラス静電イオンと合成マイナス静電イオン物質スクリュー筒管配線と高出力六角形状発電回路を使った増幅発電装置の構造説明参考ハガキ文書図。
【図６６】本発明考案の画像パネル応用及び使用の、陽電子陰電子スパーク静電細胞活性化装置使用の弱アルファ磁気波治療と弱ガンマ磁気波治療のＤＮＡ遺伝子顕微鏡全自動コンピュータカメラ観察治療の構造説明参考ハガキ文書図。
【図６７】本発明考案の画像パネル応用及び使用の、軽水素入りフッ化カルシウム軽量圧電素子磁石体粒子入りネオンガス入りシリコンビニールダイオード光反応発光体反射板付カメラの構造説明参考ハガキ文書図。
【図６８】本発明考案の画像パネル応用及び使用の、アルゴンプルトニウム窒素合成蛍光ライトガスとネオンプルトニウムリン窒素合成蛍光ライトガス説明とネオンリン硝酸化プルトニウム内蔵鉛ビニールダイオードカバー回路素子等の構造説明参考ハガキ文書図。
【図６９】本発明考案の画像パネル応用及び使用の、バックに対して、牛皮及び羊皮及び豚皮に対して、ビニールアルコール液に浸して、皮の鞣し固定と色染めと部分色染めと複数柄絵染めとプラチナ箔染めとゴールド箔の部分染めと皮の部分掘り下げ絵柄のプラチナ箔染めとゴールド箔染めを使ったニャンワン財団マークの構造説明参考ハガキ文書図。
【図７０】本発明考案の画像パネル応用及び使用の、エアー電磁石モーター補助ホイストの構造説明参考ハガキ文書図。
【図７１】本発明考案の画像パネル応用及び使用の、高出力発電レールモーター電磁誘導ダイナモ内蔵型電動仕切り弁型エアー取り込み装置の構造説明参考ハガキ文書図。
【図７２】本発明考案の画像パネル応用及び使用の、五連磁気圧力型高出力レールモーターエアーホイストの構造説明参考ハガキ文書図。
【図７３】本発明考案の画像パネル応用及び使用の、五連磁気圧力型高出力レールモーターエアーホイストの補助ホイストの構造説明参考ハガキ文書図。
【図７４】本発明考案の画像パネル応用及び使用の、部分四重光反射ガラス使用のガイガーミューラー放射線感知ガラスの構造説明参考ハガキ文書図。
【図７５】本発明考案の画像パネル応用及び使用の、額縁用の多層式シート内蔵型のアクリルガラスの構造説明参考ハガキ文書図。
【図７６】本発明考案の画像パネル応用及び使用の、レアーアース水入りガラスと銅水入りガラスなどの低い温度で曲がるガラスの構造説明参考ハガキ文書図。
【図７７】本発明考案の画像パネル応用及び使用の、光反射用の二枚合わせガラスの中にアクリルシートを入れた部分光透過ガラスの構造説明参考ハガキ文書図。
【図７８】本発明考案の画像パネル応用及び使用の、放射能線を全自動観測出来る高出力山岳電気ヘリコプターの放射能観測用のガイガーミューラー放射線感知ガラスの構造説明参考ハガキ文書図。
【図７９】本発明考案の画像パネル応用及び使用の、テレビカメラの画像電波の送信の有り方の構造説明参考ハガキ文書図。
【図８０】本発明考案の画像パネル応用及び使用の、超微粒子アルファ放射線粒の構造説明参考ハガキ文書図。
【図８１】本発明考案の画像パネル応用及び使用の、改良型高出力圧電素子磁石体の構造説明参考ハガキ文書図。
【図８２】本発明考案の画像パネル応用及び使用の、電気自動車の電気速度を速く擦る為の構造説明参考ハガキ文書図。
【図８３】本発明考案の画像パネル応用及び使用の、家電製品の増幅発電パネルの構造説明参考ハガキ文書図。
【図８４】本発明考案の画像パネル応用及び使用の、高出力発電六角形状圧電素子連結型発電回路と高出力発電六角形状連結コイル無レールモーターの構造説明参考ハガキ文書図。
【図８５】本発明考案の画像パネル応用及び使用の、軽水素ガス及び薄荷入りビタミンＡ多層六角錠及び軽水素ガス及び薄荷入りビタミンＢ多層六角錠及び軽水素ガス及び薄荷入りビタミンＣ多層六角錠及び軽水素ガス及び薄荷入りビタミンＤ多層六角錠及び軽水素ガス及び薄荷入りビタミンＥ多層六角錠の品種改良の薬剤の構造説明参考ハガキ文書図。
【図８６】本発明考案の画像パネル応用及び使用の、竹灰入りグラスファイバーパネル型Ｗ固定ハウスの構造説明参考ハガキ文書図。
【図８７】本発明考案の画像パネル応用及び使用の、弱ガンマ放射線粒水の薬草品種改良の有り方説明の構造説明参考ハガキ文書図。
【図８８】本発明考案の画像パネル応用及び使用の、代替え石炭軽量竹灰入りセラミック溶鉱炉の構造説明参考ハガキ文書図。
【図８９】本発明考案の画像パネル応用及び使用の、代替え石炭軽量竹灰入りセラミック溶鉱炉の構造説明参考ハガキ文書図。
【図９０】本発明考案の画像パネル応用及び使用の、電気製品の熱を上げないパソコンデザインの構造説明の構造説明参考ハガキ文書図。
【図９１】本発明考案の画像パネル応用及び使用の、避雷針の構造説明参考ハガキ文書図。
【図９２】本発明考案の画像パネル応用及び使用の、ロボット家電の骨組みの構造説明参考ハガキ文書図。
【図９３】本発明考案の画像パネル応用及び使用の、磁力線増幅電気説明の構造説明参考ハガキ文書図。
【図９４】本発明考案の画像パネル応用及び使用の、多層三重構造のカラー回路チップの構造説明参考ハガキ文書図。
【図９５】本発明考案の画像パネル応用及び使用の、電気熱注油グリス方式の構造説明参考ハガキ文書図。
【図９６】本発明考案の画像パネル応用及び使用の、発光透過光ガラスと複数カラー光ライン装置の色ガラスの構造説明参考ハガキ文書図。
【図９７】本発明考案の画像パネル応用及び使用の、月に金属が有った場合に出来る月の人工太陽望遠ライト装置の構造説明参考ハガキ文書図。
【図９８】本発明考案の画像パネル応用及び使用の、電気スパーク熱暖房装置の構造説明参考ハガキ文書図。
【図９９】本発明考案の画像パネル応用及び使用の、真空装置又は高出力真空装置を使った熱風装置の構造説明参考ハガキ文書図。
【図１００】本発明考案の画像パネル応用及び使用の、風呂浴槽の全自動掃除機の構造説明参考ハガキ文書図。
【図１０１】本発明考案の画像パネル応用及び使用の、軽水素マグネシウム水貯蓄充電池の構造説明参考ハガキ文書図。
【図１０２】本発明考案の画像パネル応用及び使用の、外型洗濯装置の構造説明参考ハガキ文書図。
【図１０３】本発明考案の画像パネル応用及び使用の、軽水素入りフッ化カルシウム発光パネルライトの構造説明参考ハガキ文書図。
【図１０４】本発明考案の画像パネル応用及び使用の、二重発光ライトの構造説明参考ハガキ文書図。
【図１０５】本発明考案の画像パネル応用及び使用の、ロボット天井マイクの構造説明参考ハガキ文書図。
【図１０６】本発明考案の画像パネル応用及び使用の、冬用の電熱型ネックレス及びブレスレットの発光真珠の構造説明参考ハガキ文書図。
【図１０７】本発明考案の画像パネル応用及び使用の、未来的別世界下着シミーズ其の他の構造説明参考ハガキ文書図。
【図１０８】本発明考案の画像パネル応用及び使用の、異なったコンデンサーの構造説明参考ハガキ文書図。
【図１０９】本発明考案の画像パネル応用及び使用の、全自動ロボットカラーライトラインキャッチ位置認識装置の構造説明参考ハガキ文書図。
【図１１０】本発明考案の画像パネル応用及び使用の、カラー光ライン装置の違うタイプの構造説明参考ハガキ文書図。
【図１１１】本発明考案の画像パネル応用及び使用の、電熱線ガラスの車ガラスに於いて、アルゴンガスラインガラスに電気を通して冷気を融かす装置の構造説明参考ハガキ文書図。
【図１１２】本発明考案の画像パネル応用及び使用の、コンプレッサーの音消し装置の構造説明参考ハガキ文書図。
【図１１３】本発明考案の画像パネル応用及び使用の、軽水素トリチウム電子ガス入りフッ化カルシウムリン発光物質とプラスチックシリコンビニール接着型溶液の説明の構造説明参考ハガキ文書図。
【図１１４】本発明考案の画像パネル応用及び使用の、ロボット家電の四種類電波の構造説明参考ハガキ文書図。
【図１１５】本発明考案の画像パネル応用及び使用の、全自動ロボット家電の位置出し説明と全自動トラクターの位置出し装置の構造説明参考ハガキ文書図。
【図１１６】本発明考案の画像パネル応用及び使用の、全自動ロボット家電給水口の構造説明参考ハガキ文書図。
【図１１７】本発明考案の画像パネル応用及び使用の、異なった高出力発電回路の構造説明参考ハガキ文書図。
【図１１８】本発明考案の画像パネル応用及び使用の、エイズ等の薬の有り方の構造説明参考ハガキ文書図。
【図１１９】本発明考案の画像パネル応用及び使用の、半自動ペンキ塗り装置の構造説明参考ハガキ文書図。
【図１２０】本発明考案の画像パネル応用及び使用の、ペンキ塗り装置の構造説明参考ハガキ文書図。
【図１２１】本発明考案の画像パネル応用及び使用の、光電気Ｗ送電型スイッチとペーパーライト型スイッチの構造説明参考ハガキ文書図。
【図１２２】本発明考案の画像パネル応用及び使用の、放射線スイッチ回路の有り方の構造説明参考ハガキ文書図。
【図１２３】本発明考案の画像パネル応用及び使用の、男性用穴あきパンツの構造説明参考ハガキ文書図。
【図１２４】本発明考案の画像パネル応用及び使用の、電気鍋の外側三重構造装置の構造説明参考ハガキ文書図。
【図１２５】本発明考案の画像パネル応用及び使用の、全自動ロボットの高出力モーターワイヤハンガ装置の構造説明参考ハガキ文書図。
【図１２６】本発明考案の画像パネル応用及び使用の、黒色二酸化炭素水素ガスと黒色炭素軽水素ガス使用の磁力線空間に於いての太陽光熱吸収発電装置の構造説明参考ハガキ文書図。
【図１２７】本発明考案の画像パネル応用及び使用の、衣類収納庫開閉装置の構造説明参考ハガキ文書図。
【図１２８】本発明考案の画像パネル応用及び使用の、弱放射線ダブルCCDカメラパネルの構造説明参考ハガキ文書図。
【図１２９】本発明考案の画像パネル応用及び使用の、横長魚眼合わせ突レンズの構造説明参考ハガキ文書図。
【図１３０】本発明考案の画像パネル応用及び使用の、窒素シリコン溶液入り三重チューブのロボット家電タイヤの構造説明参考ハガキ文書図。
【図１３１】本発明考案の画像パネル応用及び使用の、ロボット家電六足走行の略図の構造説明参考ハガキ文書図。
【図１３２】本発明考案の画像パネル応用及び使用の、人工二層電気抵抗ゼロ電気の構造説明参考ハガキ文書図。
【図１３３】本発明考案の画像パネル応用及び使用の、高速高出力六角形状発電電気回路パネルの構造説明参考ハガキ文書図。
【図１３４】本発明考案の画像パネル応用及び使用の、放電指せない磁力線圧力電気スイッチの構造説明参考ハガキ文書図。
【図１３５】本発明考案の画像パネル応用及び使用の、新しい細胞活性化装置の構造説明参考ハガキ文書図。
【図１３６】本発明考案の画像パネル応用及び使用の、電気製品カバー及びロボット家電カバー体に取り付ける高出力六角形状圧電素子発電回路連結装置の構造説明参考ハガキ文書図。
【図１３７】本発明考案の画像パネル応用及び使用の、弱ガンマ線粒入り高出力六角形状圧電素子発電回路連結装置の構造説明参考ハガキ文書図。
【図１３８】本発明考案の画像パネル応用及び使用の、ロボットロケットのマイナス一〇〇〇度以上に対応した電気スイッチの構造説明参考ハガキ文書図。
【図１３９】本発明考案の画像パネル応用及び使用の、マグネトロン電子を磁力線カラーライト光電磁路に対して、互いの引き合う電気磁石力線に依って、磁力線電気を送電擦るシステムを使ったロボット家電調理器具の構造説明参考ハガキ文書図。
【図１４０】本発明考案の画像パネル応用及び使用の、軽水素ニッケルＷ充電池の構造説明参考ハガキ文書図。
【図１４１】本発明考案の画像パネル応用及び使用の、全自動ロボットの筋肉部分の構造説明参考ハガキ文書図。
【図１４２】本発明考案の画像パネル応用及び使用の、二通りの赤外線パネルの構造説明参考ハガキ文書図。
【図１４３】本発明考案の画像パネル応用及び使用の、高出力発電六角形状連結レールモーターの中コイル軸移動型の高出力六角形状発電回路利用のロボット家電の発電システムの構造説明参考ハガキ文書図。
【図１４４】本発明考案の画像パネル応用及び使用の、デジタルカメラの光度認識スイッチを新しく変えた技術の構造説明参考ハガキ文書図。
【図１４５】本発明考案の画像パネル応用及び使用の、デジタルカメラ及びノーマルカメラ及び電気抵抗ゼロデジタルカメラ及び電気抵抗ゼロノーマルカメラのペンタモータープリズムの説明とペンタプリズムの構造説明参考ハガキ文書図。
【図１４６】本発明考案の画像パネル応用及び使用の、冷暖房風移動型室内床天井壁送風移動風冷暖房掃除機の構造説明参考ハガキ文書図。
【図１４７】本発明考案の画像パネル応用及び使用の、高出力モーター電磁石板の構造説明参考ハガキ文書図。
【図１４８】本発明考案の画像パネル応用及び使用の、キセノン発光ガス入りの高出力ソーラーパネルの軽水素トリチウム電子キセノン合成ガス入りの圧電素子磁石体粒子入りシリコンソーラーパネルの微量増幅発電パネル及び高出力六角形状圧電素子発電回路連結型の高出力六角形状連結発電回路型パネル内蔵型の電気増幅発電型ソーラーパネルの構造説明参考ハガキ文書図。
【図１４９】本発明考案の画像パネル応用及び使用の、高出力圧電素子六角形状発電回路内蔵型高出力太陽光ソーラーパネル及び体温吸収発電型の高出力熱瞬間吸収発電パネルに高出力圧電素子六角形状発電回路内蔵の構造説明参考ハガキ文書図。
【図１５０】本発明考案の画像パネル応用及び使用の、発光物質リング入りレンズカバー装置の構造説明参考ハガキ文書図。
【図１５１】本発明考案の画像パネル応用及び使用の、固形冷却粉末物質の構造説明参考ハガキ文書図。
【図１５２】本発明考案の画像パネル応用及び使用の、宇宙ロボット家電高出力電波望遠鏡カバーの構造説明参考ハガキ文書図。
【図１５３】本発明考案の画像パネル応用及び使用の、レアーアース溶解水入りナイロン糸の構造説明参考ハガキ文書図。
【図１５４】本発明考案の画像パネル応用及び使用の、プルトニウムアルミニウムレアーアース金属水入りテトロン糸シートパネルの構造説明参考ハガキ文書図。
【図１５５】本発明考案の画像パネル応用及び使用の、熱発電発光レーザーの構造説明参考ハガキ文書図。
【図１５６】本発明考案の画像パネル応用及び使用の、発光光子ビーム装置の構造説明参考ハガキ文書図。
【図１５７】本発明考案の画像パネル応用及び使用の、モーター電磁石洗浄装置の食器洗い乾燥機天井電波発信装置の構造説明参考ハガキ文書図。
【図１５８】本発明考案の画像パネル応用及び使用の、高出力超高圧力コンプレッサーの構造説明参考ハガキ文書図。
【図１５９】本発明考案の画像パネル応用及び使用の、マイナス１０００度の世界に於いての海水の有り方の構造説明参考ハガキ文書図。
【図１６０】本発明考案の画像パネル応用及び使用の、モーター電磁石洗浄装置の食器洗い乾燥機天井電波発信装置の構造説明参考ハガキ文書図。
【図１６１】本発明考案の画像パネル応用及び使用の、スクリューモーター水のスクリュー水打たせ洗濯モードの構造説明参考ハガキ文書図。
【図１６２】本発明考案の画像パネル応用及び使用の、通常と異なるインターネットテレビ電話の構造説明参考ハガキ文書図。
【図１６３】本発明考案の画像パネル応用及び使用の、海底マグネシウムの採取方法の構造説明参考ハガキ文書図。
【図１６４】本発明考案の画像パネル応用及び使用の、タッチ画像パネルの別の形状装置の構造説明参考ハガキ文書図。
【図１６５】本発明考案の画像パネル応用及び使用の、軽水素弱アルファ放射線入り陽電子陰電子スパーク発電機の構造説明参考ハガキ文書図。
【図１６６】本発明考案の画像パネル応用及び使用の、連結型高出力六角形状圧電素子発電回路の構造説明参考図。
【図１６７】本発明考案の画像パネル応用及び使用の、連結型高出力六角形状圧電素子発電回路の構造説明参考図。
【図１６８】本発明考案の画像パネル応用及び使用の、最新型のカーナビゲイションの補助装置の構造説明参考図。
【図１６９】本発明考案の画像パネルのテレビパネル部分の構造説明参考図。
【図１７０】本発明考案の画像パネルのテレビパネル部分の構造説明参考図。
【手続補正２】
【補正対象書類名】明細書
【補正対象項目名】０２６５
【補正方法】変更
【補正の内容】
【０２６５】
１    古くから有る通常液晶デスプレイ画像装置
２    偏光板
３    硝子基板
４    カラーフィル
５    配向膜
６    液晶層
７    バックライト
８     液晶テレビ参考図
９    特許権切れ著作権契約行使低価格公開作品
１０   ＣＲＴデスプレイ参考図
１１   ブラウン管面
１２   マスク部分
１３   チューブアルゴンガス入り
１４   電子ビーム
１５   電子銃
１６   偏光ヨーク
１７   著作物北海道庁知事宛への提出の文書図面の著作物年月日証明の先発明著作物技術の優先著作権利主張作品
１８   クリスタル硝子パネル
１９  アルゴンガス入り液晶パネル
２０   デジタル映像波走査線シートパネル
２１   映像回路燃焼防止窒素ガス入りビニール粒子入りグラスフアイバービニールシートパネル
２２   竹灰入り窒素ガス内蔵ビニール粒子入りプラスチックパネル
２３    映像回路プラス配線
２４   映像回路マイナス配線
２５   テレビ画像新作液晶パネル
２６   半クリスタル硝子パネル
２７    アルゴンガス入りプラスチックパネル
２８    デジタル映像波走査線シートパネル
２９    映像回路燃焼防止窒素ガス入りビニール粒子入りグラスフアイバービニールシートパネル
３０    竹灰入り窒素ガス内蔵ビニール粒子入りプラスチックビニールパネル
３１    半プラスチック硝子パネル
３２    アルゴンガス入りビニールパネル
３３    デジタル映像波走査回路シートパネル
３４   映像回路燃焼防止窒素ガス入りビニールプラスチック粒子入りグラスフアイバー
３５    竹灰入り窒素ガス内蔵ビニール粒子入りプラスチックパネル
３６   半プラスチッククリスタル硝子パネル
３７    アルゴンガス入りプラスチックビニールパネル
３８    デジタル映像波走査回路配線竹灰入りグラスフアイバーシートパネル（ノーマル映像波走査回路配線竹灰入りグラスフアイバーシートパネル有り）
３９    映像回路燃焼防止窒素ガス入りビニールナイロン粒子入りグラスフアイバービニールシートパネル
４０    雑草灰入り窒素内蔵ビニール粒子入りプラスチックパネル
４１    プラスチックシート入り２枚合わせ硝子パネル
４２    アルゴンガス入りプラスチックグラスフアイバーパネル
４３     デジタル映像波走査回路配線雑草灰入りグラスフアイバーシートパネル（ノーマル映像波走査回路配線竹灰入りグラスフアイバーシートパネル有り）
４４    映像回路燃焼防止窒素ガス入りビニールテトロン粒子入りグラスフアイバービニールシートパネル
４５    木材灰入り窒素内蔵ビニール粒子入りグラスフアイバーシートパネル
４６    強圧縮プラスチック入り半強化硝子
４７    アルゴンガス入りプラスチックナイロン入りグラスフアイバーパネル
４８     デジタル映像波走査回路配線生ゴミ灰入りグラスフアイバーシートパネル（ノーマル映像波走査回路配線竹灰入りグラスフアイバーシートパネル有り）
４９     映像回路燃焼防止窒素ガス入りビニールポリエステル粒子入り竹灰内蔵グラスフアイバービニールシートパネル
５０     稲藁灰入り窒素内蔵ビニール粒子入りグラスフアイバーシートパネル
５１     不正競争防止法著作物介入盗作注意公開作品
５２     二枚合わせ硝子発電シリコンプラスチックシート入り硝子
５３     アルゴンネオンガス入りシリコン入りグラスフアイバーパネル
５４     デジタル映像波走査回路配線麦藁灰入りグラスフアイバーシートパネル(ノーマル映像波走査回路配線竹灰入りグラスフアイバーシートパネル有り)
５５     映像回路燃焼防止窒素ガス入りシリコンビニール粒子入り麦藁灰内蔵グラスフアイバービニールシートパネル
５６    麦藁灰入り窒素内蔵ビニール粒子入りグラスフアイバーシートパネル
５７     二枚合わせ硝子
５８     発電シリコンプラスチックシート入り硝子
５９     二枚合わせ硝子冷却窒素ガス入りプラスチックシート入り硝子
６０      アルゴンネオン軽水素混合ガス入りシリコングラスフアイバーパネル
６１      デジタル映像波走査回路配線牧草灰入りグラスフアイバーシートパネル(ノーマル映像波走査回路配線竹灰入りグラスフアイバーシートパネル有り)
６２     映像回路燃焼防止窒素ガス入りダイオードビニール粒子入り牧草灰内蔵グラスフアイバービニールシートパネル
６３      牧草灰入り窒素内蔵ダイオード粒子入りグラスフアイバーシートパネル
６４      冷却窒素ガス入りプラスチックシート
６５      光反射防止シート入り発電シート
６６     二枚合わせ硝子部分光反射防止プラスチックビニールライン入りプラスチック発電シート入り硝子
６７      アルゴン軽水素混合ガス入りシリコングラスフアイバーパネル
６８      デジタル映像波走査回路配線トーキビ茎葉灰入りグラスフアイバービニールシートパネル
６９      映像回路燃焼防止窒素ガス入りシリコンダイオードビニール粒子入りトーキビ灰内蔵グラスフアイバービニールシートパネル
７０      トーキビ茎葉灰入り内蔵グラスフアイバービニールシートパネル
７１      電気温度感知型の軽水素トリチウム電子ガス入り圧電素子磁石体粒子内蔵シリコン発電シート
７２      二枚合わせ硝子内入れ型軽水素トリチウム電子ガス入りシリコン入り圧電素子磁石体粒子ライン発電電気温度感知型発電シート部分配線入り硝子
７３      アルゴン窒素混合ガス入りシリコングラスフアイバーパネル
７４      デジタル映像波走査回路配線菜種茎葉灰入り内蔵グラスフアイバービニールシートパネル
７５      映像回路燃焼防止窒素ガス入りシリコン液晶ビニール菜種茎葉灰入り内蔵グラスフアイバービニールシートパネル
７６     菜種茎葉灰入り内蔵グラスフアイバービニールシートパネル
７７      窒素ガス入りプラスチック粒子入りプラスチック冷却シート貼り付け型硝子パネル
７８      充電池素子入りグラスフアイバーシート
７９      デジタル映像波走査回路配線窒素ガス入りビニール粒子内蔵グラスフアイバー燃焼防止シート
８０      映像回路燃焼防止窒素ガス入りビニール蕎麦茎葉灰入りプラスチックシートパネル
８１      プラスチック強化硝子プラスチックシート貼り手段のガラス基板
８２       水素入りニッケル微粒子入り炭素シリコンアルゴンガス入りビニールシート
８３       窒素ガス入りビニール粒子内蔵グラスフアイバー燃焼防止シート
８４      映像回路燃焼防止窒素ガス入りビニールレントコーン茎葉灰入り内蔵プラスチックシートパネル
８５      アクリル内蔵筒強圧縮鉛入りガラス
８６     Ａ図
８７     Ｂ図
８８     Ｃ図
８９     Ｄ図
９０     Ｅ図
９１     Ｆ図
９２     Ｇ図
９３     Ｈ図
９４     Ｉ図
９５     Ｊ図
９６     Ｋ図
９７     Ｌ図
９８     Ｍ図
９９     Ｎ図
１００   Ｏ図
１０１   Ｐ図
１０２   Ｑ図
１０３   テレビの画像の被写体の輪郭形状及び色彩形状の読み込みシステムが先に成ってから二番目に色彩認識が始まるテレビの画像形状認識装置
１０４   連結型高出力六角形状圧電素子発電回路
１０５   通常プラス電気
１０６   通常マイナス電気
１０７   通常圧電素子磁石部分
１０８   軽水素トリチウム電子ガス入り圧電素子磁石体
１０９   増幅電気
１１０   内蔵型軽水素トリチウム電子ガス入り圧電素子磁石体
１１１   軽水素入り六角形状圧電素子磁石体
２０１５年１２月３０日ＰＭ２２時福島県飯坂温泉で日本テレビの三度目の特許切れに対して、不正競争の特許番号明示なしの技術横領が余りに多過ぎる為、日本国税として納めるべき、知的所有財産利益の横領防止の為に、追加書き説明の知的所有財産技術公開に成る。福島県でのカンキチが書く。
１１２  電気絶縁シート付き二重構造にした二種類の軽水素入り圧電素子配線とアルミニウム鉛回路配線 
１１３   外部アンテナジャックＡ
１１４   モニタージャックＡ
１１５   微量ネオンアルゴン窒素ガス入りビニールグラスファイバー画像パネルＡ                    
１１６   アクリルシート内蔵超薄二枚合わせ圧縮ガラスＡ
１１７   超薄ステンレス反射シート付軽水素入りフッ化カルシウム発光補助光吸収ライトシートＡ
１１８   竹灰入り軽量塩化弱石膏プラスチックパネルカバー装置Ａ
１１９   電源コードＡ
１２０   不正競争防止法の著作権介入に依る企業無断販売に対しての注意作品に成り、脱税に対しては、国税の知的所有財産権の２０年超えの世界販売賠償に至り、国税及び地方税の知的所有財産賠償を行って戴きますので注意願います。
１２１   竹灰窒素入りグラスフアィバー絶縁体Ａ
１２２   竹灰入り軽量プラスチックカバー装置Ａ
１２３   多層式軽量圧電素子磁気データーツースボックス装置
【手続補正３】
【補正対象書類名】図面
【補正対象項目名】図１６９
【補正方法】変更
【補正の内容】
【図１６９】
0003203105.tif 000171
【手続補正４】
【補正対象書類名】図面
【補正対象項目名】図１７０
【補正方法】変更
【補正の内容】
【図１７０】
0003203105.tif 000172